(57)【要約】【課題】遊技の興趣を向上させることを目的とする。【解決手段】始動口への入球に基づいて大当たり、小当たりまたはハズレの当否判定をおこない、当否判定の結果に基づいて図柄の変動表示をおこなうことにより、当否判定の結果を遊技者に報知するとともに、当否判定の結果が大当たりであると、大入賞口を所定態様で開放する大当たり遊技をおこなう大当たり遊技実行手段と、当否判定の結果が小当たりであると、大入賞口を所定態様で開放する小当たり遊技をおこなう小当たり遊技実行手段とを備えた遊技機であって、小当たり遊技実行手段は、大当たり遊技実行手段により実行される大当たり遊技の終了後の所定時期から所定条件が成立するまでの小当たりラッシュ期間に、小当たり遊技を実行可能であり、小当たりラッシュ期間中は、図柄の停止に係わって当否判定の結果が小当たりになることを示唆する小当たり示唆演出を実行する。【選択図】図４６
2020162774.tif 000002
【特許請求の範囲】
【請求項１】
遊技球が入球可能な始動口と、
遊技球が入球容易な開放状態と、遊技球が入球困難な閉鎖状態とに変化可能な大入賞口と、
前記始動口への入球に基づいて大当たり、小当たりまたはハズレの当否判定をおこなう当否判定手段と、
前記当否判定の結果に基づいて図柄を所定時間変動させた後停止する変動表示をおこなうことにより、前記当否判定の結果を遊技者に報知する図柄表示制御手段と、
前記当否判定の結果が大当たりであると、前記大入賞口を所定態様で開放する大当たり遊技をおこなう大当たり遊技実行手段と、
前記当否判定の結果が小当たりであると、前記大入賞口を所定態様で開放する小当たり遊技をおこなう小当たり遊技実行手段と、
を備えた遊技機であって、
前記小当たり遊技実行手段は、少なくとも、前記大当たり遊技実行手段により実行される大当たり遊技の終了後の所定時期から所定条件が成立するまでの小当たりラッシュ期間に、小当たり遊技を実行可能であり、
前記小当たりラッシュ期間中は、前記図柄の停止に基づいて前記当否判定の結果が小当たりになることを示唆する第１小当たり示唆演出を実行可能である、
ことを特徴とする遊技機。
【請求項２】
前記第１小当たり示唆演出は、前記図柄表示制御手段が、特定の図柄を停止させること、特定の図柄配列で停止させること、または、特定の図柄表示態様で停止させることによりおこなう、
ことを特徴とする請求項１に記載の遊技機。
【請求項３】
前記小当たりラッシュ期間中は、前記図柄の停止に基づいて前記当否判定の結果がハズレになることを示唆する小当たりラッシュ継続示唆演出を実行可能である、
ことを特徴とする請求項１または請求項２に記載の遊技機。
【請求項４】
大当たりには、大当たり遊技の終了後に、前記小当たりラッシュを発生させる第一大当たりと、前記小当たりラッシュを発生させない第二大当たりとがあり、
前記小当たりラッシュ期間中は、前記第二大当たりの可能性のある演出中に小当たりになることを示唆する第２小当たり示唆演出を実行可能である、
ことを特徴とする請求項１から請求項３までのいずれか一項に記載の遊技機。
【請求項５】
前記図柄表示制御手段は、前記大当たり種別判定手段が、当該大当たりが前記第一大当たりと判定した場合に図柄を第一大当たり図柄配列で停止し、当該大当たりが前記第二大当たりと判定した場合に図柄を第二大当たり図柄配列で停止するとし、
前記第２小当たり示唆演出は、一旦、図柄を前記第二大当たり図柄配列で停止可能なリーチ状態で停止した後に小当たりになることを示唆する演出とした、
ことを特徴とする請求項４に記載の遊技機。
【請求項６】
前記第二大当たり図柄配列で停止可能なリーチ状態で停止した場合は、該第二大当たりになる確率が、前記第一大当たりおよび前記小当たりになる確率よりも高く設定され、
前記第２小当たり示唆演出は、前記当否判定の結果が小当たりになる場合に実行される演出である、
ことを特徴とする請求項５に記載の遊技機。
【請求項７】
前記小当たり遊技実行手段は、前記大入賞口を所定態様で開放する小当たり遊技をおこなう場合、前記第１小当たり示唆演出で小当たりになった場合の前記大入賞口の開放パターンと、前記第２小当たり示唆演出で小当たりになった場合の前記大入賞口の開放パターンとを相違する、
ことを特徴とする請求項４から請求項６までのいずれか一項に記載の遊技機。
【発明の詳細な説明】
【技術分野】
【０００１】
本発明は、パチンコ遊技機などの遊技機に関する。
【背景技術】
【０００２】
従来、始動口への遊技球の入賞を契機に表示装置を用いた表示演出を実行可能な遊技機が知られている（例えば、特許文献１参照）。
【０００３】
このような遊技機では、キャラクタ画像や図柄などを用いた表示演出をおこなうことができる。
【先行技術文献】
【特許文献】
【０００４】
【特許文献１】特開２０１６−２０２９３０号公報
【特許文献２】特開２０１６−１９８３３９号公報
【特許文献３】特開２０１６−１８２３７６号公報
【発明の概要】
【発明が解決しようとする課題】
【０００５】
しかしながら、上記の遊技機によっても、遊技の興趣を向上させるための技術については、なお改善の余地があった。
【０００６】
本発明は、上述した課題を解決するためになされたものであり、遊技の興趣の向上を図ることを目的とする。
【課題を解決するための手段】
【０００７】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
[適用例１]
遊技球が入球可能な始動口と、遊技球が入球容易な開放状態と、遊技球が入球困難な閉鎖状態とに変化可能な大入賞口と、前記始動口への入球に基づいて大当たり、小当たりまたはハズレの当否判定をおこなう当否判定手段と、前記当否判定の結果に基づいて図柄を所定時間変動させた後停止する変動表示をおこなうことにより、前記当否判定の結果を遊技者に報知する図柄表示制御手段と、前記当否判定の結果が大当たりであると、前記大入賞口を所定態様で開放する大当たり遊技をおこなう大当たり遊技実行手段と、前記当否判定の結果が小当たりであると、前記大入賞口を所定態様で開放する小当たり遊技をおこなう小当たり遊技実行手段と、を備えた遊技機であって、前記小当たり遊技実行手段は、少なくとも、前記大当たり遊技実行手段により実行される大当たり遊技の終了後の所定時期から所定条件が成立するまでの小当たりラッシュ期間に、小当たり遊技を実行可能であり、前記小当たりラッシュ期間中は、前記図柄の停止に基づいて前記当否判定の結果が小当たりになることを示唆する第１小当たり示唆演出を実行可能である、ことを特徴とする遊技機。
【０００９】
[適用例２]
前記第１小当たり示唆演出は、前記図柄表示制御手段が、特定の図柄を停止させること、特定の図柄配列で停止させること、または、特定の図柄表示態様で停止させることによりおこなう、ことを特徴とする適用例１に記載の遊技機。
【００１０】
［適用例３］
前記小当たりラッシュ期間中は、前記図柄の停止に基づいて前記当否判定の結果がハズレになることを示唆する小当たりラッシュ継続示唆演出を実行可能である、ことを特徴とする適用例１または適用例２に記載の遊技機。
【００１１】
[適用例４]
大当たりには、大当たり遊技の終了後に、前記小当たりラッシュを発生させる第一大当たりと、前記小当たりラッシュを発生させない第二大当たりとがあり、前記小当たりラッシュ期間中は、前記第二大当たりの可能性のある演出中に小当たりになることを示唆する第２小当たり示唆演出を実行可能である、ことを特徴とする適用例１から適用例３までのいずれか一つに記載の遊技機。
【００１２】
[適用例５]
前記図柄表示制御手段は、前記大当たり種別判定手段が、当該大当たりが前記第一大当たりと判定した場合に図柄を第一大当たり図柄配列で停止し、当該大当たりが前記第二大当たりと判定した場合に図柄を第二大当たり図柄配列で停止するとし、前記第２小当たり示唆演出は、一旦、図柄を前記第二大当たり図柄配列で停止可能なリーチ状態で停止した後に小当たりになることを示唆する演出とした、ことを特徴とする適用例４に記載の遊技機。
【００１３】
[適用例６]
前記第二大当たり図柄配列で停止可能なリーチ状態で停止した場合は、該第二大当たりになる確率が、前記第一大当たりおよび前記小当たりになる確率よりも高く設定され、前記第２小当たり示唆演出は、前記当否判定の結果が小当たりになる場合に実行される演出である、ことを特徴とする適用例５に記載の遊技機。
【００１４】
[適用例７]
前記小当たり遊技実行手段は、前記大入賞口を所定態様で開放する小当たり遊技をおこなう場合、前記第１小当たり示唆演出で小当たりになった場合の前記大入賞口の開放パターンと、前記第２小当たり示唆演出で小当たりになった場合の前記大入賞口の開放パターンとを相違する、ことを特徴とする適用例４から適用例６までのいずれか一つに記載の遊技機。
【発明の効果】
【００１５】
本発明によれば、遊技の興趣を向上させることができる。
【図面の簡単な説明】
【００１６】
【図１】遊技機の正面図である。
【図２】表示器類の拡大図である。
【図３】遊技機の主制御基板側の電気的な構成を示すブロック図である。
【図４】遊技機のサブ制御基板側の電気的な構成を示すブロック図である。
【図５】メインＲＯＭおよびメインＲＡＭを説明するための図である。
【図６】サブＲＯＭおよびサブＲＡＭを説明するための図である。
【図７】遊技機において使用される各種の乱数を説明するための図である。
【図８】判定テーブルＴ１〜Ｔ４、Ｔ１０を説明するための図である。
【図９】大当たり種別判定テーブルＴ５の説明図である。
【図１０】非時短状態時の変動パターン判定テーブルＴ６の説明図である。
【図１１】時短状態時の変動パターン判定テーブルＴ６の説明図である。
【図１２】電チュー開放パターン判定テーブルＴ７の説明図である。
【図１３】大入賞口開放パターン判定テーブルＴ８の説明図である。
【図１４】Ｖ開閉部材開放パターン判定テーブルＴ９の説明図である。
【図１５】主制御メイン処理のフローチャートである。
【図１６】メイン側タイマ割り込み処理のフローチャートである。
【図１７】始動口センサ検出処理のフローチャートである。
【図１８】特図２事前判定処理のフローチャートである。
【図１９】特図１事前判定処理のフローチャートである。
【図２０】普通動作処理のフローチャートである。
【図２１】特別動作処理のフローチャートである。
【図２２】特別図柄待機処理のフローチャートである。
【図２３】大当たり判定処理のフローチャートである。
【図２４】変動パターン選択処理の第１のフローチャートである。
【図２５】変動パターン選択処理の第２のフローチャートである。
【図２６】特別図柄変動中処理のフローチャートである。
【図２７】特別図柄確定処理のフローチャートである。
【図２８】遊技状態管理処理のフローチャートである。
【図２９】遊技状態リセット処理のフローチャートである。
【図３０】特別電動役物処理のフローチャートである。
【図３１】Ｖ開閉部材動作処理のフローチャートである。
【図３２】遊技状態設定処理のフローチャートである。
【図３３】Ｖ領域センサ検出処理のフローチャートである。
【図３４】保留球数処理のフローチャートである。
【図３５】サブ制御メイン処理を示すフローチャートである。
【図３６】サブ側タイマ割り込み処理のフローチャートである。
【図３７】受信コマンド解析処理のフローチャートである。
【図３８】先読み演出決定処理のフローチャートである。
【図３９】事前判定情報記憶領域の構成を説明するための図である。
【図４０】先読み演出パターン決定テーブルＴ５１の説明図である。
【図４１】変動演出開始処理のフローチャートである。
【図４２】基幹演出パターン決定テーブルＴ５２の説明図である。
【図４３】チャンスアップ演出パターン決定テーブルＴ５３の説明図である。
【図４４】変動演出中処理のフローチャートである。
【図４５】表示制御処理のフローチャートである。
【図４６】小当たり演出Ａを説明するための図である。
【図４７】小当たり演出Ａを説明するための図である。
【図４８】小当たり演出Ｂを説明するための図である。
【図４９】小当たり演出Ｂを説明するための図である。
【図５０】小当たり演出Ｃを説明するための図である。
【図５１】小当たり演出Ｃを説明するための図である。
【図５２】小当たり演出Ｄを説明するための図である。
【図５３】小当たり演出Ｄを説明するための図である。
【図５４】小当たり演出Ｅを説明するための図である。
【図５５】小当たり演出Ｅを説明するための図である。
【図５６】小当たり演出Ｆを説明するための図である。
【図５７】小当たり演出Ｆを説明するための図である。
【図５８】小当たり演出Ｇを説明するための図である。
【図５９】小当たり演出Ｇを説明するための図である。
【図６０】第２実施形態に係わる時短状態時の変動パターン判定テーブルＴ６の説明図である。
【図６１】第２実施形態に係わる大入賞口開放パターン判定テーブルＴ８の説明図である。
【図６２】第２実施形態に係わる基幹演出パターン決定テーブルＴ５２の説明図である。
【図６３】小当たり演出Ｈを説明するための図である。
【図６４】小当たり演出Ｈを説明するための図である。
【図６５】小当たり演出Ｉを説明するための図である。
【図６６】小当たり演出Ｉを説明するための図である。
【図６７】小当たり演出Ｊを説明するための図である。
【図６８】小当たり演出Ｊを説明するための図である。
【発明を実施するための形態】
【００１７】
＜第１実施形態＞
１．遊技機の構造
図１は、本発明の一実施形態としての遊技機１の正面図である。以下では、遊技機１の左右方向を、遊技機１に対面する遊技者から見た左右方向に一致させて説明する。また、遊技機１の前方向は、遊技機１から遊技者に向かう方向として説明し、遊技機１の後方向は、遊技者から遊技機１に向かう方向として説明する。
【００１８】
遊技機１は、遊技者の発射操作に基づいて遊技球を発射させ、特定の入賞装置に遊技球が入賞すると、その入賞に基づいて所定数の遊技球を遊技者に払い出すパチンコ遊技機である。遊技機１は、遊技機枠５０と、遊技盤２とを備え、遊技機枠５０の内側に遊技盤２が取り付けられている。遊技機枠５０は、前枠（前枠部）５３のほか、遊技機の外郭部を形成する外枠（基枠部）と、外枠の内側において遊技盤２が取り付けられる内枠と、を備えている。前枠（前枠部）５３は、外枠および内枠の前方側に配置される縦長方形状のユニットであり、ハンドル６０と、打球供給皿（上皿）６１と、余剰球受皿（下皿）６２と、演出ボタン６３と、剣部材６４と、剣ボタン６５と、枠ランプ６６と、スピーカ６７と、枠可動体６００とを備えている。前枠５３の中央には開口部が形成されており、開口部を介して、遊技盤２の遊技領域３を視認することができる。
【００１９】
ハンドル６０は、前枠５３の右側の下端に配置され、回転角度に応じた発射強度で遊技球を発射させる。打球供給皿（上皿）６１は、前枠５３の下方に設けられ、遊技球を貯留する。余剰球受皿（下皿）６２は、打球供給皿（上皿）６１の下方に配置され、打球供給皿６１に収容しきれない遊技球を貯留する。演出ボタン６３は、打球供給皿（上皿）６１の近傍に配置された操作部であり、遊技の進行に伴って実行される演出時などに遊技者によって操作（押圧）される。剣部材６４は、剣の形を模した操作部であり、遊技の進行に伴って実行される演出時等に遊技者が下方向に押し込むことができる。剣ボタン６５は、剣部材６４の上端部分、すなわち、剣の柄の端部に設けられた操作部であり、遊技の進行に伴って実行される演出時などに遊技者によって操作（押圧）される。剣部材６４は、剣部材６４全体を下方に押し込む第１の操作と、先端の剣ボタン６５を押圧する第２の操作の異なる２つの操作を実行可能に構成されている。枠ランプ６６は、前枠５３の開口部周辺に配置され、遊技中などに発光演出をおこなう。スピーカ６７は、前枠５３の左上方と右上方に配置され、遊技中などに音演出をおこなう。枠可動体６００は、前枠５３の上部に設けられた可動式のいわゆるギミックである。枠可動体６００は、前枠５３の内部に格納されている格納状態から、前枠５３の上方に突出する露出状態に変位可能に構成されている。
【００２０】
遊技盤２は、遊技領域３と、レール部材４と、盤ランプ５と、画像表示装置７と、センター装飾体１０と、固定入賞装置（ヘソ）１９と、普通可変入賞装置（電チュー）２２と、ゲート（スルーチャッカー）２８と、第１大入賞装置（第１アタッカー）３１と、第２大入賞装置（第２アタッカー）３６と、一般入賞口２７（普通入賞口２７）と、一般入賞口２９（普通入賞口２９）、アウト口１６と、表示器類４０と、を備えている。
【００２１】
遊技領域３は、ハンドル６０の操作によって発射された遊技球が流下する領域であり、遊技球を誘導する複数の遊技釘が突設されている。レール部材４は、遊技領域３の左側端部に配置され、ハンドル６０の操作によって発射された遊技球を遊技領域３の上方に向けて誘導する。盤ランプ５は、遊技領域３の背面側に配置され、遊技領域３の背面側から光を照射する。
【００２２】
画像表示装置７は、遊技領域３の中央付近に設けられ、第１画像表示装置７Ａと第２画像表示装置７Ｂとを備えている。第１画像表示装置７Ａは、表示画面７ａを備えている。第２画像表示装置７Ｂは、表示画面７ｂを備えている。画像表示装置７は、液晶表示装置であってもよいし、有機ＥＬ表示装置、プラズマディスプレイ、プロジェクター、ドットマトリクスなどの他の画像表示装置であってもよい。画像表示装置７の表示画面７ａ，７ｂは、演出図柄（装飾図柄）８Ｌ、８Ｃ、８Ｒが可変表示（変動表示ともいう）される第１演出図柄表示領域と、演出図柄（装飾図柄）８Ｌ、８Ｃ、８Ｒとは異なる他の装飾図柄が変動表示される第２演出図柄表示領域と、保留画像９Ａ、９Ｂが表示される保留画像表示領域と、保留消化画像９Ｃが表示される保留消化画像表示領域と、を有している。保留画像９Ａ、９Ｂは、保留を表す画像であり、保留アイコン９Ａ，９Ｂとも呼ぶ。保留消化画像９Ｃは、当該保留を表す画像であり、当該保留画像９Ｃ、または、当該保留アイコン９Ｃとも呼ぶ。第１保留アイコンと第２保留アイコンとを総称して、単に保留アイコンとも呼ぶ。
【００２３】
第１演出図柄表示領域は、「左」「中」「右」の３つの図柄表示エリアを含んでいる。左の図柄表示エリアには左演出図柄（左装飾図柄）８Ｌが表示される。中の図柄表示エリアには中演出図柄（中装飾図柄）８Ｃが表示される。右の図柄表示エリアには右演出図柄（右装飾図柄）８Ｒが表示される。演出図柄８Ｌ、８Ｃ、８Ｒは、例えば「１」〜「９」までの数字を表した複数の図柄によって構成されている。演出図柄８Ｌ、８Ｃ、８Ｒの変動表示は、後述する第１特別図柄および第２特別図柄の変動表示と同期している。画像表示装置７は、左、中、右の図柄表示エリアに表示する演出図柄の組み合わせによって、後述の第１特別図柄表示器４１ａおよび第２特別図柄表示器４１ｂによって表示される第１特別図柄および第２特別図柄の可変表示の結果（大当たり抽選結果）を、遊技者にわかりやすく表示することができる。
【００２４】
例えば、大当たりに当選した場合には「７７７」などのゾロ目で演出図柄を停止表示する。はずれであった場合には「６３７」などのバラケ目で演出図柄を停止表示する。これにより、遊技者による遊技の進行状況の把握が容易となる。遊技者は、大当たり抽選結果を第１特別図柄表示器４１ａや第２特別図柄表示器４１ｂのほか、画像表示装置７によって把握することができる。なお、図柄表示エリアの位置は固定的でなくてもよい。また、演出図柄の変動表示の態様としては、上下方向にスクロールする態様であってもよいしそれ以外の態様であってもよい。各抽選結果に応じてどのような演出図柄の組み合わせを停止表示するかは上記に限定されず任意に設定することができる。以後、演出図柄８Ｌ、８Ｃ、８Ｒを表示する演出を「演出図柄の変動演出」、「装飾図柄の変動演出」または、単に「変動演出」とも呼ぶ。なお、この装飾図柄の変動演出は、特別図柄が変動開始してから停止するまでの期間（特別図柄変動期間とも呼ぶ）における演出を１回の変動演出（１サイクルの変動演出）としてカウントする。従って、特別図柄が変動開始してから停止するまでの期間に、装飾図柄を仮停止させる場合があったとしても、当該仮停止の演出は、装飾図柄の変動演出に含まれる。
【００２５】
また、第２演出図柄表示領域は、「左」「中」「右」の３つの図柄表示エリアを含んでいる。左の図柄表示エリアには図示しない左演出図柄（左装飾図柄）が表示される。中の図柄表示エリアには図示しない中演出図柄（中装飾図柄）が表示される。右の図柄表示エリアには図示しない右演出図柄（右装飾図柄）が表示される。第２演出図柄表示領域に表示される演出図柄は、第１演出図柄表示領域に表示される演出図柄８Ｌ、８Ｃ、８Ｒと同様の図柄となっており、装飾図柄８Ｌ、８Ｃ、８Ｒよりも小さく表示される。
【００２６】
画像表示装置７は、演出図柄変動演出のほか、大当たり遊技（特別遊技の一例）に並行しておこなわれる大当たり演出や、客待ち用のデモ演出などを表示画面７ａ，７ｂに表示することができる。演出図柄変動演出では、演出図柄のほか、背景画像やキャラクタ画像などの演出画像も表示されてもよい。また、画像表示装置７は、演出図柄に加え、特別図柄が変動中であることを示唆したり、特別図柄の抽選結果を示唆したりすることが可能な識別表示（第四図柄、図示省略）を、表示画面７ａに表示してもよい。なお、識別表示（第四図柄）は、遊技領域３に設けられたＬＥＤなどの発光器によって表示させてもよい。
【００２７】
保留画像表示領域は、後述の第１特図保留の記憶数に応じて保留画像９Ａを表示する第１保留表示エリアと、後述の第２特図保留の記憶数に応じて保留画像９Ｂを表示する第２保留表示エリアとを含んでいる。保留画像９Ａ、９Ｂの表示によって、後述の第１特図保留表示器４３ａに表示される第１特図保留の記憶数と、第２特図保留表示器４３ｂに表示される第２特図保留の記憶数を、遊技者にわかりやすく表示することができる。保留消化画像表示領域は、保留消化画像９Ｃを表示する保留消化表示エリアを含んでいる。保留消化画像９Ｃは、表示画面７ａまたは表示画面７ｂで現在変動中の演出図柄（演出図柄８Ｌ、８Ｃ、８Ｒ）に対応しており、保留消化画像９Ｃの表示によって、第１特図保留または第２特図保留が消化（後述の「特図保留の消化」）されることを、遊技者にわかりやすく表示することができる。
【００２８】
画像表示装置７の下方には、可動式のいわゆるギミックである第１盤可動体１４（第１可動役物１４とも呼ぶ）が設けられている。第１可動役物１４は、板状の部材が上下に移動可能に構成されている。第１可動役物１４は、通常時は表示装置７の下方の退避位置（図１）で静止しており、退避位置から上方向に移動（進出）して進出位置（図１６）で静止することができる。第１可動役物１４は、進出位置で停止したとき画像表示装置７の一部を覆う。
【００２９】
センター装飾体１０は、遊技領域３の中央付近であって、画像表示装置７の前方に配置されている。センター装飾体１０には、可動式のいわゆるギミックである第２盤可動体１５（第２可動役物１５とも呼ぶ）が取り付けられている。センター装飾体１０の下部には、ステージ部１１が形成されている。ステージ部１１は、ステージ部１１の上面を転動する遊技球を後述の第１始動口２０へと誘導可能な形状を有している。センター装飾体１０の左下方には、ワープ部１２が設けられている。ワープ部１２は、遊技球が流入する入口部と遊技球が流出する出口部とを備え、入口部から流入した遊技球を出口部からステージ部１１に流出させる。
【００３０】
固定入賞装置（ヘソ）１９は、遊技領域３における画像表示装置７の下方に配置され、遊技球の入球し易さが常に変わらない第１始動口（第１始動入賞口、第１入球口、固定始動口）２０を備えている。第１始動口２０への遊技球の入賞は、第１特別図柄の抽選（大当たり抽選）の契機となっている。言い換えれば、第１始動口２０への遊技球の入賞は、大当たり乱数等の取得および大当たり判定等の契機となっている。
【００３１】
普通可変入賞装置（電チュー）２２は、遊技領域３における第１始動口２０の下方に配置され、第２始動口（第２始動入賞口、第２入球口、可変始動口）２１を備えている。第２始動口２１への遊技球の入賞は、第２特別図柄の抽選（小当たりおよび大当たり抽選）の契機となっている。電チュー２２は、第２始動口２１の前方に可動部材２３を備えており、可動部材２３の作動によって第２始動口２１を開閉する。可動部材２３は、電チューソレノイド２４（図３）によって駆動される。第２始動口２１は、可動部材２３が開状態のとき遊技球が入球可能である。なお、電チュー２２は、可動部材２３が開状態のときの方が閉状態のときよりも第２始動口２１への入球が容易であればよく、閉状態のときに第２始動口２１への入球が可能であってもよい。
【００３２】
ゲート（スルーチャッカー）２８は、遊技領域３における第１大入賞装置（第１アタッカー）３１の上方に配置されており、遊技球が通過可能に構成されている。ゲート２８への遊技球の通過は、電チュー２２を開放するか否かを決定する普通図柄抽選の契機となっている。言い換えれば、ゲート２８への遊技球の通過は、普通図柄乱数（当たり乱数）の取得および当たり判定等の契機となっている。
【００３３】
ここで、「特別図柄の大当たり抽選」とは、第１始動口２０または第２始動口２１に遊技球が入賞したときに、特別図柄判定用の大当たり乱数を取得し、この取得した大当たり乱数を予め定められた「大当たり」に対応する値と比較することにより、大当たりか否かを判定する処理をいう。この「大当たり」の抽選結果は即座に遊技者に報知されるわけではなく、後述の第１特別図柄表示器４１ａまたは第２特別図柄表示器４１ｂにおいて特別図柄の変動表示がおこなわれ、所定の変動時間を経過したところで、抽選結果に対応する特別図柄が停止表示（確定表示）され、遊技者に抽選結果が報知される。画像表示装置７では、特別図柄の変動表示と同期して演出図柄を変動表示する図柄合わせゲームが行われ、この図柄合わせゲームによって、より効果的に大当りの抽選結果が遊技者に報知される。
【００３４】
また、「特別図柄の小当たり抽選」とは、第２始動口２１に遊技球が入賞したときに、特別図柄判定用の小当たり乱数を取得し、この取得した小当たり乱数を予め定められた「小当たり」に対応する値と比較することにより、小当たりか否かを判定する処理をいう。この「小当たり」の抽選結果は即座に遊技者に報知されるわけではなく、後述の第２特別図柄表示器４１ｂにおいて特別図柄の変動表示がおこなわれ、所定の変動時間を経過したところで、抽選結果に対応する特別図柄が停止表示（確定表示）され、遊技者に抽選結果が報知される。画像表示装置７では、特別図柄の変動表示と同期して演出図柄を変動表示する図柄合わせゲームが行われ、この図柄合わせゲームによって、より効果的に小当たりの抽選結果が遊技者に報知される。
【００３５】
また、「普通図柄の抽選」とは、ゲート２８を遊技球が通過したときに、普通図柄判定用の乱数を取得し、この取得した乱数を予め定められた「当り」に対応する値と比較することにより、当りか否かを判定する処理をいう。この普通図柄の抽選結果についても、ゲート２８を遊技球が通過して即座に抽選結果が報知されるわけではなく、後述の普通図柄表示器４２において普通図柄の変動表示がおこなわれ、所定の変動時間を経過したところで、抽選結果に対応する普通図柄が確定表示（点灯または消灯）され、遊技者に抽選結果が報知される。
【００３６】
第１大入賞装置（第１アタッカー、第１特別可変入賞装置）３１は、遊技領域３における第１始動口２０の右上方に配置され、第１大入賞口（第１特別入賞口）３０と、Ｖ領域３９と、非Ｖ領域７０と、Ｖ開閉部材７１とを備えている。第１大入賞口３０は、スイング式の開閉動作により遊技球の受け入れを許容または阻害する開閉部材（第１特別入賞口開閉部材）３２を備えている。開閉部材３２は、第１大入賞口ソレノイド３３（図３）によって駆動される。第１大入賞口３０は、開閉部材３２が開状態のとき遊技球が入球可能となる。
【００３７】
第１大入賞装置３１は内部に、Ｖ領域（特定領域）３９と、Ｖ領域センサ３９ａ（図３）と、非Ｖ領域（非特定領域）７０と、非Ｖ領域センサ７０ａ（図３）と、第１大入賞口センサ３０ａ（図３）と、Ｖ開閉部材７１と、Ｖ開閉部材ソレノイド７３（図３）と、を備えている。Ｖ領域（特定領域）３９および非Ｖ領域（非特定領域）７０は、第１大入賞装置３１の内部において、第１大入賞口３０を通過した遊技球が通過可能な領域として構成されている。第１大入賞口センサ３０ａは、Ｖ領域３９および非Ｖ領域７０の上流に配置され、第１大入賞口３０への遊技球の入賞を検知する。Ｖ領域センサ３９ａは、Ｖ領域３９に配置され、Ｖ領域３９への遊技球の通過を検知する。非Ｖ領域センサ７０ａは、非Ｖ領域７０に配置され、非Ｖ領域７０への遊技球の通過を検知する。Ｖ開閉部材７１は、第１大入賞口３０を通過した遊技球をＶ領域３９または非Ｖ領域７０のいずれかに振り分ける。Ｖ開閉部材ソレノイド７３は、Ｖ開閉部材７１を駆動する。Ｖ開閉部材７１は、回転移動（遊技盤２に対して時計回りおよび反時計回り）するように構成され、Ｖ開閉部材ソレノイド７３の通電時には、原点位置から反時計回りに回転して遊技球をＶ領域３９に振り分ける第１の状態（回動状態）となり、Ｖ開閉部材ソレノイド７３の非通電時には、原点に位置して遊技球を非Ｖ領域７０に振り分ける第２の状態（停止状態）となる。なお、Ｖ開閉部材７１は、回転移動に限らず、第１大入賞口３０を通過した遊技球をＶ領域３９または非Ｖ領域７０のいずれかに振り分ける機能を有しておればよく、例えば、遊技盤２に対して左右方向に移動するように構成してもよい。すなわち、Ｖ開閉部材ソレノイド７３の通電時には、遊技球をＶ領域３９に振り分ける退避状態（第１の状態）となり、Ｖ開閉部材ソレノイド７３の非通電時には、遊技球を非Ｖ領域７０に振り分ける進出状態（第２の状態）となるように構成してもよい。なお、遊技機１では、Ｖ領域３９への遊技球の通過が後述の高確率状態への移行の契機となっている。つまり、Ｖ領域３９は、確変作動口となっている。一方、非Ｖ領域７０は、確変作動口となっていない。本実施形態の第１大入賞装置３１は、さらに、第１大入賞装置３１から排出される遊技球数を計数する第１大入賞装置排出センサ（図示しない）を備えている。第１大入賞装置排出センサは、Ｖ領域３９と非Ｖ領域７０が下流で合流した地点に設けられており、Ｖ領域センサ３９ａまたは非Ｖ領域センサ７０ａを通過した遊技球数を計数する。
【００３８】
第２大入賞装置（第２アタッカー、小当りアタッカー、第２特別可変入賞装置）３６は、遊技領域３における第１大入賞口３０の右上方に配置され、第２大入賞口（第２特別入賞口）３５を備えている。第２大入賞口３５は、スイング式の開閉動作により遊技球の受け入れを阻害または許容する開閉部材（第２特別入賞口開閉部材、可動部材）３７を備えている。開閉部材３７は、第２大入賞口ソレノイド３８（図３）によって駆動される。第２大入賞口３５は、開閉部材３７が開状態のとき遊技球が入球可能となる。この第２大入賞装置は、第２始動口２１に遊技球が入賞して小当たり抽選で当選した場合に作動する、小当りアタッカーとなっている。
【００３９】
一般入賞口２７は、遊技領域３の下部に設けられている。アウト口１６は、遊技領域３の下部に設けられており、いずれの入賞口にも入賞しなかった遊技球を遊技領域３の外へ排出する。表示器類４０は、遊技盤２の右側中央付近に配置されている。表示器類４０の詳細については後述する。
一般入賞口２９は、遊技領域３の右下部であって、第１大入賞口３０の右側に隣接して配置されている。
【００４０】
遊技領域３には、左右方向の中央より左側の左遊技領域３Ａと、右側の右遊技領域３Ｂとがある。左遊技領域３Ａを遊技球が流下するように遊技球を発射する打ち方を「左打ち」と呼ぶ。一方、右遊技領域３Ｂを遊技球が流下するように遊技球を発射する打ち方を「右打ち」と呼ぶ。遊技機１では、左打ちにて第１始動口２０への入賞を狙うことができる。一方、右打ちにてゲート２８への通過、第２始動口２１、第１大入賞口３０、および、第２大入賞口３５への入賞が狙うことができるように構成されている。
【００４１】
図２は、表示器類４０の拡大図である。表示器類４０は、第１特別図柄表示器４１ａと、第２特別図柄表示器４１ｂと、普通図柄表示器４２と、第１特図保留表示器４３ａと、第２特図保留表示器４３ｂと、普図保留表示器４４と、を含んでいる。第１特別図柄表示器４１ａは、第１特別図柄を可変表示する。第２特別図柄表示器４１ｂは、第２特別図柄を可変表示する。普通図柄表示器４２は、普通図柄を可変表示する。第１特図保留表示器４３ａは、第１特別図柄表示器４１ａの作動保留（第１特図保留）の記憶数を表示する。第２特図保留表示器４３ｂは、第２特別図柄表示器４１ｂの作動保留（第２特図保留）の記憶数を表示する。普図保留表示器４４は、普通図柄表示器４２の作動保留（普図保留）の記憶数を表示する。第１特別図柄の可変表示は、第１始動口２０への遊技球の入賞を契機としておこなわれる。第２特別図柄の可変表示は、第２始動口２１への遊技球の入賞を契機としておこなわれる。以下では、第１特別図柄および第２特別図柄を総称して「特別図柄」とも呼ぶ。また、第１特別図柄表示器４１ａおよび第２特別図柄表示器４１ｂを総称して「特別図柄表示器４１」とも呼ぶ。また、第１特図保留表示器４３ａおよび第２特図保留表示器４３ｂを総称して「特図保留表示器４３」とも呼ぶ。
【００４２】
特別図柄表示器４１は、特別図柄（識別情報）を可変表示（変動表示）した後、停止表示することによって第１始動口２０または第２始動口２１への入賞に基づく抽選（大当たり抽選）の結果を報知する。停止表示される特別図柄（停止図柄、可変表示の表示結果として導出表示される特別図柄）は、特別図柄抽選によって複数種類の特別図柄の中から選択された一つの特別図柄である。停止図柄が予め定めた大当たり停止態様の特別図柄（大当たり図柄）である場合には、停止表示された大当たり図柄の種類（当選した大当たりの種類）に応じた開放パターンにて第１大入賞口３０または第２大入賞口３５を開放させる特別遊技（大当たり遊技）がおこなわれる。なお、大当たり遊技における大入賞口（第１大入賞口３０および第２大入賞口３５）の開放パターンについては後述する。
【００４３】
特別図柄表示器４１は、特別図柄（識別情報）を可変表示（変動表示）した後、停止表示することによって第２始動口２１への入賞に基づく抽選（小当たり抽選）の結果を報知する。停止表示される特別図柄（停止図柄、可変表示の表示結果として導出表示される特別図柄）は、特別図柄抽選によって複数種類の特別図柄の中から選択された一つの特別図柄である。停止図柄が予め定めた小当たり停止態様の特別図柄（小当たり図柄）である場合には、所定の開放パターンにて第２大入賞口３５を開放させる特別遊技（小当たり遊技）がおこなわれる。なお、小当たり遊技における第２大入賞口３５の開放パターンについては後述する。
【００４４】
特別図柄表示器４１は、横並びに配された８個のＬＥＤから構成されており、その点灯態様によって特別図柄当たり抽選の結果に応じた特別図柄を表示する。例えば、大当たり（後述の複数種類の大当たりのうちの一つ）に当選した場合には、「○○●●○○●●」（○：点灯、●：消灯）というように左から１，２，５，６番目にあるＬＥＤが点灯した大当たり図柄を表示する。小当たりに当選した場合には、「○○●●●●●●」（○：点灯、●：消灯）というように左から１，２番目にあるＬＥＤが点灯した小当たり図柄を表示する。ハズレである場合には、「●●●●●●●○」というように一番右にあるＬＥＤのみが点灯したハズレ図柄を表示する。ハズレ図柄として全てのＬＥＤを消灯させる態様を採用してもよい。特別図柄が停止表示される前には、所定の変動時間にわたって特別図柄の変動表示（可変表示）がなされる。変動表示の態様は、例えば、左から右へ光が繰り返し流れるように各ＬＥＤが点灯してもよい。変動表示の態様は、各ＬＥＤが停止表示（特定の態様での点灯表示）されていなければ、上記態様に限定されず、任意の点灯態様とすることができる。例えば、変動表示の態様は、全ＬＥＤが一斉に点滅してもよい。
【００４５】
遊技機１では、第１始動口２０または第２始動口２１への遊技球の入賞（入球）があると、その入賞に対して取得した大当たり乱数等の各種乱数の値（数値情報）は、特図保留記憶領域８５（図５）に一旦記憶される。具体的には、第１始動口２０への入賞であれば、第１特図保留として第１特図保留記憶領域８５ａ（図５）に記憶され、第２始動口２１への入賞であれば、第２特図保留として第２特図保留記憶領域８５ｂ（図５）に記憶される。各々の特図保留記憶領域８５に記憶可能な特図保留の数には上限があり、本実施形態における上限値は、第１特図保留記憶領域８５ａ、第２特図保留記憶領域８５ｂともにそれぞれ４個となっている。特図保留記憶領域８５に記憶された特図保留は、その特図保留に基づく特別図柄の可変表示が可能となったときに消化される。「特図保留の消化」とは、その特図保留に対応する大当たり乱数等を判定して、その判定結果を示すための特別図柄の可変表示を実行することをいう。従って、遊技機１では、第１始動口２０または第２始動口２１への遊技球の入賞に基づく特別図柄の可変表示がその入賞後にすぐにおこなえない場合、すなわち、特別図柄の可変表示の実行中や特別遊技の実行中に入賞があった場合であっても、所定個数を上限として、その入賞に対する大当たり抽選の権利を留保することができる。特図保留の数は、特図保留表示器４３に表示される。第１特図保留表示器４３ａと第２特図保留表示器４３ｂは、例えばそれぞれ４個のＬＥＤで構成されている。各特図保留表示器４３は、特図保留の数だけＬＥＤを点灯させることによって特図保留の数を表示する。
【００４６】
普通図柄の可変表示は、ゲート２８への遊技球の通過を契機としておこなわれる。普通図柄表示器４２は、普通図柄を可変表示（変動表示）した後、停止表示することによってゲート２８への遊技球の通過に基づく普通図柄抽選の結果を報知する。停止表示される普通図柄（普図停止図柄、可変表示の表示結果として導出表示される普通図柄）は、普通図柄抽選によって複数種類の普通図柄の中から選択された一つの普通図柄である。普図停止図柄が予め定めた特定普通図柄（所定の停止態様の普通図柄すなわち普通当たり図柄）である場合には、現在の遊技状態に応じた開放パターンに第２始動口２１を開放させる補助遊技が行われる。なお、第２始動口２１の開放パターンについては後述する。
【００４７】
普通図柄表示器４２は、２個のＬＥＤから構成されており、その点灯態様によって普通図柄抽選の結果に応じた普通図柄を表示するものである。例えば、抽選結果が当たりである場合には、「○○」（○：点灯、●：消灯）というように両ＬＥＤが点灯した普通当たり図柄を表示する。抽選結果がハズレである場合には、「●○」というように右のＬＥＤのみが点灯した普通ハズレ図柄を表示する。普通ハズレ図柄として全てのＬＥＤを消灯させる態様を採用してもよい。普通図柄が停止表示される前には、所定の変動時間にわたって普通図柄の変動表示がなされる。変動表示の態様は、例えば、両ＬＥＤが交互に点灯してもよい。変動表示の態様は、各ＬＥＤが停止表示（特定の態様での点灯表示）されていなければ、上記態様に限定されず、任意の点灯態様とすることができる。例えば、変動表示の態様は、全ＬＥＤが一斉に点滅してもよい。
【００４８】
遊技機１では、ゲート２８への遊技球の通過があると、その通過に対して取得した普通図柄乱数（当たり乱数）の値は、普図保留記憶領域８６（図５）に普図保留として一旦記憶される。普図保留記憶領域８６に記憶可能な普図保留の数には上限があり、本形態における上限値は４個となっている。普図保留記憶領域８６に記憶された普図保留は、その普図保留に基づく普通図柄の可変表示が可能となったときに消化される。普図保留の消化とは、その普図保留に対応する普通図柄乱数（当たり乱数）を判定して、その判定結果を示すための普通図柄の可変表示を実行することをいう。従って、遊技機１では、ゲート２８への遊技球の通過に基づく普通図柄の可変表示がその通過後にすぐにおこなえない場合、すなわち、普通図柄の可変表示の実行中や補助遊技の実行中に入賞があった場合であっても、所定個数を上限として、その通過に対する普通図柄抽選の権利を留保することができる。普図保留の数は、普図保留表示器４４に表示される。普図保留表示器４４は、例えば、４個のＬＥＤで構成されており、普図保留の数だけＬＥＤを点灯させることによって普図保留の数を表示する。
【００４９】
２．遊技機の電気的構成
図３、図４に基づいて、遊技機１の電気的構成について説明する。図３は、遊技機１の主制御基板側の電気的な構成を示すブロック図である。図４は、遊技機１のサブ制御基板側の電気的な構成を示すブロック図である。遊技機１は、主制御基板８０（図３）と、サブ制御基板９０（図４）と、画像制御基板１００（図４）と、ランプ制御基板１０７（図４）と、音声制御基板１０６（図４）と、払出制御基板１１０（図３）と、を備えている。主制御基板８０は、大当たり抽選や遊技状態の移行などの遊技利益に関する制御をおこなう遊技制御基板であり、メイン制御部を構成する。サブ制御基板９０は、遊技の進行に伴って実行する演出に関する制御をおこなう演出制御基板であり、画像制御基板１００、ランプ制御基板１０７、音声制御基板１０６とともにサブ制御部を構成する。なお、サブ制御部は、少なくともサブ制御基板９０を備えていれば構成可能である。
【００５０】
主制御基板８０は、遊技制御用マイコン８１と、入出力回路８７と、を備えている。遊技制御用マイコン８１は、主制御基板８０に実装されているワンチップマイコンであり、プログラムに従って遊技機１の遊技の進行を制御する。遊技制御用マイコン８１は、遊技の進行を制御するためのプログラムなどを記憶するメインＲＯＭ８３と、ワークメモリとして使用されるメインＲＡＭ８４と、メインＲＯＭ８３に記憶されているプログラムを実行するメインＣＰＵ８２と、を含んでいる。メインＲＯＭ８３に記憶されているデータの詳細、および、メインＲＡＭ８４に設けられている記憶領域の詳細については後述する。メインＲＯＭ８３は外付けＲＯＭとして構成されていてもよい。遊技制御用マイコン８１は、入出力回路（Ｉ／Ｏポート部）８７を介して他の基板等とデータの送受信をおこなう。入出力回路８７は、遊技制御用マイコン８１に内蔵されていてもよい。
【００５１】
主制御基板８０には、入出力回路８７および中継基板８８を介して各種センサやソレノイドが接続されている。主制御基板８０は、各センサから出力された信号が入力するとともに、各ソレノイドに対して信号を出力する。中継基板８８を介して接続されるセンサ類としては、第１始動口センサ２０ａ、第２始動口センサ２１ａ、ゲートセンサ２８ａ、第１大入賞口センサ３０ａ、第２大入賞口センサ３５ａ、Ｖ領域センサ３９ａ、非Ｖ領域センサ７０ａ、および、普通入賞口センサ２７ａ、２９ａが例示される。中継基板８８を介して接続されるソレノイド類としては、電チューソレノイド２４、第１大入賞口ソレノイド３３、第２大入賞口ソレノイド３８、および、Ｖ開閉部材ソレノイド７３が例示される。第１始動口センサ２０ａは、第１始動口２０の内部に設けられ、第１始動口２０に入賞した遊技球を検出する。第２始動口センサ２１ａは、第２始動口２１の内部に設けられ、第２始動口２１に入賞した遊技球を検出する。ゲートセンサ２８ａは、ゲート２８の内部に設けられ、ゲート２８を通過した遊技球を検出する。第１大入賞口センサ３０ａは、第１大入賞口３０の内部に設けられ、第１大入賞口３０に入賞した遊技球を検出する。第２大入賞口センサ３５ａは、第２大入賞口３５の内部に設けられ、第２大入賞口３５に入賞した遊技球を検出する。Ｖ領域センサ３９ａは、第１大入賞口３０の内部のＶ領域３９に設けられ、Ｖ領域３９を通過した遊技球を検出する。非Ｖ領域センサ７０ａは、第１大入賞口３０の内部の非Ｖ領域７０に設けられ、非Ｖ領域７０を通過した遊技球を検出する。普通入賞口センサ２７ａは、普通入賞口２７の内部に設けられ、普通入賞口２７に入賞した遊技球を検出する。普通入賞口センサ２９ａは、普通入賞口２９の内部に通過した遊技球を検出する。電チューソレノイド２４は、電チュー２２の可動部材２３を駆動する。第１大入賞口ソレノイド３３は、第１大入賞装置３１の開閉部材３２を駆動する。第２大入賞口ソレノイド３８は、第２大入賞装置３６の開閉部材３７を駆動する。Ｖ開閉部材ソレノイド７３は、第１大入賞装置３１のＶ開閉部材７１を駆動する。
【００５２】
主制御基板８０には、入出力回路８７を介して表示器類４０が接続されている。遊技制御用マイコン８１は、第１特別図柄表示器４１ａ、第２特別図柄表示器４１ｂ、普通図柄表示器４２、第１特図保留表示器４３ａ、第２特図保留表示器４３ｂ、普図保留表示器４４についての表示制御おこなう。
【００５３】
主制御基板８０には、入出力回路８７を介して払出制御基板１１０が接続されている。主制御基板８０は、払出制御基板１１０に各種コマンドを送信するとともに、払い出し監視のために払出制御基板１１０から信号を受信する。払出制御基板１１０には、賞球払出装置１２０と、貸球払出装置１３０と、カードユニット１３５と、が接続され、発射制御回路１１１を介して発射装置１１２が接続されている。賞球払出装置１２０は、賞球の払い出しをおこなう。払出制御基板１１０は、遊技制御用マイコン８１からの信号に基づいて、賞球払出装置１２０の賞球モータ１２１を駆動して賞球の払い出しをおこなう。払い出される賞球は、計数のために賞球センサ１２２によって検知される。貸球払出装置１３０は、貸球の払い出しをおこなう。払出制御基板１１０は、遊技機１に接続されたカードユニット１３５からの信号に基づいて、貸球払出装置１３０の貸球モータ１３１を駆動して貸球の払い出しをおこなう。払い出される貸球は、計数のために貸球センサ１３２によって検知される。カードユニット１３５は、遊技機１に隣接して配置され、挿入されたプリペイドカードなどの情報に基づいて球貸に関する情報を出力する。発射装置１１２は、ハンドル６０（図１）と、発射モータ１１３と、タッチスイッチ１１４と、発射ボリューム１１５と、を備えている。発射装置１１２は、遊技者によるハンドル６０の操作があった場合に、タッチスイッチ１１４によってハンドル６０の接触を検知し、発射ボリューム１１５によってハンドル６０の回転量を検知する。そして、発射ボリューム１１５の検知信号の大きさに応じた強さで遊技球が発射されるように発射モータ１１３を駆動する。
【００５４】
主制御基板８０には、入出力回路８７を介してサブ制御基板９０（図４）が接続されている。主制御基板８０は、サブ制御基板９０に対して各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００５５】
サブ制御基板９０は、演出制御用マイコン９１と、入出力回路９５と、を備えている。演出制御用マイコン９１は、サブ制御基板９０に実装されているワンチップマイコンであり、プログラムに従って遊技機１の遊技の演出を制御する。演出制御用マイコン９１は、遊技の進行に伴って演出を制御するためのプログラム等を記憶するサブＲＯＭ９３と、ワークメモリとして使用されるサブＲＡＭ９４と、サブＲＯＭ９３に記憶されているプログラムを実行するサブＣＰＵ９２と、を含んでいる。サブＲＯＭ９３に記憶されているデータの詳細、および、サブＲＡＭ９４に設けられている記憶領域の詳細については後述する。サブＲＯＭ９３は外付けＲＯＭとして構成されていてもよい。演出制御用マイコン９１は、入出力回路（Ｉ／Ｏポート部）９５を介して他の基板等とデータの送受信をおこなう。入出力回路９５は、演出制御用マイコン９１に内蔵されていてもよい。サブ制御基板９０には、入出力回路９５を介して、画像制御基板１００と、音声制御基板１０６と、ランプ制御基板１０７と、中継基板１０８と、が接続されている。
【００５６】
画像制御基板１００は、画像制御用マイコン１０１と、入力回路１０５ａと、出力回路１０５ｂとを備えている。画像制御用マイコン１０１は、画像制御基板１００に実装されているワンチップマイコンであり、プログラムに従って画像表示装置７（第１画像表示装置７Ａおよび第２画像表示装置７Ｂ）の表示制御をおこなう。画像制御用マイコン１０１は、ＣＰＵ１０２と、ＲＯＭ１０３と、ＲＡＭ１０４とを含んでいる。ＲＯＭ１０３には、表示制御をおこなうためのプログラムのほか、画像表示装置７に表示される静止画データや動画データ、具体的には、キャラクタ、アイテム、図形、文字、数字および記号等（演出図柄を含む）や背景画像等の画像データが格納されている。ＲＡＭ１０４は、画像データを展開するためのメモリとして使用される。ＣＰＵ１０２は、ＲＯＭ１０３に記憶されているプログラムを実行する。演出制御用マイコン９１は、主制御基板８０から受信したコマンドに基づいて、画像制御用マイコン１０１に画像表示装置７の表示制御をおこなわせる。画像制御用マイコン１０１は、演出制御用マイコン９１からの指令に基づいてＲＯＭ１０３から画像データを読み出し、読み出した画像データに基づいて表示制御をおこなう。
【００５７】
音声制御基板１０６には、スピーカ６７が接続されており、演出制御用マイコン９１は、主制御基板８０から受信したコマンドに基づいて、音声制御基板１０６を介してスピーカ６７から音声、楽曲、効果音等を出力させる。スピーカ６７から出力する音声等の音響データは、サブ制御基板９０のサブＲＯＭ９３に格納されている。なお、音声制御基板１０６は、ＣＰＵを実装していてもよく、そのＣＰＵにコマンドに基づく音声制御を実行させてもよい。さらに、音声制御基板１０６は、ＲＯＭを実装してもよく、そのＲＯＭに音響データを格納してもよい。また、スピーカ６７を画像制御基板１００に接続し、画像制御基板１００のＣＰＵ１０２に音声制御を実行させてもよい。さらに、画像制御基板１００のＲＯＭ１０３に音響データを格納してもよい。
【００５８】
ランプ制御基板１０７には、枠ランプ６６と、盤ランプ５と、第１可動役物１４と、第２可動役物１５と、が接続されており、これらを制御する。演出制御用マイコン９１は、主制御基板８０から受信したコマンドに基づいて、ランプ制御基板１０７を介して枠ランプ６６や盤ランプ５等のランプの点灯制御をおこなう。つまり、演出制御用マイコン９１は、枠ランプ６６や盤ランプ５等のランプの発光態様を決める発光パターンデータ（点灯/消灯や発光色等を決めるデータ、ランプデータともいう）を作成し、発光パターンデータに従って枠ランプ６６や盤ランプ５などのランプの発光を制御する。発光パターンデータの作成にはサブ制御基板９０のサブＲＯＭ９３に格納されているデータが用いられる。演出制御用マイコン９１は、主制御基板８０から受信したコマンドに基づいて、第１可動役物１４および第２可動役物１５を動作させる。第１可動役物１４は、画像表示装置７の下方に設けられた可動式のいわゆるギミックである。第２可動役物１５は、センター装飾体１０に設けられた可動式のいわゆるギミックである。演出制御用マイコン９１は、第１可動役物１４および第２可動役物１５のそれぞれの動作態様を決める動作パターンデータ（駆動データ）を作成し、動作パターンデータに従って第１可動役物１４および第２可動役物１５の動作を制御する。動作パターンデータの作成にはサブＲＯＭ９３に格納されているデータを用いる。なお、ランプ制御基板１０７は、ＣＰＵを実装していてもよく、そのＣＰＵにコマンドに基づくランプの点灯制御や可動役物１４、１５の動作制御を実行させてもよい。この場合、ランプ制御基板１０７はＲＯＭを実装してもよく、そのＲＯＭに発光パターンや動作パターンに関するデータを格納してもよい。
【００５９】
中継基板１０８には、演出ボタン検出スイッチ６３ａと、枠可動体６００と、が接続されている。演出ボタン検出スイッチ６３ａは、演出ボタン６３（図１）が押下操作されたことを検出する。演出ボタン６３が押下されると、演出ボタン検出スイッチ６３ａから、中継基板１０８を介してサブ制御基板９０にスイッチ信号が出力される。演出制御用マイコン９１は、主制御基板８０から受信したコマンドに基づいて、枠可動体６００を動作させる。枠可動体６００は、前枠５３（図１）の上部に設けられた可動式のいわゆるギミックである。演出制御用マイコン９１は、枠可動体６００の動作態様を決める動作パターンデータ（駆動データ）を作成し、動作パターンデータに従って枠可動体６００の動作を制御する。動作パターンデータの作成にはサブＲＯＭ９３に格納されているデータを用いる。なお、中継基板１０８には、セレクトボタン６８（図１）が押下操作されたことを検出するセレクトボタン検出スイッチや、前枠５３に設けられ、人体が接触すると検出信号を出力するタッチセンサなどが接続されていてもよい。
【００６０】
３．遊技機のデータ構成
図５、図６に基づいて、遊技機１のデータ構成について説明する。図５（Ａ）は、メインＲＯＭ８３に記憶されているテーブルを説明するための図である。図５（Ｂ）は、メインＲＡＭ８４に設けられている記憶領域を説明するための図である。図６（Ａ）は、サブＲＯＭ９３に記憶されているテーブルを説明するための図である。図６（Ｂ）は、サブＲＡＭ９４に設けられている記憶領域を説明するための図である。
【００６１】
メインＲＯＭ８３（図５（Ａ））には、大当たり判定テーブルＴ１と、リーチ判定テーブルＴ２と、普通図柄当たり判定テーブルＴ３と、普通図柄変動パターン判定テーブルＴ４と、大当たり種別判定テーブルＴ５と、変動パターン判定テーブルＴ６と、電チュー開放パターン判定テーブルＴ７と、大入賞口開放パターン判定テーブルＴ８と、Ｖ開閉部材開放パターン判定テーブルＴ９と、小当たり判定テーブルＴ１０と、が格納されている。これらの判定テーブルは、遊技制御用マイコン８１が実行する主制御メイン処理（後述）において、遊技制御用マイコン８１によって参照される。各判定テーブルの具体的な内容については後述する。
【００６２】
メインＲＡＭ８４（図５（Ｂ））には、コマンドセット領域８４ａと、フラグセット領域８４ｂと、カウンタセット領域８４ｃと、特別動作ステータスセット領域８４ｄと、特図保留記憶領域８５と、普図保留記憶領域８６とが設けられている。コマンドセット領域８４ａは、主制御メイン処理（後述）において、メイン制御部側からサブ制御部側に出力されるコマンドがセットされる領域（出力バッファ）であり、事前判定コマンド、保留球数コマンド、変動開始コマンド、変動停止コマンド、オープニングコマンド、ラウンド指定コマンド、エンディングコマンド、遊技状態指定コマンド、Ｖ通過コマンド、客待ち待機コマンドなどがセットされる。フラグセット領域８４ｂは、主制御メイン処理（後述）において、遊技機の状態や遊技状態を示すフラグがセットされる領域であり、大当たりフラグ、大当たり終了フラグ、第１入賞フラグ、第２入賞フラグ、小当たりフラグ、Ｖフラグ、確変フラグ、時短フラグなどがセットされる。カウンタセット領域８４ｃは、主制御メイン処理（後述）において使用されるカウンタがセットされる領域であり、乱数カウンタ、ラウンドカウンタ、確変カウンタ、時短カウンタなどがセットされる。特別動作ステータスセット領域８４ｄは、後述する特別動作処理におけるステータスがセットされる領域である。特図保留記憶領域８５は、第１特図保留が記憶される第１特図保留記憶領域８５ａと、第２特図保留が記憶される第２特図保留記憶領域８５ｂとを含んでいる。第１特図保留記憶領域８５ａには、第１特図保留の１個目、２個目、３個目、４個目にそれぞれ対応する特別図柄当たり乱数等の乱数値群（保留情報）を記憶するための第１記憶領域、第２記憶領域、第３記憶領域、第４記憶領域が設けられている。第２特図保留記憶領域８５ｂには、第２特図保留の１個目、２個目、３個目、４個目にそれぞれ対応する乱数値群（保留情報）を記憶するための第１記憶領域、第２記憶領域、第３記憶領域、第４記憶領域が設けられている。普図保留記憶領域８６は、普図保留の１個目、２個目、３個目、４個目にそれぞれ対応する普通図柄乱数（あたり乱数）等の乱数値群（保留情報）を記憶するための第１記憶領域、第２記憶領域、第３記憶領域、第４記憶領域が設けられている。なお、メインＲＡＭ８４には、上記の領域の他に、特図停止図柄データがセットされる当たり種別セットバッファや、可動役物１４、１５や枠可動体６００を駆動させるための駆動データがセットされる駆動データバッファ等が設けられている。
【００６３】
サブＲＯＭ９３（図６（Ａ））には、先読み演出パターン決定テーブルＴ５１と、基幹演出パターン決定テーブルＴ５２と、チャンスアップ演出パターン決定テーブルＴ５３と、停止図柄パターン決定テーブルＴ５４と、が格納されている。これらの決定テーブルは、演出制御用マイコン９１が実行するサブ制御メイン処理（後述）において、演出制御用マイコン９１によって参照される。各決定テーブルの具体的な内容については後述する。
【００６４】
サブＲＡＭ９４（図６（Ｂ））には、コマンド記憶領域９４ａと、演出コマンドセット領域９４ｂと、事前判定情報記憶領域９４ｃと、カウンタセット領域９４ｄと、が設けられている。コマンド記憶領域９４ａは、サブ制御メイン処理（後述）において、メイン制御部側から入力されたコマンドが記憶される領域（入力バッファ）であり、事前判定コマンド、保留球数コマンド、変動開始コマンド、変動停止コマンド、オープニングコマンド、ラウンド指定コマンド、エンディングコマンド、遊技状態指定コマンド、Ｖ通過コマンド、客待ち待機コマンドなどが格納される。演出コマンドセット領域９４ｂは、サブ制御メイン処理（後述）において、サブ制御基板９０から画像制御基板１００、音声制御基板１０６、ランプ制御基板１０７、中継基板１０８に出力されるコマンドがセットされる領域（出力バッファ）であり、変動演出開始コマンド、変動終了前コマンド、変動演出終了コマンド、オープニング演出開始コマンド、ラウンド演出開始コマンド、エンディング演出開始コマンドなどがセットされる。事前判定情報記憶領域９４ｃは、サブ制御メイン処理（後述）において、事前判定情報が記憶される。カウンタセット領域９４ｄは、サブ制御メイン処理（後述）において使用されるカウンタがセットされる領域であり、乱数カウンタ、第１特図保留演出カウンタ、第２特図保留演出カウンタ、普図保留演出カウンタ、確変演出カウンタ、時短演出カウンタなどがセットされる。
【００６５】
図７は、遊技機１において使用される各種の乱数を説明するための図である。図７（Ａ）は、メイン制御部側の遊技制御用マイコン８１が取得する乱数を示しており、図７（Ｂ）は、サブ制御部側の演出制御用マイコン９１が取得する乱数を示している。遊技制御用マイコン８１は、「大当たり乱数」と、「大当たり種別乱数」と、「リーチ乱数」と、「変動パターン乱数」と、「普通図柄乱数（当たり乱数）」と、「小当たり乱数」とを後述するタイミングにおいて取得するように構成されている。「大当たり乱数」は、大当たりか否かの抽選（大当たり判定）に用いられる乱数であり、０〜６５５３５までの範囲の値をとる。「大当たり種別乱数」は、当選した大当たりの種別の抽選（大当たり種別判定）に用いられる乱数であり、０〜１２７までの範囲の値をとる。「リーチ乱数」は、大当たり判定がハズレである場合に、その結果を示す演出図柄変動演出においてリーチを発生させるか否かを決定するために用いられる乱数であり、０〜１２７までの範囲の値をとる。リーチとは、複数の演出図柄（装飾図柄）のうち変動表示されている演出図柄が残り１つとなっている状態であって、変動表示されている演出図柄がどの図柄で停止表示されるか次第で大当たり当選を示す演出図柄の組み合わせとなる状態（例えば、「７↓７」の状態）のことである。なお、リーチ状態において停止表示されている演出図柄は、表示画面７ａ内で揺れているように表示されてもよい。「変動パターン乱数」は、変動時間を含む変動パターンを決定するために用いられる乱数であり、０〜１２７までの範囲の値をとる。「普通図柄乱数（当たり乱数）」は、電チュー２２を開放させる補助遊技をおこなうか否かの抽選（普通図柄抽選）に用いられる。普通図柄乱数は、０〜２５５までの範囲の値をとる。「小当たり乱数」は、小当たりか否かの抽選（小当たり判定）に用いられる乱数であり、０〜１２７までの範囲の値をとる。「大当たり乱数」、「大当たり種別乱数」、「リーチ乱数」、「変動パターン乱数」は、第１始動口２０または第２始動口２１への入球に基づいて取得される。「小当たり乱数」は、第２始動口２１への入球に基づいて取得される。第１始動口２０への入球に基づいて取得された乱数値群は第１特図保留記憶領域８５ａに記憶され、第２始動口２１への入球に基づいて取得された乱数値群は第２特図保留記憶領域８５ｂに記憶される。「普通図柄乱数（当たり乱数）」は、ゲート２８の通過に基づいて取得される。取得された普通図柄乱数値は、普図保留記憶領域８６に記憶される。
【００６６】
演出制御用マイコン９１は、「先読み演出乱数」と、「チャンスアップ乱数」と、を後述するタイミングにおいて取得するように構成されている。「先読み演出乱数」は、変動演出時の先読み演出を決定するために用いられる乱数であり、０〜１２７までの範囲の値をとる。「チャンスアップ乱数」は、変動演出時のチャンスアップ演出を決定するために用いられる乱数であり、０〜１２７までの範囲の値をとる。「先読み演出乱数」は、メイン制御部側からサブ制御部側に事前判定コマンドが出力されたことに基づいて取得される。取得された乱数値群はサブＲＡＭ９４に記憶される。「チャンスアップ乱数」は、メイン制御部側からサブ制御部側に変動開始コマンドが出力されたことに基づいて取得される。取得された乱数値はサブＲＡＭ９４に記憶される。
【００６７】
図８は、判定テーブルＴ１〜Ｔ４、Ｔ１０を説明するための図である。図８（Ａ）には、大当たり判定テーブルＴ１を説明するための図が示され、図８（Ｂ）には、リーチ判定テーブルＴ２を説明するための図が示され、図８（Ｃ）には、普通図柄当たり判定テーブルＴ３を説明するための図が示され、図８（Ｄ）には、普通図柄変動パターン判定テーブルＴ４を説明するための図が示され、図８（Ｅ）には、小当たり判定テーブルＴ１０を説明するための図が示されている。
【００６８】
大当たり判定テーブルＴ１は、遊技制御用マイコン８１が主制御メイン処理（後述）において、取得した大当たり乱数値（０〜６５５３５のいずれか）が「大当たり」に該当するか「ハズレ」に該当するかを判定するために参照されるテーブルである。図８（Ａ）では、「通常確率状態」において、大当たり乱数値が「０〜１６４」の場合には、「大当たり」と判定され（約確率１／３９７）、大当たり乱数値が「０〜１６４以外の数値（１６５〜６５５３５）」の場合には、「ハズレ」と判定されることが示されている。また、「高確率状態」において、大当たり乱数値が「０〜６４９」の場合には、「大当たり」と判定され（約確率１／１０１）、大当たり乱数値が「０〜６４９以外の数値（６５０〜６５５３５）」の場合には、「ハズレ」と判定されることが示されている。「通常確率状態」および「高確率状態」の内容については後述する。
【００６９】
リーチ判定テーブルＴ２は、遊技制御用マイコン８１が主制御メイン処理（後述）において、取得したリーチ乱数値（０〜１２７のいずれか）が「リーチ有り」に該当するか「リーチ無し」に該当するかを判定するために参照されるテーブルである。なお、このリーチ判定テーブルＴ２は、上記の取得した大当たり乱数値が「大当たり」に該当している場合は参照されない。図８（Ｂ）では、「非時短状態」において、リーチ乱数値が「０〜１３」の場合には、「リーチ有り」と判定され、リーチ乱数値が「０〜１３以外の数値（１４〜１２７）」の場合には、「リーチ無し」と判定されることが示されている。また、「時短状態」において、リーチ乱数値が「０〜５」の場合には、「リーチ有り」と判定され、リーチ乱数値が「０〜５以外の数値（６〜１２７）」の場合には、「リーチ無し」と判定されることが示されている。「時短状態」および「非時短状態」の内容については後述する。リーチ判定テーブルＴ２では、時短状態の方が非時短状態よりもハズレ時のリーチがかかりにくくなっている。これは、時短状態において変動時間の短いリーチ無しハズレがより多く選択されることで、特図保留の消化スピードを速めるためである。
【００７０】
普通図柄当たり判定テーブルＴ３は、遊技制御用マイコン８１が主制御メイン処理（後述）において、取得した普通図柄乱数値（０〜２５５のいずれか）が「当たり」に該当するか「ハズレ」に該当するかを判定するために参照されるテーブルである。図８（Ｃ）では、「非時短状態」において、普通図柄乱数値が「０〜２」の場合には、「当たり」と判定され、普通図柄乱数値が「０〜２以外の数値（３〜２５５）」の場合には、「ハズレ」と判定されることが示されている。また、「時短状態」において、普通図柄乱数値が「０〜２５４」の場合には、「当たり」と判定され、普通図柄乱数値が「０〜２５４以外の数値（２５５）」の場合には、「ハズレ」と判定されることが示されている。
【００７１】
普通図柄変動パターン判定テーブルＴ４は、遊技制御用マイコン８１が主制御メイン処理（後述）において、遊技状態（非時短状態か時短状態か）に応じて、普通図柄の変動時間が何秒かを判定するために参照されるテーブルである。図８（Ｄ）では、「非時短状態」のとき、普通図柄の変動時間は「３０秒」と判定され、「時短状態」のとき、普通図柄の変動時間が「１秒」と判定されることが示されている。
【００７２】
小当たり判定テーブルＴ１０は、遊技制御用マイコン８１が主制御メイン処理（後述）において、取得した小当たり乱数値（０〜１２７のいずれか）が「小当たり」に該当するか「ハズレ」に該当するかを判定するために参照されるテーブルである。なお、この小当たり判定テーブルＴ１０は、上記の取得した大当たり乱数値が「大当たり」に該当している場合は参照されない。図８（Ｅ）では、全状態において（遊技状態を問わず）、小当たり乱数値が「０〜６３」の場合には、「小当たり」と判定され（確率１／２）、小当たり乱数値が「０〜６３以外の数値（６４〜１２７）」の場合には、「ハズレ」と判定されることが示されている。なお、小当たり判定テーブルＴ１０は、第２始動口２１に遊技球が入賞したときに参照される（第１始動口２０に遊技球が入賞したときは参照されない）テーブルである。また、小当たり判定テーブルＴ１０は、「大当たり」と判定されたときは、参照されないテーブルである。
【００７３】
図９は、大当たり種別判定テーブルＴ５を説明するための図である。大当たり種別判定テーブルＴ５は、遊技制御用マイコン８１が主制御メイン処理（後述）において、取得した大当たり種別乱数値（０〜１２７のいずれか）に応じて、「大当たりの種別」と「特別図柄の種類」を判定するために参照されるテーブルである。図９では、第１特別図柄（特図１）の抽選において当選したとき、大当たり種別乱数値が「０〜２４」の場合には、大当たり種別が「１６ＲＶ通過予定大当たり」と判定され、特図１の停止図柄（特図停止図柄）が「大当たり図柄１」と判定される。大当たり種別乱数値が「２５〜４９」の場合には、大当たり種別が「１６ＲＶ通過予定大当たり」と判定され、特図停止図柄が「大当たり図柄２」と判定される。大当たり種別乱数値が「５０〜５５」の場合には、大当たり種別が「１６Ｒ（実質１５Ｒ）Ｖ通過予定大当たり」と判定され、特図停止図柄が「大当たり図柄３」と判定される。大当たり種別乱数値が「５６〜６７」の場合には、大当たり種別が「１６Ｒ（実質１３Ｒ）Ｖ通過予定大当たり」と判定され、特図停止図柄が「大当たり図柄４」と判定される。大当たり種別乱数値が「６８〜１２７」の場合には、大当たり種別が「１６Ｒ（実質１３Ｒ）Ｖ非通過予定大当たり」と判定され、特図停止図柄が「大当たり図柄５」と判定される。一方、第２特別図柄（特図２）の抽選において当選したとき、大当たり種別乱数値が「０〜４０」の場合には、大当たり種別が「１６ＲＶ通過予定大当たり」と判定され、特図２の停止図柄（特図停止図柄）が「大当たり図柄１」と判定される。大当たり種別乱数値が「４１〜８２」の場合には、大当たり種別が「１６ＲＶ通過予定大当たり」と判定され、特図２の停止図柄（特図停止図柄）が「大当たり図柄２」と判定される。大当たり種別乱数値が「８３〜１２７」の場合には、大当たり種別が「１６Ｒ（実質１３Ｒ）Ｖ非通過予定大当たり」と判定され、特図停止図柄が「大当たり図柄５」と判定される。なお、大当たり種別判定テーブルＴ５を参照することによって、特図停止図柄に対応する「特図停止図柄データ」、特別遊技の「オープニング（ＯＰ）コマンド」、「ラウンド指定コマンド」、「エンディング（ＥＤ）コマンド」も特定することができる。「１６ＲＶ通過予定大当たり」、「１６Ｒ（実質１５Ｒ）Ｖ通過予定大当たり」、「１６Ｒ（実質１３Ｒ）Ｖ通過予定大当たり」および「１６Ｒ（実質１３Ｒ）Ｖ非通過予定大当たり」の具体的な内容については後述する。
【００７４】
図１０は、非時短状態時の変動パターン判定テーブルＴ６を説明するための図である。図１１は、時短状態時の変動パターン判定テーブルＴ６を説明するための図である。変動パターン判定テーブルＴ６は、遊技制御用マイコン８１が主制御メイン処理（後述）において、取得した変動パターン乱数値（０〜１２７）に応じて、変動パターンを判定するために参照されるテーブルである。
図１０では、例えば、非時短状態において第１始動口２０に入賞し、大当たり判定テーブルＴ１において「ハズレ」と判定され、リーチ判定テーブルＴ２において「リーチ有り」と判定され、保留球数が「１〜２」であり、変動パターン乱数値が「０〜６０」の場合には、変動パターンが「Ｐ７」と判定されることが示されている。また、非時短状態において第２始動口２１の保留を消化（非時短状態において第２始動口２１への入賞は困難なため、時短状態（高確高ベース状態）が終了して通常状態（非時短状態、低確低ベース状態）になったとき、第２始動口２１の保留を消化）し、大当たり判定テーブルＴ１において「大当たり」と判定され、大当たり種別判定テーブルＴ５において「１６ＲＶ通過予定大当たり」、「大当たり図柄２（２１Ｈ）」と判定され、変動パターン乱数値が「０〜１２７」の場合には、変動パターンが「Ｐ２２」と判定されることが示されている。また、非時短状態において第２始動口２１の保留を消化し、小当たり判定テーブルＴ１０において「小当たり」と判定され、変動パターン乱数値が「０〜１２７」の場合には、変動パターンが「Ｐ３４」と判定されることが示されている。
【００７５】
図１１では、例えば、時短状態において第１始動口２０に入賞し、大当たり判定テーブルＴ１において「ハズレ」と判定され、リーチ判定テーブルＴ２において「リーチ無し」と判定され、保留球数が「３〜４」であり、変動パターン乱数値が「０〜１２７」の場合には、変動パターンが「Ｐ５６」と判定されることが示されている。また、時短状態において第２始動口２１に入賞し、大当たり判定テーブルＴ１において「大当たり」と判定され、大当たり種別判定テーブルＴ５において「１６ＲＶ通過予定大当たり」、「大当たり図柄２（２１Ｈ）」と判定され、変動パターン乱数値が「０〜１２７」の場合には、変動パターンが「Ｐ６２」と判定されることが示されている。また、時短状態において第２始動口２１に入賞し、小当たり判定テーブルＴ１０において「小当たり」と判定され、変動パターン乱数値が「０〜１２７」の場合には、変動パターンが「Ｐ７４」と判定されることが示されている。
【００７６】
図１０，１１に示されるように、変動パターンが決定されれば、変動時間も決定される。例えば、非時短状態において第２始動口２１の保留を消化し、小当りと判定された場合、変動パターンが「Ｐ３４」と判定され、変動時間は１５０００msecに決定される。また、時短状態において第２始動口２１に入賞し、小当りと判定された場合、変動パターンが「Ｐ７４」と判定され、変動時間は３０００msecに決定される。なお、時短状態（高確高ベース状態）中は、次の大当たりになるまで後述する小当たりラッシュ（ＲＵＳＨ）期間中でもあり、つまり、小当たりラッシュ期間中では、第２始動口２１に入賞したとき変動時間は３０００msecで小当り確率が１／２なので、短時間で頻繁に小当りが発生する。そして、小当たりラッシュ期間中では、手持ちの遊技球を増加させながら大当たりを狙うことができる。また、リーチになる場合に、そのリーチがノーマルリーチとなるのかスーパーリーチ（ＳＰリーチ）となるのかも決定される。スーパーリーチとは、ノーマルリーチよりもリーチ後の変動時間が長いリーチ演出である。ここでは、変動時間の異なる５種類のスーパーリーチ（ＳＰ１、ＳＰ２、ＳＰ３，ＳＰ４，ＳＰ５）が設定されている。ＳＰ１〜３では、ノーマルリーチを経て発展的に実行される。ＳＰ１〜５の違いは、例えば、疑似連の有無であってもよい。特にＳＰ５は、後述する時短状態（高確高ベース状態）に発生する小当たりラッシュ（ＲＵＳＨ）期間中に、第２始動口２１に入賞して疑似大当たり示唆演出がおこなわれる専用リーチの変動パターン（「Ｐ６２」）となっている。なお、ＳＰ５は、時短状態（高確高ベース状態）が終了して通常状態（非時短状態、低確低ベース状態）になったときの、第２始動口２１の保留消化中にも発生する場合があり、この場合にも疑似大当たり示唆演出がおこなわれ得る（変動パターン「Ｐ２２」）。
【００７７】
図１２は、電チュー開放パターン判定テーブルＴ７を説明するための図である。電チュー開放パターン判定テーブルＴ７は、遊技制御用マイコン８１が主制御メイン処理（後述）において、遊技状態（非時短状態か時短状態か）に応じて、電チュー２２の開放パターンを判定するために参照されるテーブルである。図１２（Ａ）では、「非時短状態」のとき、電チュー２２の開放パターンは「開放パターン１１」と判定され、「時短状態」のとき、開放パターンは「開放パターン１２」と判定されることが示されている。図１２（Ｂ）には、開放パターン１１と開放パターン１２の内容が示されている。開放パターン１１では、開放回数１回、開放時間０．２秒の電チュー２２の開放をおこなう。開放パターン１２では、開放回数が３回、１回あたりの開放時間２．０秒、インターバル（開放間隔）１．０秒の電チュー２２の開放をおこなう。ただし、この電チュー２２の開放は、予め定められた数の遊技球の入賞（規定入賞数、最大１０個）があった場合、開放時間が残っていても閉鎖される。
【００７８】
図１３は、大入賞口開放パターン判定テーブルＴ８を説明するための図である。大入賞口開放パターン判定テーブルＴ８は、遊技制御用マイコン８１が主制御メイン処理（後述）において、特図停止図柄データ（図９）に応じて、第１大入賞口３０および第２大入賞口３５の開放パターンを判定するために参照されるテーブルである。図１３（Ａ）では、大当たり遊技における大入賞口開放パターンとして、特図停止図柄データが「１１Ｈ」、「１２Ｈ」、「２０Ｈ」、または、「２１Ｈ」のとき、第１大入賞口３０および第２大入賞口３５の開放パターンは「開放パターン２１」と判定され、特図停止図柄データが「１４Ｈ」、「１５Ｈ」、「２２Ｈ」のとき、第１大入賞口３０および第２大入賞口３５の開放パターンは「開放パターン２２」と判定され、特図停止図柄データが「１３Ｈ」のとき、第１大入賞口３０および第２大入賞口３５の開放パターンは「開放パターン２３」と判定されることが示されている。また、図１３（Ａ）では、小当たり遊技における大入賞口開放パターンとして、特図停止図柄データが「２０Ｈ」のとき、第２大入賞口３５の開放パターンは「開放パターン２５」と判定され、特図停止図柄データが「２１Ｈ」のとき、第２大入賞口３５の開放パターンは「開放パターン２６」と判定されることが示されている。
図１３（Ｂ）には、大当たり遊技における大入賞口開放パターンとして、開放パターン２１、開放パターン２２および開放パターン２３の内容が示されている。開放パターン２１では１〜１３、１５Ｒ目において、開放回数１回、開放時間２９．５秒の第１大入賞口３０の開放（ロング開放）をおこない、１４、１６Ｒ目において、開放回数１回、開放時間２９．５秒の第２大入賞口３５の開放（ロング開放）をおこなう。開放パターン２２では１〜１３Ｒ目において、開放回数１回、開放時間２９．５秒の第１大入賞口３０の開放（ロング開放）をおこない、１４、１６Ｒ目において、開放回数１回、開放時間０．１秒の第２大入賞口３５の開放（ショート開放）をおこない、１５Ｒ目において、開放回数１回、開放時間０．１秒の第１大入賞口３０の開放（ショート開放）をおこなう。開放パターン２３では１〜１３、１５Ｒ目において、開放回数１回、開放時間２９．５秒の第１大入賞口３０の開放（ロング開放）をおこない、１４Ｒ目において、開放回数１回、開放時間０．１秒の第２大入賞口３５の開放（ショート開放）をおこない、１６Ｒ目において、開放回数１回、開放時間２９．５秒の第２大入賞口３５の開放（ロング開放）をおこなう。ただし、第１大入賞口３０および第２大入賞口３５の開放は、予め定められた数の遊技球の入賞（規定入賞数、最大９個）があった場合、開放時間が残っていても閉鎖される。
図１３（Ｃ）には、小当たり遊技における大入賞口開放パターンとして、開放パターン２５および開放パターン２６の内容が示されている。開放パターン２５では開放回数１回、開放時間１．０秒の第２大入賞口３５の開放をおこなう。開放パターン２６では開放回数５回、開放時間０．３秒の第２大入賞口３５の開放をおこなう。つまり、小当たり遊技においては、第１大入賞口３０は開放せず、第２大入賞口３５のみが開放する。なお、開放パターン２５は、特図２の大当たり図柄１（２０Ｈ）により「１６ＲＶ通過予定大当たり」したとき、当該大当たり遊技終了後の小当たりラッシュ期間中、および、当該小当たりラッシュ終了後の第２始動口２１の保留を消化中におこなわれる。開放パターン２６は、特図２の大当たり図柄２（２１Ｈ）により「１６ＲＶ通過予定大当たり」したとき、当該大当たり遊技終了後の小当たりラッシュ期間中、および、当該小当たりラッシュ終了後の第２始動口２１の保留を消化中におこなわれる。すなわち、開放パターン２６は、後述の疑似大当たり示唆演出がおこなわれる専用リーチ（ＳＰ５）の変動パターン（「Ｐ６２」）を経由して大当たりになったときの、当該大当たり遊技後におこなわれる小当り遊技の開放パターンとなっている。言い換えれば、疑似大当たり示唆演出を経由して大当たりになったときと、疑似大当たり示唆演出を経由しないで大当たりになったときとで、小当たり遊技における大入賞口開放パターンが相違している。
【００７９】
図１４は、Ｖ開閉部材開放パターン判定テーブルＴ９を説明するための図である。Ｖ開閉部材開放パターン判定テーブルＴ９は、遊技制御用マイコン８１が主制御メイン処理（後述）において、特図停止図柄データ（図９）に応じて、Ｖ開閉部材７１の開放パターンを判定するために参照されるテーブルである。図１４（Ａ）では、特図停止図柄データが「１１Ｈ」、「１２Ｈ」、「２０Ｈ」、または、「２１Ｈ」のとき、Ｖ開閉部材７１の開放パターンは「開放パターン３１」と判定され、特図停止図柄データが「１３Ｈ」のとき、開放パターンは「開放パターン３２」と判定され、特図停止図柄データが「１４Ｈ」のとき、開放パターンは「開放パターン３３」と判定され、特図停止図柄データが「１５Ｈ」または「２２Ｈ」のとき、開放パターンは「開放パターン３４」と判定されることが示されている。図１４（Ｂ）には、開放パターン３１、開放パターン３２、開放パターン３３、および、開放パターン３４の内容が示されている。開放パターン３１では２、４、６、８Ｒ目において、第１大入賞口３０に１個目の入賞があったとき開放時間０．１秒のＶ開閉部材７１のショート開放をおこなう。１０、１２Ｒ目において、第１大入賞口３０に１個目の入賞があったとき開放時間０．１秒のＶ開閉部材７１のショート開放をおこない、２個目の入賞があったとき開放時間最大３１．５秒のＶ開閉部材７１のロング開放をおこなう。開放パターン３２では２、４、６、１２Ｒ目において、第１大入賞口３０に１個目の入賞があったとき開放時間０．１秒のＶ開閉部材７１のショート開放をおこなう。８、１０Ｒ目において、第１大入賞口３０に１個目の入賞があったとき開放時間０．１秒のＶ開閉部材７１のショート開放をおこない、２個目の入賞があったとき開放時間最大３１．５秒のＶ開閉部材７１のロング開放をおこなう。開放パターン３３では２、６Ｒ目において、第１大入賞口３０に１個目の入賞があったとき開放時間０．１秒のＶ開閉部材７１のショート開放をおこない、２個目の入賞があったとき開放時間最大３１．５秒のＶ開閉部材７１のロング開放をおこなう。４、８、１０、１２Ｒ目において、第１大入賞口３０に１個目の入賞があったとき開放時間０．１秒のＶ開閉部材７１のショート開放をおこなう。開放パターン３４では２、４、６、８、１０、１２Ｒ目において、第１大入賞口３０に１個目の入賞があったとき開放時間０．１秒のＶ開閉部材７１のショート開放をおこなう。
【００８０】
４．大当たり等の説明
遊技機１では、大当たり抽選（特別図柄抽選）の結果としての「大当たり」と「小当たり」と「ハズレ」がある。「大当たり」の場合には、特別図柄表示器４１に「大当たり図柄」が停止表示される。「小当たり」の場合には、特別図柄表示器４１に「小当たり図柄」が停止表示される。「ハズレ」のときには、特別図柄表示器４１に「ハズレ図柄」が停止表示される。大当たりに当選すると、停止表示された特別図柄の種類（大当たりの種類）に応じた開放パターンにて、大入賞口（第１大入賞口３０および第２大入賞口３５）を開放させる「大当たり遊技」が実行される。大当たり遊技は、特別遊技の一例である。大当たり遊技は、複数回のラウンド遊技（単位開放遊技）と、初回のラウンド遊技が開始される前のオープニング（ＯＰ）と、最終回のラウンド遊技が終了した後のエンディング（ＥＤ）とを含んでいる。各ラウンド遊技は、オープニングの終了、または、前のラウンド遊技の終了によって開始し、次のラウンド遊技の開始によって終了する。ラウンド遊技間の大入賞口の閉鎖の時間（インターバル時間）は、その閉鎖前の開放ラウンド遊技に含まれる。小当たりに当選すると、後述の小当たりラッシュ発生の契機となった大当たりの種類に応じた開放パターンにて、大入賞口（第２大入賞口３５）を開放させる「小当たり遊技」が実行される。
【００８１】
大当たりには複数の種別がある。大当たりの種別については、図９に示すとおりである。ここでは、大当たりの種別としては、大きく分けて「Ｖ通過予定大当たり」と「Ｖ非通過予定大当たり」の２つある。
「Ｖ通過予定大当たり（確変大当たり）」は、その大当たり遊技中にＶ領域３９への遊技球の通過が可能な開放パターン（Ｖ通過予定開放パターン）で開閉部材３２、開閉部材３７およびＶ開閉部材７１を作動させる大当たりである。また、「Ｖ通過予定大当たり（確変大当たり）」は、当該大当たり遊技の終了後から次の大当たり遊技が開始されるまで、遊技状態が高確高ベース状態となり、その期間は第２始動口２１に頻繁に入賞して小当りが発生する小当たりラッシュ期間となる。ここでは、特図停止図柄データが１１Ｈ〜１４Ｈ，２０Ｈ，２１Ｈの大当たりが「Ｖ通過予定大当たり（確変大当たり）」に該当する。図１３に示す開閉部材３２および開閉部材３７の開放パターンと、図１４に示すＶ開閉部材７１の開放パターンとの組み合わせが、（開放パターン２１：開放パターン３１）、（開放パターン２２：開放パターン３３）、または（開放パターン２３：開放パターン３２）のとき、その大当たり遊技中にＶ領域３９への遊技球の通過が可能となる。
「Ｖ非通過予定大当たり（通常大当たり）」は、その大当たり遊技中にＶ領域３９への遊技球の通過が不可能な開放パターン（Ｖ非通過予定開放パターン）で開閉部材３２、開閉部材３７およびＶ開閉部材７１を作動させる大当たりである。なお、「Ｖ非通過予定大当たり（通常大当たり）」は、当該大当たり遊技の終了後は遊技状態が低確低ベース状態となり、その期間は第２始動口２１への入賞が困難になり、したがって当該大当たり遊技終了後の小当たりラッシュ期間は発生しない。ここでは、特図停止図柄データが１５Ｈ、２２Ｈの大当たりが「Ｖ非通過予定大当たり」に該当する。図１３に示す開閉部材３２および開閉部材３７の開放パターンと、図１４に示すＶ開閉部材７１の開放パターンとの組み合わせが（開放パターン２２：開放パターン３４）のとき、その大当たり遊技中にＶ領域３９への遊技球の通過が不可能となる。
上記のように、開閉部材３２および開閉部材３７の開放パターン２２は、Ｖ通過予定開放パターンとＶ非通過予定開放パターンとを兼ねている。
【００８２】
「Ｖ通過予定大当たり」は、「１６ＲＶ通過予定大当たり」と、「１６Ｒ（実質１３Ｒ）Ｖ通過予定大当たり」と、「１６Ｒ（実質１５Ｒ）Ｖ通過予定大当たり」と、を含んでいる。「１６ＲＶ通過予定大当たり」は、実質的な総ラウンド数が１６Ｒである。１Ｒから１３Ｒまでと１５Ｒは第１大入賞口３０を１Ｒ当たり最大２９．５秒にわたって開放する。１４Ｒと１６Ｒは第２大入賞口３５を１Ｒ当たり最大２９．５秒にわたって開放する（図１３：開放パターン２１）。１０Ｒおよび１２Ｒでは、Ｖ開閉部材７１がロング開放され（図１４：開放パターン３１）、第１大入賞口３０内のＶ領域３９への通過が容易に可能である。
【００８３】
「１６Ｒ（実質１３Ｒ）Ｖ通過予定大当たり」は、総ラウンド数は１６Ｒであるものの、実質的な総ラウンド数は１３Ｒである。つまり、１Ｒから１３Ｒまでは第１大入賞口３０を１Ｒ当たり最大２９．５秒にわたって開放するが、１５Ｒでは第１大入賞口３０を１Ｒ当たり０．１秒しか開放せず、また、１４Ｒと１６Ｒでも第２大入賞口３５を１Ｒ当たり０．１秒しか開放しない（図１３：開放パターン２２）。従って、この「１６Ｒ（実質１３Ｒ）Ｖ通過予定大当たり」では１４Ｒから１６Ｒまでは、大入賞口の開放時間が極めて短く、賞球の見込めないラウンドとなっている。つまり、「１６Ｒ（実質１３Ｒ）Ｖ通過予定大当たり」は、実質１３Ｒの大当たりとなっている。２Ｒおよび６Ｒでは、Ｖ開閉部材７１がロング開放され（図１４：開放パターン３３）、第１大入賞口３０内のＶ領域３９への通過が容易に可能である。
【００８４】
「１６Ｒ（実質１５Ｒ）Ｖ通過予定大当たり」は、総ラウンド数は１６Ｒであるものの、実質的な総ラウンド数は１５Ｒである。つまり、１Ｒから１３Ｒまでと１５Ｒは第１大入賞口３０を１Ｒ当たり最大２９．５秒にわたって開放し、１６Ｒでは第２大入賞口３５を１Ｒ当たり最大２９．５秒にわたって開放するが、１４Ｒでは第２大入賞口３５を１Ｒ当たり０．１秒しか開放しない（図１３：開放パターン２３）。従って、この「１６Ｒ（実質１５Ｒ）Ｖ通過予定大当たり」では１４Ｒは、大入賞口の開放時間が極めて短く、賞球の見込めないラウンドとなっている。つまり、「１６Ｒ（実質１５Ｒ）Ｖ通過予定大当たり」は、実質１５Ｒの大当たりとなっている。８Ｒおよび１０Ｒでは、Ｖ開閉部材７１がロング開放され（図１４：開放パターン３２）、第１大入賞口３０内のＶ領域３９への通過が容易に可能である。
【００８５】
「Ｖ非通過予定大当たり」は、総ラウンド数は１６Ｒであるものの、実質的な総ラウンド数は１３となる開放パターン２２の「１６Ｒ（実質１３Ｒ）Ｖ非通過予定大当たり」である。つまり、１Ｒから１３Ｒまでは第１大入賞口３０を１Ｒ当たり最大２９．５秒にわたって開放するが、１５Ｒでは第１大入賞口３０を１Ｒ当たり０．１秒しか開放せず、また、１４Ｒと１６Ｒでも第２大入賞口３５を１Ｒ当たり０．１秒しか開放しない（図１３：開放パターン２２）。従って、この「１６Ｒ（実質１３Ｒ）Ｖ非通過予定大当たり」では１４Ｒから１６Ｒまでは、大入賞口の開放時間が極めて短く、賞球の見込めないラウンドとなっている。つまり、「１６Ｒ（実質１３Ｒ）Ｖ非通過予定大当たり」は実質１３Ｒの大当たりとなっている。２Ｒ，４Ｒ，６Ｒ，８Ｒ，１０Ｒおよび１２Ｒでは、Ｖ開閉部材７１は開放されるもののその開放はショート開放であり（図１４：開放パターン３４）、第１大入賞口３０内のＶ領域３９に遊技球が通過することはほぼ不可能となっている。
【００８６】
また、図９に示すように、第１特別図柄（特図１）の抽選における大当たりの振分率は、Ｖ通過予定大当たり（小当たりラッシュ付き大当たり）が６８／１２８（約５３％）、Ｖ非通過予定大当たりが６０／１２８（約４７％）となっている。これに対して、第２特別図柄（特図２）の抽選における大当たりの振り分け率は、Ｖ通過予定大当たり（小当たりラッシュ付き大当たり）が８３／１２８（約６４．８％）、Ｖ非通過予定大当たりが４５／１２８（約３５．２％）となっている。このように遊技機１では、第１始動口２０に遊技球が入賞して行われる大当たり抽選（第１特別図柄の抽選）よりも、第２始動口２１に遊技球が入賞して行われる大当たり抽選（第２特別図柄の抽選）の方が、遊技者にとって有利となるように設定されている。
【００８７】
５．遊技状態の説明
遊技機１の遊技状態について説明する。遊技制御用マイコン８１は、特別図柄表示器４１に表示する特別図柄および普通図柄表示器４２に表示する普通図柄に対して、それぞれ、「確率変動制御」と「変動時間短縮制御」とを実行可能である。ここでは、遊技制御用マイコン８１が特別図柄表示器４１の特別図柄に対して確率変動制御している状態を「高確率状態（高確状態、確率変動状態、確変状態）」と呼び、確率変動制御していない状態を単に「通常確率状態（非高確率状態、低確率状態、通常状態）」と呼ぶ。遊技制御用マイコン８１は、特別図柄の確率変動制御として、大当たりと判定される大当たり乱数値の数が通常確率状態よりも高確率状態の方が多い大当たり判定テーブル（図８（Ａ））を用いた大当たり判定をおこなうことにより、高確率状態を実現する。従って、高確率状態は、通常確率状態よりも大当たりの確率が高くなる。つまり、遊技制御用マイコン８１が特別図柄表示器４１の特別図柄に対して確率変動制御を実行している場合には、確率変動制御を実行していない場合と比べて、特別図柄表示器４１による特別図柄の可変表示の表示結果（停止図柄）が大当たり図柄となる確率が高くなる。
【００８８】
また、遊技制御用マイコン８１が特別図柄表示器４１の特別図柄に対して変動時間短縮制御している状態を「時短状態」といい、変動時間短縮制御していない状態を単に「非時短状態」という。時短状態は、特別図柄の変動時間（変動表示開始時から表示結果の導出表示時までの時間）が、非時短状態よりも短くなっている。遊技制御用マイコン８１は、時短状態のときに、変動時間の短い変動パターンが選択されることが非時短状態よりも多くなるように定められた変動パターン判定テーブルＴ６（図１０、図１１）を用いた変動パターンの判定をおこなう。つまり、遊技制御用マイコン８１が特別図柄表示器４１の特別図柄に対して変動時間短縮制御を実行している場合には、変動時間短縮制御を実行していない場合と比べて、特別図柄の可変表示の変動時間として短い変動時間が選択されやすくなる。その結果、時短状態では、特図保留の消化のペースが速くなり、始動口への有効な入賞（特図保留として記憶され得る入賞）が発生しやすくなる。これにより、スムーズな遊技の進行のもとで大当たりを狙うことができる。なお、遊技制御用マイコン８１は、特別図柄表示器４１の特別図柄に対して、確率変動制御と変動時間短縮制御とを同時に実行することもあるし、片方のみ実行することもある。ただし、本例では、後述するように、確率変動制御と変動時間短縮制御とを同時に実行する実施形態が示される。
【００８９】
遊技制御用マイコン８１は、普通図柄表示器４２の普通図柄に対する確率変動制御および変動時間短縮制御を、特別図柄表示器４１の特別図柄に対する変動時間短縮制御に同期して実行する。すなわち、遊技制御用マイコン８１は、普通図柄に対する確率変動制御および変動時間短縮制御を、時短状態の場合は実行し、非時短状態の場合には実行しない。遊技制御用マイコン８１は、普通図柄の確率変動制御として、当たりと判定される普通図柄乱数値（当たり乱数値）の数が非時短状態よりも時短状態の方が多い普通図柄当たり判定テーブルＴ３（図８（Ｃ））を用いて、当たり判定（普通図柄の判定）をおこなう。従って、時短状態では、普通図柄通常確率状態よりも当たり確率が高くなる。つまり、遊技制御用マイコン８１が普通図柄表示器４２の普通図柄に対して確率変動制御を実行している場合には、確率変動制御を実行していない場合と比べて、普通図柄表示器４２による普通図柄の可変表示の表示結果（停止図柄）が当たり図柄となる確率が高くなる。時短状態では、普通図柄の変動時間が非時短状態よりも短くなっている。ここでは、普通図柄の変動時間は非時短状態では３０秒であるが、時短状態では１秒である（図８（Ｄ））。さらに時短状態では、補助遊技における電チュー２２の開放時間が、非時短状態よりも長くなっている（図１２）。すなわち、遊技制御用マイコン８１は、電チュー２２に対して開放時間延長制御を実行している。加えて、時短状態では、補助遊技における電チュー２２の開放回数が非時短状態よりも多くなっている（図１２）。すなわち、遊技制御用マイコン８１は、電チュー２２に対して開放回数増加制御を実行している。遊技制御用マイコン８１が、普通図柄表示器４２の普通図柄に対する確率変動制御と変動時間短縮制御、および、電チュー２２に対する開放時間延長制御と開放回数増加制御とを実行している状況下では、これらの制御を実行していない場合と比べて、電チュー２２が頻繁に開放され、第２始動口２１へ遊技球が頻繁に入賞することとなる。その結果、発射球数に対する賞球数の割合であるベースが高くなる。従って、これらの制御が実行されている状態を「高ベース状態」といい、実行されていない状態を「低ベース状態」という。高ベース状態では、手持ちの遊技球を大きく減らすことなく大当たりを狙うことができる。なお、高ベース状態とは、いわゆる電サポ制御（電チュー２２により第２始動口２１への入賞をサポートする制御）が実行されている状態である。高ベース状態（電サポ制御状態）は、上記の全ての制御を実行するものでなくてもよい。すなわち、普通図柄表示器４２の普通図柄に対する確率変動制御、普通図柄表示器４２の普通図柄に対する変動時間短縮制御、電チュー２２に対する開放時間延長制御、および、電チュー２２に対する開放回数増加制御のうち一つ以上の制御を実行することによって、その制御が実行されていないときよりも電チュー２２が開放され易くなっていればよい。また、高ベース状態（電サポ制御状態）は、時短状態に付随せずに独立して制御されるようにしてもよい。
【００９０】
遊技機１では、Ｖ通過予定大当たりへの当選による大当たり遊技後の遊技状態は、その大当たり遊技中にＶ領域３９への通過がなされていれば、高確率状態かつ時短状態かつ高ベース状態である。この遊技状態を特に、「高確高ベース状態」、または、「高確時短状態」という。高確高ベース状態は、１００００回の特別図柄の可変表示が実行されることにより終了する。すなわち、高確高ベース状態は、実質、次の大当たり（次回大当たり）に当選してその大当たり遊技が実行されることにより終了する。また、Ｖ非通過予定大当たりへの当選による大当たり遊技後の遊技状態は、その大当たり遊技中にＶ領域３９の通過がなされていなければ（なされることはほぼない）、通常確率状態（非高確率状態すなわち低確率の状態）かつ非時短状態かつ低ベース状態（非電サポ制御状態）である。この遊技状態を特に、「低確低ベース状態」という。低確低ベース状態を「通常遊技状態」、または、「低確非時短状態（単に、非時短状態とも呼ぶ）」、と称することもある。遊技機１を初めて遊技する場合において電源投入後の遊技状態は、この低確低ベース状態である。また、本例では実施されないが、通常確率状態（非高確率状態すなわち低確率の状態）かつ時短状態かつ高ベース状態（電サポ制御状態）の遊技状態もあり、この遊技状態を特に、「低確高ベース状態」、「低確時短状態」という（高確率状態および高ベース状態のうち少なくとも一方の状態に制御されている状態を、「特定遊技状態」という）。また、特別遊技（大当たり遊技）の実行中の状態を「特別遊技状態（大当たり遊技状態）」と称することもある。
【００９１】
高確高ベース状態や低確高ベース状態といった高ベース状態では、右打ちによって右遊技領域３Ｂ（図１）へ遊技球を進入させた方が有利に遊技を進行させることができる。電サポ制御によって、低ベース状態と比べて電チュー２２が開放されやすくなっており、第１始動口２０への入賞よりも第２始動口２１への入賞の方が容易となっているためである。このことから、高ベース状態では、普通図柄抽選の契機となるゲート２８へ遊技球を通過させつつ、第２始動口２１へ遊技球を入賞させるべく右打ちをおこなう。これにより左打ちをするよりも、多数の始動入賞（第２始動口２１への入賞）を得ることができるとともに、頻繁に小当たりを発生させることができる。なお、遊技機１では、大当たり遊技中も右打ちにて遊技をおこなう。一方、低ベース状態では、左打ちによって左遊技領域３Ａ（図１）へ遊技球を進入させた方が有利に遊技を進行させることができる。これは、電低ベース状態では、電サポ制御が実行されていないため、高ベース状態と比べて電チュー２２が開放されにくくなっており、第２始動口２１への入賞は困難となっているからであり、つまり、第２始動口２１への入賞よりも第１始動口２０への入賞の方が容易となっているからである。このことから、低ベース状態では、第１始動口２０へ遊技球を入賞させるべく左打ちをおこなう。これにより右打ちするよりも、多数の始動入賞（第１始動口２０への入賞）を得ることができる。
【００９２】
６．遊技制御用マイコン８１の動作
図１５〜図３４に基づいて主制御基板８０（図３）に設けられた遊技制御用マイコン８１の動作について説明する。遊技制御用マイコン８１の動作説明にて登場するカウンタ、フラグ、ステータス、バッファ等はメインＲＡＭ８４に設けられている。遊技制御用マイコン８１は、当否判定手段（図２３）、当否事前判定手段（図１８、図１９）に該当する。
【００９３】
［主制御メイン処理］
図１５は、主制御メイン処理のフローチャートである。遊技制御用マイコン８１は、遊技機１の電源がオンされると、メインＲＯＭ８３から主制御メイン処理を実行するためのプログラムを読み出す。主制御メイン処理では、遊技制御用マイコン８１は、まず、初期設定をおこなう（ステップＳ００１）。初期設定では、例えば、メインＣＰＵ８２の設定、各種のフラグ、ステータスおよびカウンタなどのリセット等をおこなう。フラグの初期値は「０」つまり「ＯＦＦ」であり、ステータスの初期値は「１」であり、カウンタの初期値は「０」である。なお、初期設定は、電源投入後に一度だけ実行され、それ以降は実行されない。
【００９４】
初期設定の後、遊技制御用マイコン８１は、割り込み処理の割り込みを禁止し（ステップＳ００２）、普通図柄・特別図柄主要乱数更新処理（ステップＳ００３）をおこなう。この普通図柄・特別図柄主要乱数更新処理では、遊技制御用マイコン８１は、図７（Ａ）で示した種々の乱数カウンタ値（大当たり乱数値、大当たり種別乱数値、リーチ乱数値、変動パターン乱数値、普通図柄乱数値、小当たり乱数値）を１加算して更新する。各乱数カウンタ値は設定された上限値に達すると「０」に戻って再び加算される。なお、各乱数カウンタの初期値は「０」以外の値であってもよく、ランダムに変更されるものであってもよい。また、各乱数は、カウンタＩＣ等からなる公知の乱数生成回路を利用して生成されるいわゆるハードウェア乱数であってもよい。
【００９５】
普通図柄・特別図柄主要乱数更新処理の後、遊技制御用マイコン８１は、割り込み処理の割り込みを許可する（ステップＳ００４）。割り込み許可中は、メイン側タイマ割り込み処理（ステップＳ００５）の実行が可能となる。メイン側タイマ割り込み処理は、所定の周期（例えば、４msec周期）でメインＣＰＵ８２に繰り返し入力される割り込みパルスに基づいて実行される。すなわち、メイン側タイマ割り込み処理は、所定周期（例えば４msec周期）ごとに実行される。そして、メイン側タイマ割り込み処理が終了してから、次にメイン側タイマ割り込み処理が開始されるまでの間に、普通図柄・特別図柄主要乱数更新処理による各種カウンタ値の更新処理が繰り返し実行される。なお、割り込み禁止状態のときに、メインＣＰＵ８２に割り込みパルスが入力された場合は、メイン側タイマ割り込み処理はすぐには開始されず、割り込み許可がされてから開始される。
【００９６】
［メイン側タイマ割り込み処理］
図１６は、メイン側タイマ割り込み処理（図１５：ステップＳ００５）のフローチャートである。メイン側タイマ割り込み処理では、遊技制御用マイコン８１は、まず、乱数更新処理をおこなう（ステップＳ１０１）。具体的には、遊技制御用マイコン８１は、図７（Ａ）で示した種々の乱数カウンタ値を更新する。この乱数更新処理は、上述した主制御メイン処理（図１５）でおこなう普通図柄・特別図柄主要乱数更新処理と同じである。すなわち、各種乱数カウンタ値の更新処理は、メイン側タイマ割り込み処理の実行期間と、それ以外の期間（メイン側タイマ割り込み処理の終了後、次のメイン側タイマ割り込み処理が開始されるまでの期間）との両方でおこなわれる。
【００９７】
乱数更新処理の後、遊技制御用マイコン８１は、入力処理をおこなう（ステップＳ１０２）。入力処理では、遊技制御用マイコン８１は、遊技機１に取り付けられている各種センサが検出した検出信号を読み込み、入賞口の種類に応じた賞球を払い出すための払い出しデータをメインＲＡＭ８４の出力バッファにセットする。各種センサとは、例えば、第１始動口センサ２０ａ、第２始動口センサ２１ａ、第１大入賞口センサ３０ａ、第２大入賞口センサ３５ａ、普通入賞口センサ２７ａ、普通入賞口センサ２９ａ（図３）である。
【００９８】
入力処理の後、遊技制御用マイコン８１は、始動口センサ検出処理（ステップＳ１０３）、普通動作処理（ステップＳ１０４）、特別動作処理（ステップＳ１０５）、Ｖ領域センサ検出処理（ステップＳ１０６）、保留球数処理（ステップＳ１０７）を順に実行する。これらの処理の詳細については後述する。保留球数処理の後、遊技制御用マイコン８１は、出力処理をおこなう（ステップＳ１０８）。出力処理では、遊技制御用マイコン８１は、上述の各処理においてメインＲＡＭ８４のコマンドセット領域８４ａにセットしたコマンド等をサブ制御基板９０に出力する。出力処理の後、遊技制御用マイコン８１は、その他の処理をおこなう（ステップＳ１０９）。その他の処理では、例えば、後述の特図２保留球数に基づいて第２特図保留表示器４３ｂをその数を示す表示態様に制御し、特図１保留球数に基づいて第１特図保留表示器４３ａをその数を示す表示態様に制御する。
【００９９】
［始動口センサ検出処理］
図１７は、始動口センサ検出処理（図１６：ステップＳ１０３）のフローチャートである。遊技制御用マイコン８１は、まず、ゲート２８に遊技球が通過したか否かの判定をおこなう（ステップＳ２０１）。この判定は、ゲートセンサ２８ａによって遊技球が検出されたか否かによっておこなわれる。ゲート２８に遊技球が通過していない場合（ステップＳ２０１：ＮＯ）、処理はステップＳ２０５にスキップする。ゲート２８に遊技球が通過した場合（ステップＳ２０１：ＹＥＳ）、遊技制御用マイコン８１は、普通図柄保留球数が「４（上限値）」であるか否かの判定をおこなう（ステップＳ２０２）。普通図柄保留球数とは、普図保留の数であり、より具体的には、メインＲＡＭ８４に設けられた普図保留の数をカウントするカウンタの値である。普通図柄保留球数が「４」であれば（ステップＳ２０２：ＹＥＳ）、処理はステップＳ２０５にスキップする。普通図柄保留球数が「３」以下の場合（ステップＳ２０２：ＮＯ）、普通図柄保留球数に「１」を加算した後（ステップＳ２０３）、普通図柄乱数取得処理をおこなう（ステップＳ２０４）。ここでは、遊技制御用マイコン８１は、普通図柄乱数カウンタの値（図７：ラベル−ＴＲＮＤ−Ｈの値）を取得し、取得した乱数値をメインＲＡＭ８４の普図保留記憶領域８６の第１〜第４記憶領域うち、現在の普通図柄保留球数に応じた記憶領域に格納する。
【０１００】
ステップＳ２０５では、遊技制御用マイコン８１は、第２始動口２１に遊技球が入賞したか否かの判定をおこなう。この判定は、第２始動口センサ２１ａによって遊技球が検出されたか否かによっておこなわれる。第２始動口２１に遊技球が入賞していない場合（ステップＳ２０５：ＮＯ）、処理はステップＳ２１０にスキップする。遊技球が入賞した場合（ステップＳ２０５：ＹＥＳ）、遊技制御用マイコン８１は、特図２保留球数が「４（上限値）」であるか否かの判定をおこなう（ステップＳ２０６）。特図２保留球数とは、第２特図保留の数であり、より具体的には、メインＲＡＭ８４に設けられた第２特図保留の数をカウントするカウンタの値である。特図２保留球数が「４」であれば（ステップＳ２０６：ＹＥＳ）、処理はステップＳ２１０にスキップする。特図２保留球数が「３」以下の場合（ステップＳ２０６：ＮＯ）、特図２保留球数に「１」を加算した後（ステップＳ２０７）、特図２関係乱数取得処理をおこなう（ステップＳ２０８）。ここでは、大当たり乱数カウンタの値（図７：ラベル−ＴＲＮＤ−Ａの値）、大当たり種別乱数カウンタの値（図７：ラベル−ＴＲＮＤ−ＡＳの値）、リーチ乱数カウンタの値（図７：ラベル−ＴＲＮＤ−ＲＣの値）、変動パターン乱数カウンタの値（図７：ラベル−ＴＲＮＤ−Ｔ１の値）、小当たり乱数カウンタの値（図７：ラベル−ＴＲＮＤ−Ｋの値）を取得する。遊技制御用マイコン８１は、取得した乱数値群を第２特図保留記憶領域８５ｂの第１〜第４記憶領域うち、現在の特図２保留球数に応じた記憶領域に格納する。遊技制御用マイコン８１は、後述の特図２事前判定処理（図１８）のために、取得した乱数値群を第２特図保留記憶領域８５ｂとは異なるバッファ（事前判定用バッファ）にも一時的に記憶（保持）させる。特図２関係乱数取得処理の後、遊技制御用マイコン８１は、特図２事前判定処理をおこなう（ステップＳ２０９）。特図２事前判定処理の詳細については後述する。
【０１０１】
ステップＳ２１０では、遊技制御用マイコン８１は、第１始動口２０に遊技球が入賞したか否かの判定をおこなう。この判定は、第１始動口センサ２０ａによって遊技球が検出されたか否かによっておこなわれる。第１始動口２０に遊技球が入賞していない場合（ステップＳ２１０：ＮＯ）、本処理を終了する。第１始動口２０に遊技球が入賞した場合（ステップＳ２１０：ＹＥＳ）、遊技制御用マイコン８１は、特図１保留球数が「４（上限値）」であるか否かの判定をおこなう（ステップＳ２１１）。特図１保留球数とは、第１特図保留の数であり、より具体的には、メインＲＡＭ８４に設けられた第１特図保留の数をカウントするカウンタの値である。特図１保留球数が「４」であれば（ステップＳ２１１：ＹＥＳ）、本処理を終了する。特図１保留球数が「３」以下の場合（ステップＳ２１１：ＮＯ）、特図１保留球数に「１」を加算した後（ステップＳ２１２）、特図１関係乱数取得処理をおこなう（ステップＳ２１３）。ここでは、上述の特図２関係乱数取得処理（ステップＳ２０８）に準じて、大当たり乱数カウンタの値、大当たり種別乱数カウンタの値、リーチ乱数カウンタの値、変動パターン乱数カウンタの値を取得する。遊技制御用マイコン８１は、取得した乱数値群を第１特図保留記憶領域８５ａの第１〜第４記憶領域うち、現在の特図１保留球数に応じた記憶領域に格納する。遊技制御用マイコン８１は、後述の特図１事前判定処理（図１９）のために、取得した乱数値群を第１特図保留記憶領域８５ａとは異なるバッファ（事前判定用バッファ）にも一時的に記憶（保持）させる。特図１関係乱数取得処理の後、遊技制御用マイコン８１は、特図１事前判定処理をおこなう（ステップＳ２１４）。特図１事前判定処理の詳細については後述する。
【０１０２】
［特図２事前判定処理］
図１８は、特図２事前判定処理（図１７：ステップＳ２０９）のフローチャートである。遊技制御用マイコン８１は、まず、確変フラグがＯＮであるか否かの判定をおこなう（ステップＳ３０１）。確変フラグがＯＦＦの場合（ステップＳ３０１：ＮＯ）、本処理を終える。すなわち、確変フラグがＯＦＦの場合には、事前判定はおこなわれない。一方、確変フラグがＯＮの場合、遊技制御用マイコン８１は、大当たり判定テーブルＴ１（図８）のうちの高確率状態用テーブルを参照して大当たり事前判定をおこなう（ステップＳ３０２）。具体的には、遊技制御用マイコン８１は、まず、特図２関係乱数取得処理（図１７：ステップＳ２０８）によって事前判定用バッファに一時的に記憶されている判定値としての大当たり乱数値を取得する。次に、遊技制御用マイコン８１は、参照する大当たり判定テーブルＴ１（図８）と大当たり乱数値とを用いて大当たりか否かの事前判定をおこなう。ここでは、高確率状態（確変フラグがＯＮ）であるため、遊技制御用マイコン８１は、大当たり判定テーブルＴ１のうち、高確率状態用のテーブル（大当たり判定値が「０」〜「６４９」）を参照して大当たりか否かを事前判定する。すなわち、大当たり乱数値が「０」〜「６４９」のとき「大当たり」と事前判定し、それ以外の値のとき「ハズレ」と事前判定する。なお、本実施形態では、後述する大当たり判定処理（図２３）で用いられる大当たり判定テーブルＴ１を用いて事前判定をおこなっているが、他の実施形態として、大当たり判定テーブルＴ１とは異なる事前判定用の大当たり判定テーブルを用いて事前判定をおこなってもよい。
【０１０３】
大当たり事前判定の結果が「ハズレ」の場合（ステップＳ３０４：ＮＯ）、処理はステップＳ３０６にスキップする。一方、大当たり事前判定の結果が「大当たり」の場合（ステップＳ３０４：ＹＥＳ）、遊技制御用マイコン８１は、大当たり種別事前判定をおこなう（ステップＳ３０５）。大当たり種別事前判定では、遊技制御用マイコン８１は、まず、特図２関係乱数取得処理（図１７：ステップＳ２０８）によって事前判定用バッファに一時的に記憶されている判定値としての大当たり種別乱数値を取得する。次に、遊技制御用マイコン８１は、取得した大当たり種別乱数値と大当たり種別判定テーブルＴ５（図９）に基づいて、大当たり種別の事前判定をおこなう。ここでは、大当たり種別乱数値が「０」〜「１２７」のいずれであっても「１６ＲＶ通過予定大当たり」と事前判定する。なお、本実施形態では、後述する大当たり判定処理（図２３）で用いられる大当たり種別判定テーブルＴ５を用いて事前判定をおこなっているが、他の実施形態として、大当たり種別判定テーブルＴ５とは異なる事前判定用の大当たり種別判定テーブルを用いて事前判定をおこなってもよい。
【０１０４】
ステップＳ３０６では、遊技制御用マイコン８１は、変動パターン事前判定をおこなう。具体的には、遊技制御用マイコン８１は、まず、特図２関係乱数取得処理（図１７：ステップＳ２０８）によって事前判定用バッファに一時的に記憶されている判定値としての変動パターン乱数値、および、リーチ乱数値を取得する。次に、ここでは、時短状態（時短フラグがＯＮ）であるため、遊技制御用マイコン８１は、時短状態用の変動パターン判定テーブルＴ６（図１１）を参照し、ステップＳ３０４の大当たり事前判定結果、リーチ乱数値から得られるリーチの有無事前判定結果、および、変動パターン乱数値から変動パターンを特定する。なお、図１１の変動パターン判定テーブルＴ６では、保留球数の違いによって選択される変動パターンが異なる場合がある。ここでは、保留球数の違いによって選択される可能性のあるすべての変動パターンが選択されるものとする。例えば、大当たり事前判定結果、および、リーチ有無事前判定結果から、リーチ有りハズレが事前判定され、変動パターン乱数値が「６０」の場合、遊技制御用マイコン８１は、保留球数が「１〜２」であれば選択される変動パターン「Ｐ６４」と、保留球数が「３〜４」であれば選択される変動パターン「Ｐ６８」の２つを選択する。なお、本実施形態では、後述する変動パターン選択処理（図２４、図２５）で用いられる変動パターン判定テーブルＴ６を用いて事前判定をおこなっているが、他の実施形態として、変動パターン判定テーブルＴ６とは異なる事前判定用の変動パターン判定テーブルを用いて事前判定をおこなってもよい。
【０１０５】
ステップＳ３０７では、遊技制御用マイコン８１は、事前判定コマンドの作成をおこなう。事前判定コマンドには、大当たり事前判定結果、（大当たりの場合には大当たり種別事前判定結果）、および、変動パターン事前判定結果が含まれる。遊技制御用マイコン８１は、作成した事前判定コマンドをメインＲＡＭ８４のコマンドセット領域８４ａにセットして（ステップＳ３０８）、本処理を終える。
【０１０６】
［特図１事前判定処理］
図１９は、特図１事前判定処理（図１７：ステップＳ２１４）のフローチャートである。遊技制御用マイコン８１は、まず、確変フラグがＯＮであるか否かの判定をおこなう（ステップＳ４０１）。上述の特図２事前判定処理とは反対に、確変フラグがＯＮの場合（ステップＳ４０１：ＹＥＳ）、本処理を終える。すなわち、確変フラグがＯＮの場合には、事前判定はおこなわれない。一方、確変フラグがＯＦＦの場合（ステップＳ４０１：ＮＯ）、遊技制御用マイコン８１は、大当たり判定テーブルＴ１（図８）のうちの通常確率状態用のテーブルを参照して大当たり事前判定をおこなう（ステップＳ４０２）。具体的には、遊技制御用マイコン８１は、まず、特図１関係乱数取得処理（図１７：ステップＳ２１３）によって事前判定用バッファに一時的に記憶されている判定値としての大当たり乱数値を取得する。次に、ここでは、通常確率状態（確変フラグがＯＦＦ）であるため、遊技制御用マイコン８１は、大当たり判定テーブルＴ１のうち、通常確率状態用のテーブル（大当たり判定値が「０」〜「１６４」）に基づいて大当たりか否かを事前判定する。すなわち、大当たり乱数値が「０」〜「１６４」のとき「大当たり」と事前判定し、それ以外の値のとき「ハズレ」と事前判定する。なお、大当たり事前判定は、大当たり判定テーブルＴ１とは異なる事前判定用の大当たり判定テーブルを用いてもよい。以降、ステップＳ４０４〜Ｓ４０８の処理は、上述の特図２事前判定処理（図１８）のステップＳ３０４〜Ｓ３０８と同様であるため説明を省略する。
【０１０７】
［普通動作処理］
図２０は、普通動作処理（図１６：ステップＳ１０４）のフローチャートである。遊技制御用マイコン８１は、まず、電チュー２２が作動中か否かの判定をおこなう（ステップＳ５０１）。電チュー２２が作動中の場合（ステップＳ５０１：ＹＥＳ）、処理はステップＳ５２０に移行する。電チュー２２が作動中ではない場合（ステップＳ５０１：ＮＯ）、遊技制御用マイコン８１は、普通図柄の変動中か否かの判定をおこなう（ステップＳ５０２）。普通図柄の変動中の場合（ステップＳ５０２：ＹＥＳ）、処理はステップＳ５０８にスキップする。普通図柄の変動中ではない場合（ステップＳ５０２：ＮＯ）、遊技制御用マイコン８１は、普通図柄の保留球数が「０」か否かの判定をおこなう（ステップＳ５０３）。保留球数が「０」の場合（ステップＳ５０３：ＹＥＳ）、本処理を終了する。保留球数が１以上ある場合（ステップＳ５０３：ＮＯ）、普通図柄保留球数を１ディクリメントする（ステップＳ５０４）。従って、普通図柄の保留球数が「０」の状態でゲート２８を遊技球が通過した場合、始動口センサ検出処理（図１７）のステップＳ２０３において、一旦、普通図柄の保留球数が「１」になり、その後、本ステップＳ５０４において保留が消化され即座に普通図柄の保留球数が「０」になる。これは、特別図柄の保留球数についても同様である。すなわち、始動口センサ検出処理（図１７）のステップＳ２０７およびステップＳ２１２において、一旦、特別図柄の保留数が「１」になり、その後、後述の特別図柄待機処理（図２２）におけるステップＳ１４０４およびステップＳ１４１０において保留が消化され特別図柄の保留球数が「０」になる。次に、遊技制御用マイコン８１は、普通図柄当たり判定テーブルＴ３（図８（Ｃ））を参照して当たり判定をおこなう（ステップＳ５０５）。具体的には、遊技制御用マイコン８１は、まず、普図保留記憶領域８６の第１記憶領域（普図保留の１個目に対応）に記憶されている判定値としての普通図柄乱数値（当たり乱数値）を読み出す。そして、普通図柄乱数値と、遊技状態（時短状態か否か）と、普通図柄当たり判定テーブルＴ３とを用いて当たりか否かを判定する。例えば、非時短状態において、普通図柄乱数値が「０」〜「２」の場合には、「当たり」と判定され、普通図柄乱数値がそれ以外の場合には、「ハズレ」と判定される（図８（Ｃ）参照）。
【０１０８】
次に、遊技制御用マイコン８１は、普通図柄変動パターン判定テーブルＴ４（図８（Ｄ））を参照して変動パターンの選択をおこなう（ステップＳ５０６）。具体的には、遊技制御用マイコン８１は、まず、遊技状態（時短状態か否か）の判定をおこない、遊技状態の判定結果と、普通図柄変動パターン判定テーブルＴ４とを用いて、普通図柄変動パターンとしての普通図柄の変動時間を選択する。ここでは、非時短状態のとき、普通図柄の変動時間は「３０秒」と判定され、時短状態のとき、普通図柄の変動時間が「１秒」と判定される（図８（Ｄ）参照）。遊技制御用マイコン８１は、選択した普通図柄変動パターンをセットすることで、普通図柄の変動表示を開始させる（ステップＳ５０７）。
【０１０９】
ステップＳ５０８では、遊技制御用マイコン８１は、普通図柄の変動時間が経過して終了したか否かの判定をおこなう。普通図柄の変動時間とは、ステップＳ５０６で選択された変動時間である（図８（Ｄ）参照）。変動時間が終了していない場合（ステップＳ５０８：ＮＯ）、遊技制御用マイコン８１は、本処理を終える。すなわち、普通図柄の変動表示が継続される。一方、変動時間が終了している場合（ステップＳ５０８：ＹＥＳ）、遊技制御用マイコン８１は、変動表示を停止させ（ステップＳ５０９）、上述の当たり判定（ステップＳ５０５）において「ハズレ」の場合には（ステップＳ５１０：ＮＯ）、本処理を終える。一方、上述の当たり判定で「当たり」の場合には（ステップＳ５１０：ＹＥＳ）、遊技制御用マイコン８１は、電チュー開放パターンのセットをおこなう（ステップＳ５１１）。電チュー２２の開放パターンは、電チュー開放パターン判定テーブルＴ７（図１２（Ａ））を参照して選択される。具体的には、遊技制御用マイコン８１は、遊技状態（時短状態か否か）の判定をおこない、遊技状態の判定結果と、電チュー開放パターン判定テーブルＴ７とを用いて電チュー２２の開放パターンを選択する。ここでは、非時短状態のとき、「開放パターン１１」が選択され、時短状態のとき、「開放パターン１２」が選択される。開放パターンの選択後、遊技制御用マイコン８１は、選択した開放パターンに従うように電チュー作動を開始させ（ステップＳ５１２）、本処理を終える。
【０１１０】
上述のステップＳ５０１において、電チュー２２が作動中の場合（ステップＳ５０１：ＹＥＳ）、遊技制御用マイコン８１は、電チュー２２の閉鎖条件が成立しているか否かの判定をおこなう（ステップＳ５２０）。ここでの閉鎖条件は、電チュー２２への入賞個数が規定の最大入賞個数（例えば６個）に達したこと、または、電チュー２２の作動時間が経過して電チュー２２を閉鎖させる時間に至ったことのいずれかが満たされていることである。電チュー２２の作動時間とは、ステップＳ５１１で選択された開放パターンに対応する作動時間である。電チュー２２の閉鎖条件が成立していない場合（ステップＳ５２０：ＮＯ）、遊技制御用マイコン８１は、本処理を終える。一方、電チュー２２の閉鎖条件が成立している場合（ステップＳ５２０：ＹＥＳ）、遊技制御用マイコン８１は、電チュー２２を閉鎖（閉塞）してその作動を停止し（ステップＳ５２１）、本処理を終える。
【０１１１】
［特別動作処理］
図２１は、特別動作処理（図１６：ステップＳ１０５）のフローチャートである。ここでは、特別図柄表示器４１および大入賞装置（第１大入賞装置３１および第２大入賞装置３６）に関する処理を４つの段階に分け、各段階をそれぞれ「特別動作ステータス」の「１」、「２」、「３」、「４」と呼ぶ。遊技制御用マイコン８１は、「特別動作ステータス」が「１」のとき（ステップＳ１３０１：ＹＥＳ）、特別図柄待機処理をおこなう（ステップＳ１３０２）。特別図柄待機処理では、大当たり判定、小当たり判定、変動パターン選択等が実行される。「特別動作ステータス」が「２」のときには（ステップＳ１３０１：ＮＯ、ステップＳ１３０３：ＹＥＳ）、特別図柄変動中処理をおこなう（ステップＳ１３０４）。特別図柄変動中処理では、変動時間経過後に変動停止コマンドの出力等が実行される。「特別動作ステータス」が「３」のときには（ステップＳ１３０１、Ｓ１３０３：ＮＯ、ステップＳ１３０５：ＹＥＳ）、特別図柄確定処理をおこなう（ステップＳ１３０６）。特別図柄確定処理では、大当たり時にオープニングコマンドの出力等が実行される。「特別動作ステータス」が「４」のときには（ステップＳ１３０１、Ｓ１３０３、Ｓ１３０５：ＮＯ）、特別電動役物処理をおこなう（ステップＳ１３０８）。特別電動役物処理では、大当たり遊技や小当たり遊技が実行される。上記の各処理の詳細については後述する。なお、特別動作ステータスは、初期設定では「１」である。
【０１１２】
［特別図柄待機処理］
図２２は、特別図柄待機処理（図２１：ステップＳ１３０２）のフローチャートである。特別図柄待機処理では、遊技制御用マイコン８１は、まず、特図２保留球数が「０」であるか否かの判定をおこなう（ステップＳ１４００）。特図２保留球数が「０」である場合（ステップＳ１４００：ＹＥＳ）、すなわち、第２特図保留記憶領域８５ｂに、第２始動口２１への入賞に起因して取得した乱数値群の記憶がない場合には、処理はステップＳ１４０７に移行する。特図２保留球数が「１」以上である場合（ステップＳ１４００：ＮＯ）、遊技制御用マイコン８１は、小当たり判定処理（ステップＳ１４０１）を実行する。小当たり判定処理では、遊技制御用マイコン８１は、小当たり判定テーブルＴ１０（図８）を参照して小当たり判定をおこなう。具体的には、遊技制御用マイコン８１は、まず、第２特図保留記憶領域８５ｂの第１記憶領域（第２特図保留の１個目に対応）に記憶されている小当たり乱数値を読み出し、この読み出した小当たり乱数値と小当たり判定テーブルＴ１０とを用いて小当たりか否かを判定する。次に、遊技制御用マイコン８１は、小当たり判定の結果が「小当たり」の場合、小当たりフラグをＯＮにし、小当たり図柄に応じた特図停止図柄データをメインＲＡＭ８４のバッファにセットして、本処理を終了する。次に、遊技制御用マイコン８１は、大当たり判定処理（ステップＳ１４０２）、および、変動パターン選択処理（ステップＳ１４０３）を実行する。これらの処理の詳細については後述する。
【０１１３】
変動パターン選択処理の後、特図２保留球数を１つディクリメントする（ステップＳ１４０４）。次に、遊技制御用マイコン８１は、第２特図保留記憶領域８５ｂの第１〜第４記憶領域に格納されている保留情報（各種乱数値）の格納場所を現在の位置から読み出される側に１つシフトするとともに、第２特図保留記憶領域８５ｂにおいて読み出される側から最も遠い場所に格納されている保留情報をクリアする（ステップＳ１４０５）。例えば、第１〜第３記憶領域に保留情報が格納されている場合には、第３記憶領域に格納されている保留情報をクリアし、第１〜第４記憶領域に保留情報が格納されている場合には、第４記憶領域に格納されている保留情報をクリアする。上記ステップによって、第２特図保留が保留された順に消化される。この場合、画像表示装置７の表示画面７ａでは、第２特図保留記憶領域８５ｂの第１記憶領域に対応する保留画像９Ｂ（４つの保留画像９Ｂのうち、一番左端の保留画像９Ｂ）が保留消化画像表示領域側にシフトし、保留消化画像９Ｃとして表示される。また、第２特図保留記憶領域８５ｂの第２〜第４記憶領域に対応する保留画像９Ｂ（４つの保留画像９Ｂのうち、左から２、３、４番目の保留画像９Ｂ）がそれぞれ左側に１つシフトする（図１）。これにより、遊技者は、第２特図保留が１つ消化されたことを認識することができる。次に、遊技制御用マイコン８１は、特図２変動開始処理をおこなう（ステップＳ１４０６）。特図２変動開始処理では、変動開始コマンドをメインＲＡＭ８４のコマンドセット領域８４ａにセットし、第２特別図柄の変動表示を開始させるとともに、変動時間タイマのセットをおこなう。変動時間タイマには、変動パターン選択処理で選択された変動パターンに応じて決定される変動時間がセットされる。また、遊技制御用マイコン８１は、特別動作ステータスを「２」にセットする。なお、特図２変動開始処理でセットされる変動開始コマンド（特図２変動開始コマンド）には、小当たり判定処理（ステップＳ１４０１）でセットされた特図停止図柄データに関する情報や、大当たり判定処理（ステップＳ１４０２）でセットされた特図停止図柄データに関する情報や、変動パターン選択処理（ステップＳ１４０３）でセットされた変動パターンに関する情報（変動時間に関する情報を含む）が含まれている。
【０１１４】
ステップＳ１４０１において、特図２保留球数が「０」の場合（ステップＳ１４０１：ＹＥＳ）、遊技制御用マイコン８１は、特図１保留球数が「０」であるか否かの判定をおこなう（ステップＳ１４０７）。特図１保留球数が「０」である場合（ステップＳ１４０７：ＹＥＳ）、すなわち、第１特図保留記憶領域８５ａに、第１始動口２０への入賞に起因して取得した乱数値群の記憶がない場合には、処理はステップＳ１４１３に移行する。特図１保留球数が「１」以上である場合（ステップＳ１４０７：ＮＯ）、遊技制御用マイコン８１は、大当たり判定処理（ステップＳ１４０８）、および、変動パターン選択処理（ステップＳ１４０９）を実行する。これらの処理の詳細については後述する。変動パターン選択処理の後、特図１保留球数を１つディクリメントする（ステップＳ１４１０）。次に、遊技制御用マイコン８１は、第１特図保留記憶領域８５ａの第１〜第４記憶領域に格納されている各種乱数値の格納場所を現在の位置から読み出される側に１つシフトするとともに、第１特図保留記憶領域８５ａにおいて読み出される側から最も遠い場所に格納されている保留情報をクリアする（ステップＳ１４１１）。上記ステップによって、第１特図保留が保留された順に消化される。この場合、画像表示装置７の表示画面７ａでは、第１特図保留記憶領域８５ａの第１記憶領域に対応する保留画像９Ａ（４つの保留画像９Ａのうち、一番右端の保留画像９Ａ）が保留消化画像表示領域側にシフトし、保留消化画像９Ｃとして表示される。また、第１特図保留記憶領域８５ａの第２〜第４記憶領域に対応する保留画像９Ａ（４つの保留画像９Ａのうち、左から２、３、４番目の保留画像９Ａ）がそれぞれ右側に１つシフトする（図１）。これにより、遊技者は、第１特図保留が１つ消化されたことを認識することができる。次に、遊技制御用マイコン８１は、特図１変動開始処理をおこなう（ステップＳ１４１２）。特図１変動開始処理では、変動開始コマンドをメインＲＡＭ８４のコマンドセット領域８４ａにセットし、第１特別図柄の変動表示を開始させるとともに、変動時間タイマのセットをおこなう。変動時間タイマには、変動パターン選択処理で選択された変動パターンに応じて決定される変動時間がセットされる。また、遊技制御用マイコン８１は、特別動作ステータスを「２」にセットする（ステップＳ１４０６）。なお、特図１変動開始処理でセットされる変動開始コマンド（特図１変動開始コマンド）には、大当たり判定処理（ステップＳ１４０８）でセットされた特図停止図柄データに関する情報や変動パターン選択処理（ステップＳ１４０９）でセットされた変動パターンに関する情報（変動時間に関する情報を含む）が含まれている。
【０１１５】
ステップＳ１４０７において、特図１保留球数が「０」の場合（ステップＳ１４０７：ＹＥＳ）、遊技制御用マイコン８１は、画像表示装置７の表示画面７ａが待機画面か否かの判定をおこなう（ステップＳ１４１３）。待機画面とは、客待ち用のデモ画面のことである。遊技制御用マイコン８１は、例えば、客待ち用のデモ画面表示フラグのＯＮ／ＯＦＦによって判定してもよい。待機画面である場合（ステップＳ１４１３：ＹＥＳ）、本処理を終了する。待機画面でない場合（ステップＳ１４１３：ＮＯ）、遊技制御用マイコン８１は、所定の待機時間の経過をまって、待機場面を表示させるための客待ち待機コマンドをメインＲＡＭ８４のコマンドセット領域８４ａにセットし（ステップＳ１４１４）、本処理を終える。上記のように、本実施形態の特別図柄待機処理によれば、第１特図保留に基づく特別図柄の変動表示は、第２特図保留が「０」の場合に限って実行される。すなわち、第２特図保留の消化は、第１特図保留の消化に優先して実行される。また、本実施形態の大当たり種別判定テーブルＴ５によれば、第２特図保留に基づく抽選の方が、第１特図保留に基づく抽選よりも遊技者にとって利益の大きい大当たり（Ｖ通過予定大当たり）に当選しやすくなっている。
【０１１６】
［大当たり判定処理］
図２３は、大当たり判定処理（図２２：ステップＳ１４０２、Ｓ１４０８）のフローチャートである。特図２の大当たり判定処理（ステップＳ１４０２）と特図１の大当たり判定処理（ステップＳ１４０８）は処理の流れが同様であるため、まとめて説明する。大当たり判定処理では、まず、遊技制御用マイコン８１は、確変フラグがＯＮであるか否かの判定をおこなう（ステップＳ１５０１）。確変フラグがＯＮの場合（ステップＳ１５０１：ＹＥＳ）、大当たり判定テーブルＴ１（図８）のうちの高確率状態用テーブルを参照して大当たり判定をおこなう（ステップＳ１５０２）。具体的には、遊技制御用マイコン８１は、まず、判定値としての大当たり乱数値の読み出しをおこなう。例えば、特図２の大当たり判定処理では、第２特図保留記憶領域８５ｂの第１記憶領域（第２特図保留の１個目に対応）に記憶されている大当たり乱数値を読み出す。特図１の大当たり判定処理では、第１特図保留記憶領域８５ａの第１記憶領域（第１特図保留の１個目に対応）に記憶されている大当たり乱数値を読み出す。次に、遊技制御用マイコン８１は、参照する大当たり判定テーブルＴ１と大当たり乱数値とを用いて大当たりか否かを判定する。ここでは、高確率状態（確変フラグがＯＮ）であるため、大当たり判定テーブルＴ１のうち、高確率状態用のテーブル（大当たり判定値が「０」〜「６４９」）に基づいて大当たりか否かを判定する。
【０１１７】
ステップＳ１５０１において、確変フラグがＯＦＦの場合（ステップＳ１５０１：ＮＯ）、遊技制御用マイコン８１は、大当たり判定テーブルＴ１（図８）のうちの通常確率状態用のテーブルを参照して大当たり判定をおこなう（ステップＳ１５０４）。具体的には、遊技制御用マイコン８１は、まず、ステップＳ１５０２と同様の方法によって大当たり乱数値の読み出しをおこなう。次に、ここでは、通常確率状態（確変フラグがＯＦＦ）であるため、大当たり判定テーブルＴ１のうち、通常確率状態用のテーブル（大当たり判定値が「０」〜「１６４」）に基づいて大当たりか否かを判定する。
【０１１８】
大当たり判定の結果が「大当たり」の場合（ステップＳ１５０３、Ｓ１５０５：ＹＥＳ）、遊技制御用マイコン８１は、大当たりフラグをＯＮにするとともに（ステップＳ１５０６）、大当たり種別の判定をおこなう（ステップＳ１５０７）。具体的には、遊技制御用マイコン８１は、まず、判定値としての大当たり種別乱数値の読み出しをおこなう。例えば、特図２の大当たり判定処理では、第２特図保留記憶領域８５ｂの第１記憶領域に記憶されている大当たり種別乱数値を読み出す。特図１の大当たり判定処理では、第１特図保留記憶領域８５ａの第１記憶領域に記憶されている大当たり種別乱数値を読み出す。次に、遊技制御用マイコン８１は、読み出した大当たり種別乱数値と大当たり種別判定テーブルＴ５（図９）に基づいて、大当たり種別の判定をおこなう。大当たり種別の判定後、特定された大当たり種別に応じた特図停止図柄データ（図９）をメインＲＡＭ８４に設けた大当たり種別バッファにセットして（ステップＳ１５２０）、本処理を終了する。一方、ステップＳ１５０３またはステップＳ１５０５において、大当たり判定の結果が「ハズレ」（小当たり判定の結果も「ハズレ」）の場合、ハズレ図柄に応じた特図停止図柄データ（０１Ｈ）をメインＲＡＭ８４に設けた大当たり種別バッファにセットして（ステップＳ１５２０）、本処理を終了する。
【０１１９】
［変動パターン選択処理］
図２４および図２５は、変動パターン選択処理（図２２：ステップＳ１４０３、Ｓ１４０９）のフローチャートである。特図２の変動パターン選択処理（ステップＳ１４０３）と特図１の変動パターン選択処理（ステップＳ１４０９）は処理の流れが同様であるため、まとめて説明する。変動パターン選択処理では、まず、遊技制御用マイコン８１は、遊技状態が時短状態であるか否かの判定をおこなう（ステップＳ１６００）。時短状態であるか否かの判定は、時短フラグがＯＮか否かによっておこなわれる。時短状態である場合（ステップＳ１６００：ＹＥＳ）、処理はステップＳ１６１２に移行する。時短状態でない場合（ステップＳ１６００：ＮＯ）、遊技制御用マイコン８１は、大当たりフラグがＯＮか否かの判定をおこなう（ステップＳ１６０２）。大当たりフラグがＯＦＦの場合（ステップＳ１６０２：ＮＯ）、遊技制御用マイコン８１は、小当たりフラグがＯＮか否かの判定をおこなう（ステップＳ１６１０）。小当たりフラグがＯＦＦの場合（ステップＳ１６１０：ＮＯ）、処理はステップＳ１６０７に移行する。小当たりフラグがＯＮの場合（ステップＳ１６１０：ＹＥＳ）、遊技制御用マイコン８１は、変動パターン判定テーブルＴ６（図１０）のうち、非時短状態小当たり用のテーブルを参照して変動パターンの選択をおこなう（ステップＳ１６１１）。具体的には、遊技制御用マイコン８１は、まず、第２特図保留記憶領域８５ｂの第１記憶領域（第２特図保留の１個目に対応）に記憶されている変動パターン乱数値を読み出す。次に、遊技制御用マイコン８１は、変動パターン判定テーブルＴ６と変動パターン乱数値とを用いて変動パターンを選択する。ここでは、非時短状態小当たり用のテーブルとして、図１０に示す非時短状態用の変動パターン判定テーブルＴ６のうち、小当たりに該当する部分（変動パターンが「Ｐ３４」の部分）が参照される（アドレスがセットされる）。読み出した変動パターン乱数値から、変動パターンとして「Ｐ３４」が選択される。
【０１２０】
大当たりフラグがＯＮの場合（ステップＳ１６０２：ＹＥＳ）、遊技制御用マイコン８１は、大当たり種別がＶ通過予定大当たりか否かの判定をおこなう（ステップＳ１６０４）、大当たり種別の判定は、メインＲＡＭ８４にセットされている特図停止図柄データに基づいておこなわれる。
【０１２１】
大当たり種別がＶ通過予定大当たりの場合（ステップＳ１６０４：ＹＥＳ）、遊技制御用マイコン８１は、変動パターン判定テーブルＴ６（図１０）のうち、非時短状態Ｖ通過予定大当たり用のテーブルを参照して変動パターンの選択をおこなう（ステップＳ１６０５）。具体的には、遊技制御用マイコン８１は、まず、判定値としての変動パターン乱数値の読み出しをおこなう。例えば、特図２の変動パターン選択処理では、第２特図保留記憶領域８５ｂの第１記憶領域（第２特図保留の１個目に対応）に記憶されている変動パターン乱数値を読み出す。特図１の変動パターン選択処理では、第１特図保留記憶領域８５ａの第１記憶領域（第１特図保留の１個目に対応）に記憶されている変動パターン乱数値を読み出す。次に、遊技制御用マイコン８１は、変動パターン判定テーブルＴ６と変動パターン乱数値とを用いて変動パターンを選択する。ここでは、非時短状態Ｖ通過予定大当たり用のテーブルとして、図１０に示す非時短状態用の変動パターン判定テーブルＴ６のうち、Ｖ通過予定大当たりに該当する部分（特図１では変動パターンが「Ｐ１」〜「Ｐ３」の部分、特図２では変動パターンが「Ｐ２１」、「Ｐ２２」の部分）が参照されるアドレスがセットされる）。読み出した変動パターン乱数値から、特図１では変動パターンとして「Ｐ１」〜「Ｐ３」のいずれか、特図２では「Ｐ２１」または「Ｐ２２」が選択される。
【０１２２】
大当たり種別がＶ非通過予定大当たりの場合（ステップＳ１６０４：ＮＯ）、遊技制御用マイコン８１は、変動パターン判定テーブルＴ６（図１０）のうち、非時短状態Ｖ非通過予定大当たり用のテーブルを参照して変動パターンの選択をおこなう（ステップＳ１６０６）。ここでは、非時短状態Ｖ非通過予定大当たり用のテーブルとして、図１０に示す非時短状態用の変動パターン判定テーブルＴ６のうち、Ｖ非通過予定大当たりに該当する部分（特図１では変動パターンが「Ｐ４」〜「Ｐ６」の部分、特図２では変動パターンが「Ｐ２３」の部分）が参照されるアドレスがセットされる）。読み出した変動パターン乱数値から、特図１では変動パターンとして「Ｐ４」〜「Ｐ６」のいずれか、特図２では「Ｐ２３」が選択される。
【０１２３】
ステップＳ１６１０において、小当たりフラグがＯＦＦの場合（ステップＳ１６１０：ＮＯ）、遊技制御用マイコン８１は、リーチ乱数値がリーチ成立乱数値か否かの判定をおこなう（ステップＳ１６０７）。具体的には、遊技制御用マイコン８１は、まず、判定値としてのリーチ乱数値の読み出しをおこなう。特図２の変動パターン選択処理では、第２特図保留記憶領域８５ｂの第１記憶領域（第２特図保留の１個目に対応）に記憶されているリーチ乱数値を読み出す。特図１の変動パターン選択処理では、第１特図保留記憶領域８５ａの第１記憶領域（第１特図保留の１個目に対応）に記憶されているリーチ乱数値を読み出す。次に、遊技制御用マイコン８１は、リーチ判定テーブルＴ２（図８（Ｂ））と、リーチ乱数値とを用いてリーチの有無を判定する。ここでは、非時短状態であるため、リーチ判定テーブルＴ２のうち、非時短状態用のテーブル（リーチ有り判定値（リーチ成立乱数値）が「０」〜「１３」の部分）に基づいてリーチの有無を判定する。
【０１２４】
リーチ乱数値がリーチ成立乱数値である場合（ステップＳ１６０７：ＹＥＳ）、すなわち、リーチ有りハズレの場合には、遊技制御用マイコン８１は、変動パターン判定テーブルＴ６（図１０）のうち、非時短状態リーチ有りハズレ用のテーブルを参照して変動パターンの選択をおこなう（ステップＳ１６０８）。ここでは、非時短状態リーチ有りハズレ用のテーブルとして、図１０に示す非時短状態用の変動パターン判定テーブルＴ６のうち、リーチ有りハズレに該当する部分（特図１では変動パターンが「Ｐ７」〜「Ｐ１４」の部分、特図２では変動パターンが「Ｐ２４」〜「Ｐ３１」の部分）が参照される。特図１では、読み出した変動パターン乱数値と、現在の特図１保留球数（１〜４）から、変動パターンとして「Ｐ７」〜「Ｐ１４」のいずれかが選択される。特図２では、読み出した変動パターン乱数値と、現在の特図２保留球数（１〜４）から、変動パターンとして「Ｐ２４」〜「Ｐ３１」のいずれかが選択される。保留球数によって選択される変動パターンが変わるため、保留球数に応じた短縮変動の機能が働くようになっている。すなわち、特図１および特図２のいずれにおいても、保留球数が「３」〜「４」であるときは、保留球数が「１」〜「２」であるときに比べて変動時間の短い変動パターンがより多く選択されるようになっている。これにより、保留球数が多いときに特図保留の消化スピードを速めることができる。
【０１２５】
リーチ乱数値がリーチ成立乱数値ではない場合（ステップＳ１６０７：ＮＯ）、すなわち、リーチ無しハズレの場合には、遊技制御用マイコン８１は、変動パターン判定テーブルＴ６（図１０）のうち、非時短状態リーチ無しハズレ用のテーブルを参照して変動パターンの選択をおこなう（ステップＳ１６０９）。ここでは、非時短状態リーチ無しハズレ用のテーブルとして、図１０に示す非時短状態用の変動パターン判定テーブルＴ６のうち、リーチ無しハズレに該当する部分（特図１では変動パターンが「Ｐ１５」〜「Ｐ１６」の部分、特図２では変動パターンが「Ｐ３２」〜「Ｐ３３」の部分）が参照される。特図１では、読み出した変動パターン乱数値と、現在の特図１保留球数（１〜４）から、変動パターンとして「Ｐ１５」、「Ｐ１６」のいずれかが選択される。特図２では、読み出した変動パターン乱数値と、現在の特図２保留球数（１〜４）から、変動パターンとして「Ｐ３２」、「Ｐ３３」のいずれかが選択される。ここでも、保留球数によって選択される変動パターンが変わるため、保留球数に応じた短縮変動の機能が働くようになっている。
【０１２６】
ステップＳ１６００において、遊技状態が時短状態であると判定した場合には、遊技制御用マイコン８１は、大当たりフラグがＯＮか否かの判定をおこなう（図２５：ステップＳ１６１２）。以後、ステップＳ１６１４〜Ｓ１６２１の処理は、以下の点を除いては上述のステップＳ１６０４〜Ｓ１６１１の処理と同様であるため説明を省略する。ステップステップＳ１６１４〜Ｓ１６２１の処理とステップＳ１６０４〜Ｓ１６１１の処理との違いは、ステップＳ１６１５、Ｓ１６１６、Ｓ１６１８、Ｓ１６１９、Ｓ１６２１において、参照される変動パターン判定テーブルＴ６の部分が既述のステップＳ１６０５、Ｓ１６０６、Ｓ１６０８、Ｓ１６０９、Ｓ１６１１と異なる。具体的には、Ｓ１６０５、Ｓ１６０６、Ｓ１６０８、Ｓ１６０９、Ｓ１６１１では、非時短状態用の変動パターン判定テーブルＴ６（図１０）が参照されるのに対して、ステップＳ１６１５、Ｓ１６１６、Ｓ１６１８、Ｓ１６１９、Ｓ１６２１では、時短状態用の変動パターン判定テーブルＴ６（図１１）が参照される。例えば、ステップＳ１６１５の場合、すなわち、大当たり種別がＶ通過予定大当たりの場合、図１１に示す時短状態用の変動パターン判定テーブルＴ６のうち、Ｖ通過予定大当たりに該当する部分（特図１では変動パターンが「Ｐ４１」〜「Ｐ４３」の部分、特図２では変動パターンが「Ｐ６１」または「Ｐ６２」の部分）が参照される。読み出した変動パターン乱数値から、特図１では変動パターンとして「Ｐ４１」〜「Ｐ４３」のいずれか、特図２では「Ｐ６１」または「Ｐ６２」が選択される。また、例えば、ステップＳ１６１６の場合、すなわち、大当たり種別がＶ非通過予定大当たりの場合、図１１に示す時短状態用の変動パターン判定テーブルＴ６のうち、Ｖ非通過予定大当たりに該当する部分（特図１では変動パターンが「Ｐ４４」〜「Ｐ４６」の部分、特図２では変動パターンが「Ｐ６３」の部分）が参照される。読み出した変動パターン乱数値から、特図１では変動パターンとして「Ｐ４４」〜「Ｐ４６」のいずれか、特図２では「Ｐ６３」が選択される。また、例えば、ステップＳ１６２１の場合、すなわち小当たりの場合、図１１に示す時短状態用の変動パターン判定テーブルＴ６のうち、小当たりに該当する部分（「Ｐ７４」の部分）が参照される。読み出した変動パターン乱数値から、変動パターンとして「Ｐ７４」が選択される。
【０１２７】
上記のように変動パターンの選択（ステップＳ１６０５、Ｓ１６０６、Ｓ１６０８、Ｓ１６０９、Ｓ１６１１、Ｓ１６１５、Ｓ１６１６、Ｓ１６１８、Ｓ１６１９、Ｓ１６２１）をおこなった後、遊技制御用マイコン８１は、選択した変動パターンをセットして（ステップＳ１６３０）本処理を終える。セットされた変動パターンの情報は変動開始コマンドに含められて、出力処理（図１６：ステップＳ１０８）においてサブ制御基板９０に送信される。これにより特別図柄の変動表示が開始される。
【０１２８】
［特別図柄変動中処理］
図２６は、特別図柄変動中処理（図２１：ステップＳ１３０４）のフローチャートである。遊技制御用マイコン８１は、まず、特別図柄の変動時間が経過して終了したか否かの判定をおこなう（ステップＳ１７０１）。特別図柄の変動時間とは、上述の変動パターン選択処理（図２４、図２５）で選択された変動パターンに応じて決定される変動時間である。変動時間が終了していない場合（ステップＳ１７０１：ＮＯ）、本処理を終える。すなわち、特別図柄待機処理（図２２）のステップＳ１４０６またはＳ１４１２において開始された特別図柄の変動表示が継続される。一方、変動時間が終了している場合（ステップＳ１７０１：ＹＥＳ）、変動停止コマンドをセットし（ステップＳ１７０２）、特別動作ステータスを「３」にセットする（ステップＳ１７０３）。また、遊技制御用マイコン８１は、変動停止にともなうその他の処理をおこなう（ステップＳ１７０４）。例えば、遊技制御用マイコン８１は、特別図柄の変動表示を、セットされている特図停止図柄データに応じた図柄で停止させる処理等をおこなう。その後、遊技制御用マイコン８１は、本処理を終える。
【０１２９】
［特別図柄確定処理］
図２７は、特別図柄確定処理（図２１：ステップＳ１３０６）のフローチャートである。遊技制御用マイコン８１は、まず、遊技状態管理処理をおこなう（ステップＳ１８０１）。遊技状態管理処理の内容について後述する。遊技状態管理処理の後、大当たりフラグがＯＮであるか否かの判定をおこなう（ステップＳ１８０２）。大当たりフラグがＯＦＦである場合（ステップＳ１８０２：ＮＯ）、遊技制御用マイコン８１は、小当たりフラグがＯＮであるか否かの判定をおこなう（ステップＳ１８１０）。小当たりフラグがＯＦＦである場合（ステップＳ１８１０：ＮＯ）、遊技制御用マイコン８１は、特別動作ステータスを「１」にセットして（ステップＳ１８０８）、本処理を終了する。これにより、大当たり遊技および小当たり遊技は開始されず、再度、特別図柄待機処理（図２２）に移行し、次の保留に対する大当たり判定や小当たり判定等が実行される。
【０１３０】
大当たりフラグがＯＮの場合（ステップＳ１８０２：ＹＥＳ）、遊技制御用マイコン８１は、当選した大当たりの種別に応じた大入賞口およびＶ開閉部材の開放パターンのセットをおこなう（ステップＳ１８０３）。具体的には、遊技制御用マイコン８１は、大入賞口開放パターン判定テーブルＴ８（図１３）を参照して、特図停止図柄データから大入賞口の開放パターンを決定し、決定した開放パターンをセットする。例えば、特図停止図柄データが「１１Ｈ」の場合には、大入賞口の開放パターンとして「開放パターン２１」がセットされる。また、遊技制御用マイコン８１は、Ｖ開閉部材開放パターン判定テーブルＴ９（図１４）を参照して、特図停止図柄データからＶ開閉部材７１の開放パターンを決定し、決定した開放パターンをセットする。例えば、特図停止図柄データが「１１Ｈ」の場合には、Ｖ開閉部材７１の開放パターンとして「開放パターン３１」がセットされる。大入賞口およびＶ開閉部材の開放パターンのセットとあわせてラウンドカウンタの値を、当選した大当たりの種類に応じたラウンド数にセットする。ラウンドカウンタとは、大当たり遊技中に実行した単位開放遊技（ラウンド遊技）の回数をカウントするものである。ここでは、ラウンドカウンタには「１６」がセットされる（図１３（Ｂ））。
【０１３１】
開放パターンのセット後、遊技制御用マイコン８１は、遊技状態リセット処理をおこなう（ステップＳ１８０４）。遊技状態リセット処理とは、確変フラグや時短フラグをリセットする（ＯＦＦに戻す）ための処理であり、内容については後述する。遊技状態リセット処理の後、大当たり遊技を開始するために、大当たりのオープニングコマンドをセットし（ステップＳ１８０５）、オープニングを開始する（ステップＳ１８０６）。その後、特別動作ステータスを「４」にセットして（ステップＳ１８０７）、本処理を終える。
【０１３２】
一方、小当たりフラグがＯＮである場合（ステップＳ１８１０：ＹＥＳ）、遊技制御用マイコン８１は、当選した小当たりラッシュ付き大当たりの種別に応じた大入賞口の開放パターンのセットをおこなう（ステップＳ１８１１）。具体的には、遊技制御用マイコン８１は、大入賞口開放パターン判定テーブルＴ８（図１３）を参照して、特図停止図柄データから大入賞口の開放パターンを決定し、決定した開放パターンをセットする。例えば、特図停止図柄データが「２０Ｈ」の場合には、大入賞口の開放パターンとして「開放パターン２５」がセットされる。開放パターンのセット後、遊技制御用マイコン８１は、特別動作ステータスを「４」にセットして（ステップＳ１８０７）、本処理を終える。
【０１３３】
［遊技状態管理処理］
図２８は、遊技状態管理処理（図２７：ステップＳ１８０１）のフローチャートである。遊技制御用マイコン８１は、まず、確変フラグがＯＮか否かの判定をおこなう（ステップＳ２００１）。確変フラグがＯＦＦの場合（ステップＳ２００１：ＮＯ）、処理はステップＳ２００５にスキップする。確変フラグがＯＮの場合（ステップＳ２００１：ＹＥＳ）、確変カウンタの値を１ディクリメントする（ステップＳ２００２）。確変カウンタとは、高確率状態中に実行した特別図柄の変動回数をカウントするものである。ここでは、高確率状態への移行時に確変カウンタに「１００００」がセットされる。遊技制御用マイコン８１は、確変カウンタを１ディクリメントした結果、カウンタの値が「０」になったか否かの判定をおこなう（ステップＳ２００３）。確変カウンタの値が「０」ではない場合（ステップＳ２００３：ＮＯ）、処理はステップＳ２００５にスキップする。確変カウンタの値が「０」の場合（ステップＳ２００３：ＹＥＳ）、確変フラグをＯＦＦに切り替える（ステップＳ２００４）。なお、確変カウンタに「１００００」がセットされた場合、実質確変カウンタの値が「０」になることはない。
【０１３４】
ステップＳ２００５では、遊技制御用マイコン８１は、時短フラグがＯＮか否かの判定をおこなう。時短フラグがＯＦＦの場合（ステップＳ２００５：ＮＯ）、処理はステップＳ２００９にスキップする。時短フラグがＯＮの場合（ステップＳ２００５：ＹＥＳ）、時短カウンタの値を１ディクリメントする（ステップＳ２００６）。時短カウンタとは、時短状態中に実行した特別図柄の変動回数をカウントするものである。ここでは、時短状態への移行時に時短カウンタに「１００００」がセットされる。遊技制御用マイコン８１は、時短カウンタを１ディクリメントした結果、カウンタの値が「０」になったか否かの判定をおこなう（ステップＳ２００７）。時短カウンタの値が「０」ではない場合（ステップＳ２００７：ＮＯ）、処理はステップＳ２００９にスキップする。時短カウンタの値が「０」の場合（ステップＳ２００７：ＹＥＳ）、時短フラグをＯＦＦに切り替える（ステップＳ２００８）。なお、時短カウンタに「１００００」がセットされた場合、実質時短カウンタの値が「０」になることはない。
【０１３５】
ステップＳ２００９では、遊技制御用マイコン８１は、遊技状態指定コマンドをメインＲＡＭ８４のコマンドセット領域（出力バッファ）８４ａにセットして、本処理を終える。遊技状態指定コマンドには、今設定した現在の遊技状態に関する情報（確変状態か否か、確変カウンタ値、時短状態か否か、時短カウンタ値など）が含まれている。
【０１３６】
［遊技状態リセット処理］
図２９は、遊技状態リセット処理（図２７：ステップＳ１８０４）のフローチャートである。遊技制御用マイコン８１は、まず、確変フラグがＯＮか否かの判定をおこなう（ステップＳ２１０１）。確変フラグがＯＦＦの場合（ステップＳ２１０１：ＮＯ）、処理はステップＳ２１０３にスキップする。確変フラグがＯＮの場合（ステップＳ２１０１：ＹＥＳ）、確変フラグをＯＦＦに切り替える（ステップＳ２１０２）。ステップＳ２１０３において、遊技制御用マイコン８１は、時短フラグがＯＮか否かの判定をおこなう。時短フラグがＯＦＦの場合（ステップＳ２１０３：ＮＯ）、本処理を終える。時短フラグがＯＮの場合（ステップＳ２１０３：ＹＥＳ）、時短フラグをＯＦＦに切り替える（ステップＳ２１０４）。つまり、大当たり遊技の実行中は、非高確率状態かつ非時短状態となる。遊技機１では、非時短状態時は常に低ベース状態となるため、大当たり遊技の実行中は低ベース状態となる。
【０１３７】
［特別電動役物処理］
図３０は、特別電動役物処理（図２１：ステップＳ１３０８）のフローチャートである。遊技制御用マイコン８１は、まず、大当たり終了フラグがＯＮか否かの判定をおこなう（ステップＳ２２００）。「大当たり終了フラグ」とは、実行中の大当たり遊技において、開放パターンに基づく大入賞装置（第１大入賞装置３１および第２大入賞装置３６）の開放がすべて終了したことを示すフラグである。大当たり終了フラグがＯＮの場合（ステップＳ２２００：ＹＥＳ）、処理はステップＳ２２３０に移行する。大当たり終了フラグがＯＦＦの場合（ステップＳ２２００：ＮＯ）、Ｖ開閉部材７１を作動させるためのＶ開閉部材動作処理をおこなう（ステップＳ２２０１）。本実施形態のＶ開閉部材７１は、第１大入賞口３０に所定個数の遊技球が入賞した時に作動するように構成されており、Ｖ開閉部材動作処理では、Ｖ開閉部材開放パターンＴ９に応じて所定番目の遊技球の入賞時にＶ開閉部材７１を所定期間開放させる。Ｖ開閉部材動作処理の詳細については後述する。Ｖ開閉部材動作処理の後、遊技制御用マイコン８１は、大入賞口（第１大入賞口３０および第２大入賞口３５）が開放中か否かの判定をおこなう（ステップＳ２２０２）。開放中の場合（ステップＳ２２０２：ＹＥＳ）、処理はステップＳ２２１０に移行する。
【０１３８】
大入賞口が開放中ではない場合（ステップＳ２２０２：ＮＯ）、遊技制御用マイコン８１は、大入賞口を開放する時間（タイミング）か否かの判定をおこなう（ステップＳ２２０３）。大入賞口を開放する時間には、例えば、大当たりのオープニングの時間が経過して初回のラウンド遊技における開放開始の時期に至ったときや、開放後に一時的に閉鎖した大入賞口を再び開放させるまでのインターバル時間（閉鎖時間）が経過して、再度の開放開始の時期に至ったときが含まれる。大入賞口を開放する時間ではない場合（ステップＳ２２０３：ＮＯ）、処理はステップＳ２２２０に移行する。
【０１３９】
大入賞口を開放する時間（タイミング）である場合（ステップＳ２２０３：ＹＥＳ）、遊技制御用マイコン８１は、大入賞口開放処理をおこなう（ステップＳ２２０７）。具体的には、遊技制御用マイコン８１は、大当たりの種類に応じた開放パターン（図１３）に従って大入賞口（第１大入賞口３０または第２大入賞口３５）を開放させる。大入賞口開放処理の後、遊技制御用マイコン８１は、ラウンド指定コマンドのセットをおこなう（ステップＳ２２０８）。ラウンド指定コマンドには、実行中の大当たり遊技のラウンド数に関する情報が含まれており、遊技制御用マイコン８１は、ラウンド指定コマンドをメインＲＡＭ８４の出力バッファにセットする。なお、本実施形態では、１回のラウンド遊技中に複数回の大入賞口の開放がなされることがない。しかし、他の実施形態として、１回のラウンド遊技中に複数回の大入賞口の開放がなされる場合には、遊技制御用マイコン８１は、大入賞口の開放が１回のラウンド中での初めての開放か否かを判定し、初めての開放の場合のみ、ラウンド指定コマンドをセットするようにしてもよい。ラウンド指定コマンドをセットした後、本処理を終える。
【０１４０】
上述のステップＳ２２０２において、大入賞口の開放中の場合（ステップＳ２２０２：ＹＥＳ）、遊技制御用マイコン８１は、大入賞口の閉鎖条件が成立しているか否かの判定をおこなう（ステップＳ２２１０）。ここでの閉鎖条件は、そのラウンド遊技における大入賞口への入賞個数が規定の最大入賞個数（例えば、１ラウンドあたり９個）に達したこと、または、大入賞口を閉鎖させる時間に至ったこと（すなわち、大入賞口を開放してから所定の開放時間（図１３）が経過したこと）のいずれかが満たされていることである。そして、大入賞口の閉鎖条件が成立していなければ（ステップＳ２２１０：ＮＯ）、遊技制御用マイコン８１は、本処理を終える。一方、大入賞口の閉鎖条件が成立している場合には（ステップＳ２２１０：ＹＥＳ）、遊技制御用マイコン８１は、大入賞口を閉鎖（閉塞）する（ステップＳ２２１１）。
【０１４１】
上述のステップＳ２２０３において、大入賞口を開放する時間（タイミング）ではない場合、遊技制御用マイコン８１は、当該ラウンド遊技が終了しているか否かの判定をおこなう（ステップＳ２２２０）。ここでは１回のラウンドは、大入賞口が閉鎖してから所定の時間（ここでは２秒）経過後に終了する。上述のように、ラウンド遊技間の大入賞口の閉鎖の時間（インターバル時間）は、その閉鎖前の開放ラウンド遊技に含まれるためである。遊技制御用マイコン８１は、大入賞口を閉鎖してから所定のインターバル時間が経過したか否かによって、当該ラウンド遊技が終了しているか否かの判定をおこなう。当該ラウンド遊技が終了していない場合（ステップＳ２２２０：ＮＯ）、遊技制御用マイコン８１は本処理を終了する。
【０１４２】
当該ラウンド遊技が終了している場合（ステップＳ２２２０：ＹＥＳ）、遊技制御用マイコン８１は、ラウンドカウンタの値を１ディクリメンとし（ステップＳ２２２１）、ラウンドカウンタの値が「０」であるか否かの判定をおこなう（ステップＳ２２２６）。ラウンドカウンタの値が「０」でなはい場合（ステップＳ２２２６：ＮＯ）、すなわち、規定のラウンド遊技回数をまだ消化していない場合、次のラウンド遊技を開始するために本処理を終える。一方、ラウンドカウンタの値が「０」の場合、大当たり遊技を終了させる大当たり終了処理として、大当たりのエンディングコマンドをセットするとともに（ステップＳ２２２７）、大当たりのエンディングを開始する（ステップＳ２２２８）。本実施形態では、「１６Ｒ（実質１３Ｒ）Ｖ通過予定大当たり」でＶ領域３９への遊技球の通過があった場合のエンディング時間（例えば１８秒）は、「１６Ｒ（実質１３Ｒ）Ｖ非通過予定大当たり」でＶ領域３９への遊技球の通過が無かった場合のエンディング時間と同じ長さになっている。これにより、遊技者に対して、「１６Ｒ（実質１３Ｒ）Ｖ通過予定大当たり」でＶ領域３９への遊技球の通過があった場合であっても、「１６Ｒ（実質１３Ｒ）Ｖ非通過予定大当たり」でＶ領域３９への遊技球の通過が無かったと認識させることができる。なお、「１６Ｒ（実質１３Ｒ）Ｖ通過予定大当たり」でＶ領域３９への遊技球の通過が無かった場合のエンディング時間もこれらと同じ長さになっている。大当たりのエンディングの開始後、大当たり終了フラグをＯＮにセットして（ステップＳ２２２９）、本処理を終える。
【０１４３】
上述のステップＳ２２００において、大当たり終了フラグがＯＮの場合（ステップＳ２２００：ＹＥＳ）、最終ラウンドが終了しているので、遊技制御用マイコン８１は、大当たりのエンディングの時間が経過したか否かを判定する（ステップＳ２２３０）。エンディング時間が経過していない場合（ステップＳ２２３０：ＮＯ）、遊技制御用マイコン８１は、本処理を終える。一方、エンディング時間が経過している場合（ステップＳ２２３０：ＹＥＳ）、遊技制御用マイコン８１は、大当たり終了フラグをＯＦＦにするとともに（ステップＳ２２３１）、大当たりフラグをＯＦＦにし（ステップＳ２２３２）、特別動作ステータスを「１」にセットする（ステップＳ２２３３）。これにより、次回の特別動作処理において、再び特別図柄待機処理（ステップＳ１３０２）が実行される。その後、後述の遊技状態設定処理（ステップＳ２２３４）を実行し本処理を終える。
【０１４４】
また、特別電動役物処理では、上述したような、大当たり遊技における大入賞口（第１大入賞口３０または第２大入賞口３５）の開放処理に加え、小当たり遊技における大入賞口（第２大入賞口３５）の開放処理もおこなうようになっている。図示は省略するが、具体的には、遊技制御用マイコン８１は、小当たりフラグがＯＮになると、当選した小当たりラッシュ付き大当たりの種別に応じた開放パターン（図１３）に従って、大入賞口（第２大入賞口３５）を開放させ、その後、大入賞口の閉鎖条件（図１３）が成立しているか否かの判定をおこない、大入賞口の閉鎖条件が成立している場合には、大入賞口を閉鎖（閉塞）する（小当たり遊技終了）。その後、小当たりフラグをＯＦＦにし、特別動作ステータスを「１」にセットする。
【０１４５】
［Ｖ開閉部材動作処理］
図３１は、Ｖ開閉部材動作処理（図３０：ステップＳ２２０１）のフローチャートである。遊技制御用マイコン８１は、まず、現在のラウンド遊技（当該ラウンド）がＶ開閉部材７１の開放ラウンドであるか否かの判定をおこなう（ステップＳ２５０１）。ここでは、第２ラウンド，第４ラウンド，第６ラウンド，第８ラウンド，第１０ラウンド，第１２ラウンドがＶ開閉部材７１の開放ラウンドに該当する。遊技制御用マイコン８１は、ラウンドカウンタの値が「１５」，「１３」，「１１」，「９」，「７」，「５」のとき、開放ラウンドであると判定することができる。Ｖ開閉部材７１の開放ラウンドではない場合（ステップＳ２５０１：ＮＯ）、本処理を終える。当該ラウンドにおいてＶ開閉部材７１を作動させる必要がないためである。
【０１４６】
Ｖ開閉部材７１の開放ラウンドである場合（ステップＳ２５０１：ＹＥＳ）、遊技制御用マイコン８１は、第１入賞フラグがＯＮか否かの判定をおこなう（ステップＳ２５０２）。「第１入賞フラグ」とは、当該ラウンドにおいて、第１大入賞口３０に１球目の入賞があったことを示すフラグである。第１入賞フラグがＯＮの場合（ステップＳ２５０２：ＹＥＳ）、処理はステップＳ２５２０に移行する。第１入賞フラグがＯＦＦの場合（ステップＳ２５０２：ＮＯ）、１球目の入賞を検出したか否かの判定をおこなう（ステップＳ２５０３）。１球目の入賞を検出していない場合（ステップＳ２５０３：ＮＯ）、本処理を終える。当該ラウンドにおいて第１大入賞口３０への入賞がまだなく、Ｖ開閉部材７１を作動させる必要がないためである。
【０１４７】
１球目の入賞を検出した場合（ステップＳ２５０３：ＹＥＳ）、遊技制御用マイコン８１は、Ｖ開閉部材７１をショート開放させるとともに、Ｖ有効期間設定処理をおこなう（ステップＳ２５０４）。Ｖ開閉部材７１をショート開放させるのは、Ｖ開閉部材７１の開放パターン（図１４（Ｂ））では、「ショート開放」、「ロング開放」のいずれの場合であっても、１球目の入賞時にショート開放（ここでは０．１秒）を実行させるためである。なお、Ｖ開閉部材７１のショート開放では、Ｖ開閉部材７１の開放時間が非常に短いため、第１大入賞口３０に入賞した１球目の遊技球は、Ｖ領域３９を通過せずに非Ｖ領域７０を通過するように構成されている。Ｖ有効期間設定処理では、Ｖ開閉部材７１の開放中、および、Ｖ開閉部材７１の閉鎖後の数秒間を、Ｖ領域センサ３９ａによる遊技球の検知を有効とするＶ有効期間に設定する。ここでは、遊技制御用マイコン８１は、Ｖ開閉部材７１の開放パターン（図１４（Ｂ））に従って、Ｖ開閉部材７１をショート開放（ここでは０．１秒）させ、Ｖ開閉部材７１の開放中および閉鎖後１秒間をＶ有効期間に設定する。遊技制御用マイコン８１は、Ｖ有効期間以外の期間（大当たり遊技を実行していないときも含む）を、Ｖ領域センサ３９ａによる遊技球の検知を無効と判定するＶ無効期間に設定している。ここで「Ｖ領域センサ３９ａによる遊技球の検知を有効と判定する」とは、Ｖ領域センサ３９ａによる遊技球の検知に基づいてＶフラグをＯＮにすることを意味する（後述のＶ領域センサ検出処理（図３３）参照）。また、「Ｖ領域センサ３９ａによる遊技球の検知を無効と判定する」とは、Ｖ領域センサ３９ａによる遊技球の検知があってもＶフラグをＯＮにしないことを意味する。なお、Ｖ有効期間にＶ開閉部材７１の閉鎖後の数秒間（球ハケ期間）を含めているのは、Ｖ開閉部材７１とＶ領域センサ３９ａとの間には物理的な距離があるため、Ｖ開閉部材７１の閉鎖直前にＶ領域３９側に入球した遊技球がＶ領域センサ３９ａによって検知されるまでの期間を考慮したものである。すなわち、ここでは、Ｖ有効期間中のＶ通過（Ｖ領域３９への遊技球の通過）の検知時のみＶフラグをＯＮし、Ｖ有効期間外（Ｖ無効期間）のＶ通過検知時にはＶフラグをＯＮしないこととしている。なお、ＶフラグがＯＮである場合には、確変フラグがＯＮされる、すなわち、大当たり遊技後の遊技状態が高確率状態に設定される（後述の遊技状態設定処理（図３２）参照）。このようにすることで、不正行為によるＶ通過に基づいてＶフラグがＯＮされ、高確率状態に設定されることのないようにしている。Ｖ開閉部材７１のショート開放およびＶ有効期間設定処理の後、遊技制御用マイコン８１は、第１入賞フラグをＯＮに切り替え（ステップＳ２５０５）、ステップＳ２５４０に移行する。
【０１４８】
ステップＳ２５０２において、第１入賞フラグがＯＮの場合、すなわち、既に１球目の入賞があった場合（ステップＳ２５０２：ＹＥＳ）、遊技制御用マイコン８１は、第２入賞フラグがＯＮか否かの判定をおこなう（ステップＳ２５２０）。「第２入賞フラグ」とは、当該ラウンドのＶ開閉部材７１の開放パターンがロング開放の場合には、第１大入賞口３０に２球目の入賞があったことを示すフラグである。第２入賞フラグがＯＮの場合（ステップＳ２５２０：ＹＥＳ）、処理はステップＳ２５４０に移行する。第２入賞フラグがＯＦＦの場合（ステップＳ２５２０：ＮＯ）、遊技制御用マイコン８１は、当該ラウンドにおけるＶ開閉部材７１の開放パターンがロング開放か否かの判定をおこなう（ステップＳ２５２１）。ロング開放ではない場合（ステップＳ２５２１：ＮＯ）、すなわち、ショート開放である場合、処理はステップＳ２５４０に移行する。一方、ロング開放である場合（ステップＳ２５２１：ＹＥＳ）、遊技制御用マイコン８１は、２球目の入賞を検出したか否かの判定をおこなう（ステップＳ２５２２）。２球目の入賞を検出していない場合（ステップＳ２５２２：ＮＯ）、処理はステップＳ２５４０に移行する。
【０１４９】
２球目の入賞を検出した場合（ステップＳ２５２２：ＹＥＳ）、遊技制御用マイコン８１は、Ｖ開閉部材７１をロング開放させるとともに、Ｖ有効期間設定処理をおこなう（ステップＳ２５２３）。Ｖ開閉部材７１をロング開放させるのは、Ｖ開閉部材７１の開放パターン（図１４（Ｂ））では、「ロング開放」の場合、２球目の入賞時にロング開放（ここでは最大３１．５秒）を実行させるためである。なお、ここでは、１回のラウンド遊技時間は最長で３１．５秒（大入賞口最大開放時間２９．５秒＋インターバル閉鎖時間２秒）となるため、一般的には、２球目の入賞時からラウンドの終了時までの時間は３１．５秒よりも短くなる。後述のように、Ｖ開閉部材７１は、当該ラウンドの終了時に強制的に閉鎖されるため、Ｖ開閉部材７１のロング開放の開放時間は、３１．５秒よりも短くなる。しかし、Ｖ開閉部材７１のロング開放は、Ｖ開閉部材７１の開放時間が比較的長いため、第１大入賞口３０に入賞した２球目以降の遊技球の少なくとも一部は、Ｖ領域３９を通過するように構成されている。Ｖ有効期間設定処理では、遊技制御用マイコン８１は、Ｖ開閉部材７１の開放中をＶ有効期間に設定し、当該ラウンドの終了時にＶ開閉部材７１の閉鎖とともにＶ無効期間を設定する。Ｖ開閉部材７１のロング開放およびＶ有効期間設定処理の後、遊技制御用マイコン８１は、第２入賞フラグをＯＮに切り替え（ステップＳ２５２４）、ステップＳ２５４０に移行する。
【０１５０】
ステップＳ２５４０では、遊技制御用マイコン８１は、Ｖ開閉部材７１が開放中か否かの判定をおこなう。Ｖ開閉部材７１が開放中の場合（ステップＳ２５４０：ＹＥＳ）、遊技制御用マイコン８１は、当該ラウンド遊技が終了しているか否かの判定をおこなう（ステップＳ２５５０）。既述のように、遊技制御用マイコン８１は、大入賞口を閉鎖してから所定のインターバル時間（ここでは２秒）が経過したか否かによって、当該ラウンド遊技が終了しているか否かの判定をおこなう。
【０１５１】
当該ラウンド遊技が終了している場合（ステップＳ２５５０：ＹＥＳ）、遊技制御用マイコン８１は、第１入賞フラグおよび第２入賞フラグをＯＦＦに切り替え（ステップＳ２５５１）、Ｖ開閉部材閉鎖処理およびＶ無効期間設定処理をおこなう（ステップＳ２５５２）。ここでは、当該ラウンド遊技の終了時に遊技制御用マイコン８１は、Ｖ開閉部材７１を強制的に閉鎖させ、Ｖ開閉部材７１の閉鎖後数秒間（ここでは１秒間）経過後から、Ｖ無効期間に設定し、本処理を終える。
【０１５２】
当該ラウンド遊技が終了していない場合（ステップＳ２５５０：ＮＯ）、遊技制御用マイコン８１は、Ｖ開閉部材７１の閉鎖条件が成立しているか否かの判定をおこなう（ステップＳ２５６０）。Ｖ開閉部材７１の閉鎖条件とは、例えば、ショート開放であれば、Ｖ開閉部材７１の開放後に所定期間（例えば０．１秒）が経過していること等が例示できる。閉鎖条件が成立している場合（ステップＳ２５６０：ＹＥＳ）、Ｖ開閉部材閉鎖処理およびＶ無効期間設定処理をおこない（ステップＳ２５５２）、本処理を終える。閉鎖条件が成立していない場合（ステップＳ２５６０：ＮＯ）、Ｖ開閉部材７１を開放状態、Ｖ有効期間を継続したまま本処理を終える。
【０１５３】
ステップＳ２５４０において、遊技制御用マイコン８１は、Ｖ開閉部材７１が閉鎖中と判定した場合（ステップＳ２５４０：ＮＯ）、当該ラウンド遊技が終了しているか否かの判定をおこなう（ステップＳ２５７１）。当該ラウンドが終了している場合（ステップＳ２５７１：ＹＥＳ）、遊技制御用マイコン８１は、第１入賞フラグおよび第２入賞フラグをＯＦＦに切り替えて（ステップＳ２５７２）、本処理を終える。ラウンドが終了していない場合には（ステップＳ２５７１：ＮＯ）、そのまま本処理を終える。
【０１５４】
［遊技状態設定処理］
図３２は、遊技状態設定処理（図３０：ステップＳ２２３４）のフローチャートである。遊技制御用マイコン８１は、まず、ＶフラグがＯＮか否かの判定をおこなう（ステップＳ２３０１）。ＶフラグがＯＦＦの場合（ステップＳ２３０１：ＮＯ）、遊技制御用マイコン８１は、ステップＳ２３０９に処理を進める。一方、ステップＳ２３０１において、ＶフラグがＯＮの場合（ステップＳ２３０１：ＹＥＳ）、遊技制御用マイコン８１は、確変フラグをＯＮにし（ステップＳ２３０４）、確変カウンタに「１００００」をセットし（ステップＳ２３０５）、ＶフラグをＯＦＦにする（ステップＳ２３０６）。また、遊技制御用マイコン８１は、時短フラグをＯＮにし（ステップＳ２３０７）、時短カウンタに「１００００」をセットする（ステップＳ２３０８）。これにより、今回の大当たり遊技後の遊技状態が「高確率状態」かつ「時短状態」かつ「高ベース状態」（すなわち、高確高ベース）になる。この高確高ベース状態は、特別図柄の可変表示が１００００回おこなわれること、または、次の大当たりに当選すること、のいずれかの条件の成立によって終了する。
なお、高確率状態では、大当たり確率が約１／１０１であり、現実的には、高確高ベース状態で１００００回の大当たり抽選を行う前に、ほぼ大当たりとなる。従って、本実施形態の遊技機１では、時短状態における特別図柄２（第２始動口経由）での大当たりであってＶ通過予定の大当たり（特図停止図柄データ２０Ｈ，２１Ｈ）は、その大当たり遊技中にＶ通過すれば、その大当たり後の遊技状態が、次回の大当たりまで高確高ベース状態となり、小当たりラッシュになることがほぼ確約される。
【０１５５】
ステップＳ２３０９では、遊技制御用マイコン８１は、遊技状態指定コマンドをメインＲＡＭ８４のコマンドセット領域（出力バッファ）８４ａにセットして、本処理を終える。遊技状態指定コマンドには、今設定した遊技状態に関する情報が含まれている。
【０１５６】
［Ｖ領域センサ検出処理］
図３３は、Ｖ領域センサ検出処理（図１６：ステップＳ１０６）のフローチャートである。遊技制御用マイコン８１は、まず、Ｖ領域センサ３９ａによる遊技球の検知があったか否かの判定をおこなう（ステップＳ２６０１）。Ｖ領域センサ３９ａによる遊技球の検知がない場合には（ステップＳ２６０１：ＮＯ）、本処理を終える。一方、検知がある場合には（ステップＳ２６０１：ＹＥＳ）、遊技制御用マイコン８１は、Ｖ有効期間中か否かの判定をおこなう（ステップＳ２６０２）。Ｖ有効期間は、Ｖ開閉部材動作処理（図３１）のＶ有効期間設定処理（ステップＳ２５０４，Ｓ２５２３）によって設定される期間である。Ｖ有効期間は、第２ラウンド，第４ラウンド，第６ラウンド，第８ラウンド，第１０ラウンド，第１２ラウンド中のＶ開閉部材７１の開放時や閉鎖後の数秒間（球ハケ期間）に設定される。Ｖ有効期間中ではない場合には（ステップＳ２６０２：ＮＯ）、本処理を終える。一方、Ｖ有効期間中である場合（ステップＳ２６０２：ＹＥＳ）、遊技制御用マイコン８１は、ＶフラグをＯＮするとともに（ステップＳ２６０３）、Ｖ通過コマンドをセットして（ステップＳ２６０４）、本処理を終える。
【０１５７】
［保留球数処理］
図３４は、保留球数処理（図１６：ステップＳ１０７）のフローチャートである。遊技制御用マイコン８１は、まず、メインＲＡＭ８４に記憶されている特図１保留球数、特図２保留球数、および、普通図柄保留球数の読み出しをおこなう（ステップＳ２７０１）。次に、遊技制御用マイコン８１は、保留球数コマンドをメインＲＡＭ８４のコマンドセット領域（出力バッファ）８４ａにセットする（ステップＳ２７０２）。保留球数コマンドは、保留球数をサブ制御基板９０に通知するためのコマンドであり、特図１保留球数、特図２保留球数、および、普通図柄保留球数に関する情報を含んでいる。保留球数コマンドのセット後、遊技制御用マイコン８１は、本処理を終了する。
【０１５８】
７．演出制御用マイコン９１の動作
図３５〜図４５に基づいてサブ制御基板９０（図４）に設けられた演出制御用マイコン９１の動作について説明する。演出制御用マイコン９１の動作説明にて登場するカウンタ、フラグ、ステータス、バッファ等はサブＲＡＭ９４に設けられている。
【０１５９】
［サブ制御メイン処理］
図３５は、サブ制御メイン処理を示すフローチャートである。演出制御用マイコン９１は、遊技機１の電源がオンされると、サブＲＯＭ９３からサブ制御メイン処理を実行するためのプログラムを読み出す。サブ制御メイン処理では、演出制御用マイコン９１は、まず、ＣＰＵ初期化処理をおこなう（ステップＳ４０００）。ＣＰＵ初期化処理では、例えば、サブＣＰＵ９２の設定、各種のフラグ、ステータスおよびカウンタなどのリセット等をおこなう。フラグの初期値は「０」つまり「ＯＦＦ」であり、ステータスの初期値は「１」であり、カウンタの初期値は「０」である。なお、ＣＰＵ初期化処理は、電源投入後に一度だけ実行され、それ以降は実行されない。
【０１６０】
ＣＰＵ初期化処理の後、演出制御用マイコン９１は、割り込み処理の割り込みを禁止し（ステップＳ４０１５）、乱数更新処理（ステップＳ４０２０）をおこなう。この乱数更新処理では、演出制御用マイコン９１は、図７（Ｂ）で示した乱数カウンタ値を１加算して更新する。各乱数カウンタ値は設定された上限値に達すると「０」に戻って再び加算される。なお、各乱数カウンタの初期値は「０」以外の値であってもよく、ランダムに変更されるものであってもよい。また、乱数値は、１ずつ加算する以外に、２以上を加算するようにしてもよい。各乱数はいわゆるハードウェア乱数であってもよい。
【０１６１】
乱数更新処理の後、演出制御用マイコン９１は、割り込み処理の割り込みを許可する（ステップＳ４０２５）。割り込み許可中は、サブ側タイマ割り込み処理（ステップＳ４０３５）の実行が可能となる。サブ側タイマ割り込み処理は、所定の周期でサブＣＰＵ９２に繰り返し入力される割り込みパルスに基づいて実行される。すなわち、サブ側タイマ割り込み処理は、所定周期ごとに実行される。そして、サブ側タイマ割り込み処理が終了してから、次にサブ側タイマ割り込み処理が開始されるまでの間に、乱数更新処理が繰り返し実行される。
【０１６２】
［サブ側タイマ割り込み処理］
図３６は、サブ側タイマ割り込み処理（図３５：ステップＳ４０３５）のフローチャートである。演出制御用マイコン９１は、まず、受信コマンド解析処理をおこなう（ステップＳ４３００）。受信コマンド解析処理の詳細については後述する。受信コマンド解析処理の後、演出制御用マイコン９１は、変動演出中処理をおこなう（ステップＳ４３０５）。変動演出中処理は、変動演出中に特定のタイミングで変動終了前コマンドをセットして、表示画面７ａに特定の表示演出を実行させるための処理であり、詳細については後述する。変動演出中処理の後、演出制御用マイコン９１は、スイッチ処理をおこなう（ステップＳ４３１０）。スイッチ処理では、演出制御用マイコン９１は、演出ボタン検出スイッチ６３ａからの検知信号に基づいて出力されたスイッチデータ（エッジデータおよびレベルデータ）に基づいて、表示画面７ａの表示内容の設定等をおこなう。スイッチ処理の後、演出制御用マイコン９１は、コマンド送信処理をおこなう（ステップＳ４３１５）。コマンド送信処理では、演出制御用マイコン９１は、受信コマンド解析処理等でサブＲＡＭ９４の演出コマンドセット領域９４ｂ（出力バッファ）にセットした各種コマンドを画像制御基板１００、音声制御基板１０６、ランプ制御基板１０７、中継基板１０８に送信する。各種コマンドを受信した画像制御基板１００は、画像表示装置７を用いて、受信したコマンドに応じた表示演出を実行する。また、各種コマンドを受信した音声制御基板１０６は、受信したコマンドに応じて、スピーカ６７から音声を出力する音声演出を実行する。各種コマンドを受信したランプ制御基板１０７は、受信したコマンドに応じて盤ランプ５や枠ランプ６６の発光制御を行うランプ演出を実行する。コマンド送信処理の後、演出制御用マイコン９１は、その他の処理をおこない（ステップＳ４３２０）、本処理を終える。その他の処理では、例えば、乱数更新処理等がおこなわれる。
【０１６３】
［受信コマンド解析処理］
図３７は、受信コマンド解析処理（図３６：ステップＳ４３００）のフローチャートである。演出制御用マイコン９１は、まず、主制御基板８０から事前判定コマンドを受信したか否かの判定をおこなう（ステップＳ４４１５）。受信している場合（ステップＳ４４１５：ＹＥＳ）、先読み演出決定処理をおこなう（ステップＳ４４２０）。「先読み演出決定処理」は、先読み演出を実行するか否か、および実行する場合の先読み演出パターンを決定する処理である。先読み演出決定処理の詳細については後述する。一方、受信していない場合（ステップＳ４４１５：ＮＯ）、上述の先読み演出決定処理をスキップする。先読み演出とは、特図保留記憶領域８５に新たに記憶された保留情報に大当たりが含まれている可能性が高いことを示唆する演出であり、変動演出中に実行される。
【０１６４】
続いて、演出制御用マイコン９１は、主制御基板８０から保留球数コマンドを受信したか否かの判定をおこなう（ステップＳ４４４５）。受信している場合（ステップＳ４４４５：ＹＥＳ）、保留表示処理をおこなう（ステップＳ４４５０）。保留表示処理では、保留球数コマンドに含まれている特図１保留球数、特図２保留球数、および、普通図柄保留球数に関する情報に基づいて、サブＲＡＭ９４のカウンタセット領域９４ｄに設けられた、第１特図保留演出カウンタ、第２特図保留演出カウンタ、および、普図保留演出カウンタの値を更新する。これにより、主制御基板８０側だけでなく、サブ制御基板９０側でも各保留球数の情報を保持することができる。また、演出制御用マイコン９１は、第１特図保留演出カウンタ、第２特図保留演出カウンタ、および、普図保留演出カウンタの値に基づいて、表示画面７ａに表示されている保留画像９Ａ、９Ｂの更新をおこなう。一方、保留球数コマンドを受信していない場合（ステップＳ４４４５：ＮＯ）、上述の保留表示処理をスキップする。
【０１６５】
続いて、演出制御用マイコン９１は、主制御基板８０から変動開始コマンドを受信したか否かの判定をおこなう（ステップＳ４４５５）。受信している場合（ステップＳ４４５５：ＹＥＳ）、変動演出開始処理をおこなう（ステップＳ４４６０）。「変動演出開始処理」は、特別図柄変動中に実行する変動演出パターン（内容）を選択する処理である。変動演出開始処理の詳細については後述する。一方、受信していない場合（ステップＳ４４５５：ＮＯ）、上述の変動演出開始処理をスキップする。
【０１６６】
続いて、演出制御用マイコン９１は、主制御基板８０から変動停止コマンドを受信したか否かの判定をおこなう（ステップＳ４４６５）。受信している場合（ステップＳ４４６５：ＹＥＳ）、変動演出終了処理をおこなう（ステップＳ４４７０）。「変動演出終了処理」は、特別図柄変動中に実行される変動演出を停止させるための処理である。変動演出終了処理では、演出制御用マイコン９１は、変動停止コマンドの解析結果に基づいてカウンタのセット等をおこなうとともに、変動演出を終了させるための変動演出終了コマンドをセットする。これにより変動中の特図１または特図２に対応する装飾図柄が停止表示される。また、演出制御用マイコン９１は、後述する事前判定情報シフト処理（図３９）をおこなう。なお、変動停止コマンドを受信していない場合（ステップＳ４４６５：ＮＯ）、上述の変動演出終了処理をスキップする。
【０１６７】
続いて、演出制御用マイコン９１は、主制御基板８０からオープニングコマンドを受信したか否かの判定をおこなう（ステップＳ４４７５）。受信している場合（ステップＳ４４７５：ＹＥＳ）、オープニング演出パターン決定処理をおこなう（ステップＳ４４８０）。「オープニング演出パターン決定処理」は、特別遊技（大当たり遊技）開始時に実行するオープニング演出パターン（内容）を選択する処理である。オープニング演出パターン決定処理では、演出制御用マイコン９１は、まず、オープニングコマンドの解析をおこない、オープニングコマンドに含まれる、大当たり当選判定時にセットされた特図停止図柄データに関する情報をサブＲＡＭ９４にセットする。そして、特図停止図柄データが示す当たり種別に対応して予め設定されているオープニング演出の演出パターンを選択し、選択したオープニング演出を開始するためのオープニング演出開始コマンドをサブＲＡＭ９４の演出コマンドセット領域９４ｂにセットする。演出コマンドセット領域９４ｂにセットされたオープニング演出開始コマンドがコマンド送信処理（図３６：ステップＳ４３１５）において画像制御基板１００に送信されると、画像制御基板１００のＣＰＵ１０２は、所定のオープニング演出画像をＲＯＭ１０３から読み出して、画像表示装置７の表示画面７ａに表示させる。なお、ステップＳ４４７５において、オープニングコマンドを受信していない場合（ステップＳ４４７５：ＮＯ）、上述のオープニング演出パターン決定処理をスキップする。
【０１６８】
続いて、演出制御用マイコン９１は、主制御基板８０からラウンド指定コマンドを受信したか否かの判定をおこなう（ステップＳ４４８５）。受信している場合（ステップＳ４４８５：ＹＥＳ）、ラウンド演出パターン決定処理をおこなう（ステップＳ４４９０）。「ラウンド演出パターン決定処理」は、特別遊技（大当たり遊技）において、大入賞口の開放中や開放間のインターバル中に実行する開放遊技演出パターン（内容）を選択する処理である。ラウンド演出パターン決定処理では、演出制御用マイコン９１は、まず、ラウンド指定コマンドの解析をおこない、ラウンド指定コマンドに含まれる、特図停止図柄データに関する情報、および、ラウンド数に関する情報をサブＲＡＭ９４にセットする。そして、特図停止図柄データが示す当たり種別およびラウンド数に対応して予め設定されているラウンド演出の演出パターンを選択し、選択したラウンド演出を開始するためのラウンド演出開始コマンドをサブＲＡＭ９４の演出コマンドセット領域９４ｂにセットする。演出コマンドセット領域９４ｂにセットされたラウンド演出開始コマンドが画像制御基板１００に送信されると、ＣＰＵ１０２は、所定のラウンド演出画像をＲＯＭ１０３から読み出して、表示画面７ａに表示させる。なお、ステップＳ４４８５において、ラウンド指定コマンドを受信していない場合（ステップＳ４４８５：ＮＯ）、上述のラウンド演出パターン決定処理をスキップする。
【０１６９】
続いて、演出制御用マイコン９１は、主制御基板８０からエンディングコマンドを受信したか否かの判定をおこなう（ステップＳ４４９５）。受信している場合（ステップＳ４４９５：ＹＥＳ）、エンディング演出パターン決定処理をおこなう（ステップＳ４５００）。「エンディング演出パターン決定処理」は、特別遊技（大当たり遊技または小当たり遊技）のエンディング中に実行するエンディング演出パターン（内容）を選択する処理である。エンディング演出パターン決定処理では、演出制御用マイコン９１は、まず、エンディングコマンドの解析をおこない、エンディングコマンドに含まれる特図停止図柄データに関する情報をサブＲＡＭ９４にセットする。そして、特図停止図柄データが示す当たり種別に応じたエンディング演出パターンを選択し、選択したエンディング演出を開始するためのエンディング演出開始コマンドをサブＲＡＭ９４の出力バッファにセットする。演出コマンドセット領域９４ｂにセットされたエンディング演出開始コマンドが画像制御基板１００に送信されると、ＣＰＵ１０２は、所定のエンディング演出画像をＲＯＭ１０３から読み出して、表示画面７ａに表示させる。なお、エンディングコマンドを受信していない場合（ステップＳ４４９５：ＮＯ）、上述のエンディング演出パターン決定処理をスキップする。
【０１７０】
続いて、演出制御用マイコン９１は、その他の処理をおこなう（ステップＳ４５４５）。その他の処理では、例えば、演出制御用マイコン９１は、遊技状態指定コマンドを受信したときに、遊技状態指定コマンドに含まれる遊技状態に関する情報（高確率状態か否か、時短状態か否か、確変カウンタ、時短カウンタの値など）をサブＲＡＭ９４に保持させる。また、演出制御用マイコン９１は、Ｖ通過コマンドを受信したときに、Ｖ通過した情報をサブＲＡＭ９４に保持させる。また、演出制御用マイコン９１は、上記以外のコマンド（客待ち待機コマンド、ＲＡＭクリア報知コマンドなど）に基づく処理をおこなって、本処理を終了する。
【０１７１】
［先読み演出決定処理］
図３８は、先読み演出決定処理（図３７：ステップＳ４４２０）のフローチャートである。演出制御用マイコン９１は、まず、事前判定情報書換処理をおこなう（ステップＳ４６０１）。具体的には、演出制御用マイコン９１は、主制御基板８０から受信した事前判定コマンドに含まれる、大当たり事前判定結果（大当たり判定情報）、大当たり種別事前判定結果（大当たり種別情報）、および、変動パターン事前判定結果（変動パターン情報）を事前判定情報記憶領域９４ｃに記憶させる。
【０１７２】
図３９は、事前判定情報記憶領域９４ｃの構成を説明するための図である。事前判定情報記憶領域９４ｃには、上述した、大当たり判定情報、大当たり種別情報、および、変動パターン情報のほか、先読み演出パターン情報が記憶される。先読み演出パターン情報とは、変動演出中に実行される先読み演出の内容を示す情報であり、後述するステップＳ４６０４において選択される。図３９（Ａ）は、特図２保留の１個目〜３個目にそれぞれ対応する事前判定結果として、大当たり判定情報「ハズレ」と、変動パターン情報「Ｐ７２」「Ｐ７３」が第１〜３格納領域に記憶され、また、当該変動に対応する事前判定結果が当該領域に記憶された状態が示されている。図３９（Ｂ）は、図３９（Ａ）の状態から特図２の入賞があり、主制御基板８０から受信した事前判定コマンドに含まれる事前判定情報を、特図２保留の４個目に対応する第４格納領域に記憶させた状態が示されている。ここでは、事前判定情報として、大当たり判定情報「大当たり」と、大当たり種別情報「２１Ｈ」と、変動パターン情報「Ｐ６１」が記憶されている。また、あわせて、特図２保留の１個目〜４個目に対応する第１〜４格納領域と、当該変動に対応する当該領域とのぞれぞれに先読み演出パターン情報として「パターンＡ」がセットされている。図３９（Ｃ）は、図３９（Ｂ）の状態から当該変動が終了して事前判定情報シフト処理が実行された状態が示されている。具体的には、第１格納領域に格納されていた事前判定情報が当該領域にシフトし、第２〜４格納領域に格納されていた事前判定情報が第１〜３格納領域にシフトし、第４記憶領域の事前判定情報がクリアされる。事前判定情報シフト処理は、変動演出終了処理（図３７：ステップＳ４４７０）において実行される。
【０１７３】
図３８に戻り、続いて、演出制御用マイコン９１は、事前判定情報記憶領域９４ｃに先読み演出パターン情報が記憶されているか否かの判定をおこなう（ステップＳ４６０２）。具体的には、演出制御用マイコン９１は、事前判定情報記憶領域９４ｃの当該領域、第１〜４格納領域のいずれかに先読み演出パターン情報が記憶されていないか否かの判定をおこなう。先読み演出パターン情報が記憶されている場合（ステップＳ４６０２：ＹＥＳ）には、本処理を終了する。すなわち、事前判定情報記憶領域９４ｃの当該領域、第１〜４格納領域のいずれかに先読み演出パターン情報が記憶されている場合には、新たに先読み演出パターン情報を選択して記憶させない。一方、事前判定情報記憶領域９４ｃに先読み演出パターン情報が記憶されていない場合（ステップＳ４６０２：ＮＯ）には、演出制御用マイコン９１は、受信した事前判定コマンドに含まれる事前判定結果が「大当たり」または「リーチ有りハズレ」か否かの判定をおこなう（ステップＳ４６０３）。「大当たり」または「リーチ有りハズレ」か否かは、例えば、変動パターン事前判定結果（変動パターン情報）によって判別することができる。演出制御用マイコン９１は、受信した事前判定コマンドに含まれる事前判定結果が「リーチ無しハズレ」の場合には（ステップＳ４６０３：ＮＯ）、本処理を終了する。先読み演出をおこなう必要が無いためである。一方、受信した事前判定コマンドに含まれる事前判定結果が「大当たり」または「リーチ有りハズレ」の場合（ステップＳ４６０３：ＹＥＳ）には、先読み演出を実行するか否かを判定する先読み演出実行判定、および、先読み演出パターン選択をおこなう（ステップＳ４６０４）。具体的には、演出制御用マイコン９１は、先読み演出乱数乱数のカウンタの値を取得し、取得した乱数値と、サブＲＯＭ９３に記憶されている先読み演出パターン決定テーブルＴ５１を参照して先読み演出をおこなうか否か、および、先読み演出をおこなう場合の先読み演出パターンを決定する。
【０１７４】
図４０は、先読み演出パターン決定テーブルＴ５１を説明するための図である。図４０では、事前判定結果が「大当たり」で、先読み演出乱数値が「０〜５５」の場合、先読み演出は「無し」となり、先読み演出乱数値が「５６〜６７」の場合、先読み演出として「パターンＡ」が選択され、先読み演出乱数値が「６８〜１２７」の場合、先読み演出として「パターンＢ」が選択される。また、事前判定結果が「リーチ有りハズレ」で、先読み演出乱数値が「０〜１０７」の場合、先読み演出は「無し」となり、先読み演出乱数値が「１０８〜１１４」の場合、先読み演出として「パターンＡ」が選択され、先読み演出乱数値が「１１５〜１２７」の場合、先読み演出として「パターンＢ」が選択される。なお、先読み演出パターンの種類、内容、選択される乱数値の範囲は任意に設定することができる。
【０１７５】
図３８に戻り、ステップＳ４６０４において、先読み演出が実行されることが決定した場合（ステップＳ４６０５：ＹＥＳ）、選択された先読み演出パターンを事前判定情報記憶領域９４ｃに記憶する（ステップＳ４６０６）。ここでは、先読み演出パターンを事前判定情報記憶領域９４ｃに記憶するとき、第１〜４格納領域のうち、受信した事前判定コマンドに対応する格納領域のみでなく、対応する格納領域よりも前の格納領域および当該領域にも先読み演出パターンを格納する。具体的には、図３９（Ｂ）に示すように、受信した事前判定コマンドに対応する第４格納領域に「パターンＡ」をセットするだけでなく、第１〜３格納領域、および、当該領域にも「パターンＡ」をセットする。これにより、第４格納領域に対応する変動演出が実行される前に実行される変動演出（当該領域および第１〜３格納領域に対応する変動演出）においても、先読み演出パターンＡが実行される。なお、当該領域に対応する変動演出で先読み演出が実行されるか否かは、当該変動演出の進捗状況による。すなわち、当該変動演出において、先読み演出を実行するタイミングをもう過ぎている場合には、先読み演出が実行されないが、先読み演出を実行するタイミング前であれば、そのタイミングにおいて実行される。これについては後述する。ステップＳ４６０４において、先読み演出が実行されないことが決定した場合（ステップＳ４６０５：ＮＯ）、処理を終了する。
【０１７６】
［変動演出開始処理］
図４１は、変動演出開始処理（図３７：ステップＳ４４６０）のフローチャートである。演出制御用マイコン９１は、まず、変動開始コマンドの解析をおこなう（ステップＳ５０００）。ここでは、演出制御用マイコン９１は、変動開始コマンドに含まれる特図停止図柄データに関する情報、および、変動パターンに関する情報をサブＲＡＭ９４にセットする。セットされた情報には、現在の遊技状態を示す遊技状態情報や、特図１または特図２の当たり判定処理の判定結果としての図柄を示す図柄情報等が含まれている。ここで取得された遊技状態情報や図柄情報は、演出制御用マイコン９１によって適宜参照され得る。
【０１７７】
続いて、演出制御用マイコン９１は、基幹演出パターン決定処理をおこなう（ステップＳ５０１０）。基幹演出パターン決定処理は、変動演出の基本的な構成（例えば、画像表示装置７における背景画像の表示およびその切り換え、所定のキャラクタの表示およびその動作、スピーカ６７を用いたメロディや効果音の出力、ランプ類の点灯制御など）を決定するための処理である。変動演出は、この基幹演出にチャンスアップ演出や先読み演出などの付加的な演出が重畳されて完成する。演出制御用マイコン９１は、サブＲＯＭ９３に記憶されている基幹演出パターン決定テーブルＴ５２を参照して基幹演出パターンを決定する。
【０１７８】
図４２は、基幹演出パターン決定テーブルＴ５２を説明するための図である。図４２では、ノーマルリーチ演出をおこなう複数種類の基幹演出パターンと、ＳＰ１演出をおこなう複数種類の基幹演出パターン、ＳＰ２演出をおこなう複数種類の基幹演出パターン、ＳＰ３演出をおこなう複数種類の基幹演出パターンと、ＳＰ４演出をおこなう複数種類の基幹演出パターンと、ＳＰ５演出をおこなう複数種類の基幹演出パターン（後述する疑似大当たり示唆演出がおこなわれる専用リーチ演出パターン）と、リーチ無しハズレ演出をおこなう複数種類の基幹演出パターンと、小当たり演出をおこなう複数種類の基幹演出パターンが設定されている。基幹演出パターンの種類は任意に設定することができる。ここでは、例えば、変動開始コマンドに含まれていた変動パターンが「Ｐ１」の場合、ＳＰ１演出をおこなう基幹演出パターンが選択される。また、変動開始コマンドに含まれていた変動パターンが「Ｐ７２」の場合、リーチ無しハズレ演出をおこなう基幹演出パターンが選択される。また、変動開始コマンドに含まれていた変動パターンが「Ｐ７４」の場合、小当たり演出をおこなう基幹演出パターンが選択される。
【０１７９】
図４１に戻り、基幹演出パターンを決定した後、演出制御用マイコン９１は、チャンスアップ演出パターン決定処理をおこなう（ステップＳ５０１５）。チャンスアップ演出パターン決定処理は、変動演出に重畳させる付加的な演出を決定するための処理である。演出制御用マイコン９１は、チャンスアップ乱数のカウンタの値を取得し、取得した乱数値と、サブＲＯＭ９３に記憶されているチャンスアップ演出パターン決定テーブルＴ５３を参照してチャンスアップ演出パターンを決定する。
【０１８０】
図４３は、チャンスアップ演出パターン決定テーブルＴ５３を説明するための図である。ここでは、チャンスアップ演出パターン決定テーブルＴ５３のうち、非時短状態時における特図１の変動演出パターンを決定する部分のみを示している。すなわち、図４３は、変動開始コマンドに含まれていた変動パターンが「Ｐ１」〜「Ｐ１６」の場合において実行されるチャンスアップ演出パターンを示している。なお、チャンスアップ演出パターン決定テーブルＴ５３は、変動パターンが「Ｐ２１」〜「Ｐ３４」「Ｐ４１」〜「Ｐ５６」「Ｐ６１」〜「Ｐ７４」の場合において実行されるチャンスアップ演出パターンを決定する部分を備えていてもよいし備えていなくてもよい。
【０１８１】
図４３では、チャンスアップ演出パターンとして「２−ＮＯ」「２−ＳＰ１」「２−ＳＰ２」「２−ＳＰ３」「３−ＮＯ」「３−ＳＰ１」「３−ＳＰ２」「３−ＳＰ３」「４−ＮＯ」「４−ＳＰ１」「４−ＳＰ２」「４−ＳＰ３」「ＡＮＯ」が設定されている。これらのチャンス演出パターンは、後述の種々のチャンスアップ演出に対応する。
【０１８２】
図４１に戻り、チャンスアップ演出パターンを決定した後、演出制御用マイコン９１は、さらに、乱数値と停止図柄パターン決定テーブルＴ５４を参照して、停止表示する演出図柄８Ｌ、８Ｃ、８Ｒの組み合わせなどを決定してもよい。これらにより、変動演出としてどのような演出をおこなうかが決定される。
【０１８３】
演出制御用マイコン９１は、上記ステップＳ５０１０〜Ｓ５０１５にて決定された変動演出パターンに基づく変動演出が実現されるよう変動演出開始コマンドをサブＲＡＭ９４の演出コマンドセット領域９４ｂ（出力バッファ）にセットする（ステップＳ５０２０）。サブＲＡＭ９４の演出コマンドセット領域９４ｂにセットされた変動演出開始コマンドがコマンド送信処理（図３６：ステップＳ４３１５）において画像制御基板１００に送信されると、画像制御基板１００のＣＰＵ１０２は、変動演出画像をＲＯＭ１０３から読み出して、画像表示装置７の表示画面７ａに表示させる。
【０１８４】
続いて、演出制御用マイコン９１は、変動演出タイマをセットして（ステップＳ５０３０）、本処理を終了する。変動演出タイマには、変動開始コマンドに含まれる変動パターン変動パターンに応じた変動時間（図４２）がセットされる。例えば、変動パターンが「Ｐ１」のとき、変動演出タイマには「４０秒」がセットされる。
【０１８５】
［変動演出中処理］
図４４は、変動演出中処理（図３６：ステップＳ４３０５）のフローチャートである。演出制御用マイコン９１は、変動演出中か否かの判定をおこなう（ステップＳ４７０１）。変動演出中か否かは、例えば、変動演出タイマがゼロになっているか否かによって判定することができる。変動演出中ではない場合（ステップＳＳ４７０１：ＮＯ）、本処理を終了する。一方、変動演出中の場合（ステップＳＳ４７０１：ＹＥＳ）、演出制御用マイコン９１は、変動終了前コマンドをサブＲＡＭ９４の演出コマンドセット領域９４ｂにセットするタイミングか否かの判定をおこなう（ステップＳ４７０２）。変動終了前コマンドは、演出制御用マイコン９１が画像制御基板１００などに対して、変動演出中の特定のタイミングであることを知らせるコマンドであり、画像制御基板１００は、変動終了前コマンドを受信すると、変動終了前コマンドに含まれる情報にしたがって演出内容の切り替えや、特定の画像の表示等をおこなう。
【０１８６】
変動終了前コマンドをセットするタイミングではない場合（ステップＳ４７０２：ＮＯ）、本処理を終える。一方、変動終了前コマンドをセットするタイミングである場合（ステップＳ４７０２：ＹＥＳ）、事前判定情報記憶領域９４ｃの当該領域に先読み演出パターン情報があるか否かの判定をおこなう（ステップＳ４７０３）。当該領域に先読み演出パターン情報がある場合（ステップＳ４７０３：ＹＥＳ）、先読み演出パターン情報を含んだ変動終了前コマンドをサブＲＡＭ９４の演出コマンドセット領域９４ｂにセットする（ステップＳ４７０４）。一方、当該領域に先読み演出パターン情報が無い場合（ステップＳ４７０３：ＮＯ）には、先読み演出パターン情報を含まない変動終了前コマンドをサブＲＡＭ９４の演出コマンドセット領域９４ｂにセットする（ステップＳ４７０５）。これにより、当該領域に先読み演出パターン情報がある場合には、当該変動演出の終了２秒前に先読み演出パターン情報を含んだ変動終了前コマンドが画像制御基板１００に送信される。そして、画像制御用マイコン１０１は、画像表示装置７の表示画面７ａに先読み演出画像を表示させる先読み演出を開始させる。一方、当該領域に先読み演出パターン情報が無い場合にも当該変動の終了２秒前に変動終了前コマンドが画像制御基板１００に送信される。ここでは、画像制御用マイコン１０１は、画像表示装置７の表示画面７ａに既に予告画像が表示されている場合、その予告画像をフェードさせる予告フェード演出を開始させる。
【０１８７】
８．画像制御用マイコン１０１の動作
図４５に基づいて画像制御基板１００（図４）に設けられた画像制御用マイコン１０１の動作について説明する。画像制御用マイコン１０１の動作説明にて登場するバッファ等はＲＡＭ１０４に設けられている。図４５は、表示制御処理のフローチャートである。画像制御用マイコン１０１は、遊技機１の電源がオンされると、ＲＯＭ１０３からプログラムを読み出し、ＣＰＵ初期化処理の後、表示制御処理が繰り返し実行される。表示制御処理では、まず、画像制御用マイコン１０１は、サブ制御基板９０から変動演出開始コマンドを受信したか否かの判定をおこなう（ステップＳ５００１）。受信している場合（ステップＳ５００１：ＹＥＳ）、画像制御用マイコン１０１は、変動演出表示を開始させる（ステップＳ５００２）。具体的には、画像制御用マイコン１０１は、受信した変動演出開始コマンドを解析し、変動演出開始コマンドにおいて指示された所定の変動演出画像をＲＯＭ１０３から読み出して、画像表示装置７の表示画面７ａに表示させる。一方、受信していない場合（ステップＳ５００１：ＮＯ）、上述の処理をスキップする。
【０１８８】
続いて、画像制御用マイコン１０１は、サブ制御基板９０から変動終了前コマンドを受信したか否かの判定をおこなう（ステップＳ５００３）。受信している場合（ステップ５００３：ＹＥＳ）、画像制御用マイコン１０１は、先読み演出表示を開始させる（ステップＳ５００４）。具体的には、画像制御用マイコン１０１は、変動終了前コマンドを解析し、変動終了前コマンドに先読み演出パターン情報が含まれている場合、所定の先読み演出画像をＲＯＭ１０３から読み出して、画像表示装置７の表示画面７ａに表示させる。また、変動終了前コマンドに先読み演出パターン情報が含まれていない場合であっても、画像表示装置７の表示画面７ａに予告画像が表示されていれば、その予告画像をフェードさせる予告フェード演出をおこなう。一方、受信していない場合（ステップＳ５００３：ＮＯ）、上述の処理をスキップする。
【０１８９】
続いて、画像制御用マイコン１０１は、サブ制御基板９０から変動演出終了コマンドを受信したか否かの判定をおこなう（ステップＳ５００５）。受信している場合（ステップ５００５：ＹＥＳ）、画像制御用マイコン１０１は、変動演出を停止表示させた画像をＲＯＭ１０３から読み出して、画像表示装置７の表示画面７ａに表示させる変動演出停止表示をおこなう（ステップＳ５００６）。一方、受信していない場合（ステップＳ５００５：ＮＯ）、上述の処理をスキップする。
【０１９０】
続いて、画像制御用マイコン１０１は、その他の処理をおこなう（ステップＳ５００７）。その他の処理では、例えば、画像制御用マイコン１０１は、オープニング演出開始コマンドを受信したときに、オープニング演出開始コマンドにおいて指示された所定のオープニング演出画像をＲＯＭ１０３から読み出して、画像表示装置７の表示画面７ａに表示させる。また、ラウンド演出開始コマンドを受信したときに、ラウンド演出開始コマンドにおいて指示された所定のラウンド演出画像をＲＯＭ１０３から読み出して、表示画面７ａに表示させる。また、エンディング演出開始コマンドを受信したときに、エンディング演出開始コマンドにおいて指示された所定のエンディング演出画像をＲＯＭ１０３から読み出して、表示画面７ａに表示させて、本処理を終了する。
【０１９１】
９．小当たり演出の説明
［小当たり演出Ａ］
次に、小当たり演出の一実施形態である小当たり演出Ａについて図４６、図４７を用いて説明する。図４６、図４７は、小当たり演出Ａを説明するための図である。この小当たり演出Ａは、確変大当たりとなって、その大当たり遊技後から次回大当たりになるまでの小当たりラッシュ（ＲＵＳＨ）期間中に、所定の小当たりを示唆する演出および小当たりラッシュの継続を示唆する演出（小当たり示唆演出（第１小当たり示唆演出）および小当たりラッシュ継続示唆演出。小当たり示唆演出（第１小当たり示唆演出）および小当たりラッシュ継続示唆演出は、単に第１小当たり演出とも呼ぶ）である。
【０１９２】
図４６を参照して、まず、図４６（Ａ）に示すように、遊技状態が通常状態（低確低ベース状態）で、特別図柄の変動表示と同期して装飾図柄変動演出が実行される。この装飾図柄変動演出では、画像表示装置７の表示画面７ａにおいて、左の図柄表示エリアに左装飾図柄８Ｌ、中の図柄表示エリアに中装飾図柄８Ｃ、右の図柄表示エリアには右装飾図柄８Ｒが表示される。装飾図柄８Ｌ、８Ｃ、８Ｒの停止順は、最初に左装飾図柄８Ｌが停止し、次に右装飾図柄８Ｒが停止し、最後に中装飾図柄８Ｃが停止するようになっている。なお、図４６（Ａ）では、主に第１始動口２０への入賞による第１特別図柄（特図１）の変動と同期して、装飾図柄８Ｌ、８Ｃ、８Ｒが変動中（下方にスクロール中）であることを示している。
【０１９３】
次に、図４６（Ｂ）に示すように、表示画面７ａでは初当たりとしての確変大当たり確定演出が実行される。この確変大当たり確定演出は、図４６（Ａ）に示した装飾図柄８Ｌ、８Ｃ、８Ｒの当該変動の結果が、確変大当たりしたことを示している。本例では、この確変大当たり図柄配列は「７７７」が示されている。なお、装飾図柄８Ｌ、８Ｃ、８Ｒの上方には、「確変大当たり〜！」という文字が表示されるようになっている。この大当たり確定演出により、遊技者は大当たりおよび大当たり後の確変を確信する。
【０１９４】
ここで、大当たり図柄配列「７７７」は、上述したように、「１６ＲＶ通過予定大当たり」（確変大当たり）であって、特図１に係わる特図停止図柄データ「１１Ｈ」と、特図２に係わる特図停止図柄データ「２１Ｈ」に対応しており（図９）、大当たり遊技終了後は、遊技状態が次回大当たりするまで高確時短状態（高確高ベース状態）になるとともに、小当たりラッシュが実行される大当たりである。また、特図２に係わる特図停止図柄データ「２１Ｈ」に対応した大当たり図柄配列「７７７」に係わる変動表示では、後に詳述する第２小当たり演出としての疑似大当たり示唆演出がおこなわれる（図１０、図１１、変動パターン「Ｐ２２」、「Ｐ６２」、基幹演出パターン「ＳＰ５」）。
なお、本例では、大当たり図柄配列「３３３」は、「１６ＲＶ通過予定大当たり」（確変大当たり）であって、特図１に係わる特図停止図柄データ「１２Ｈ」と、特図２に係わる特図停止図柄データ「２０Ｈ」に対応しており（図９）、大当たり遊技終了後は、遊技状態が次回大当たりするまで高確時短状態（高確高ベース状態）になるとともに、小当たりラッシュが実行され、疑似大当たり示唆演出が実行されない大当たりである。
また、大当たり図柄配列「５５５」は、「１６Ｒ（実質１５Ｒ）Ｖ通過予定大当たり」（確変大当たり）であって、特図１に係わる特図停止図柄データ「１３Ｈ」と、特図２に係わる特図停止図柄データ「２０Ｈ」に対応しており（図９）、大当たり遊技終了後は、遊技状態が次回大当たりするまで高確時短状態（高確高ベース状態）になるとともに、小当たりラッシュが実行され、疑似大当たり示唆演出が実行されない大当たりである。
また、大当たり図柄配列「１１１」、「９９９」は、「１６Ｒ（実質１３Ｒ）Ｖ通過予定大当たり」（確変大当たり）であって、特図１に係わる特図停止図柄データ「１４Ｈ」と、特図２に係わる特図停止図柄データ「２０Ｈ」に対応しており（図９）、に対応しており（図９）、大当たり遊技終了後は、遊技状態が次回大当たりするまで高確時短状態（高確高ベース状態）になるとともに、小当たりラッシュが実行され、疑似大当たり示唆演出が実行されない大当たりである。
また、大当たり図柄配列「２２２」、「４４４」、「６６６」、「８８８」は、「１６Ｒ（実質１３Ｒ）Ｖ非通過予定大当たり」（通常大当たり）であって、特図１に係わる特図停止図柄データ「１５Ｈ」と、特図２に係わる特図停止図柄データ「２２Ｈ」に対応しており（図９）、当該大当たりおよび大当たり遊技終了後は、遊技状態が低確非時短状態（低確低ベース状態）になるとともに、小当たりラッシュおよび疑似大当たり示唆演出が実行されない大当たりである。
つまり、本例では、奇数の大当たり図柄配列「１１１」、「３３３」、「５５５」、「７７７」、「９９９」は、小当たりラッシュ付きの確変大当たりであり、偶数の大当たり図柄配列「２２２」、「４４４」、「６６６」、「８８８」は、小当たりラッシュの付かない通常大当たりとなっている。また、本例では、奇数図柄「１」、「３」、「５」、「７」、「９」は「赤」で表示され、偶数図柄「２」、「４」、「６」、「８」は「青」で表示されるようになっている。
また、小当たりラッシュ期間中は、小当たりラッシュのない一般的な時短中とは異なり、手持ちの遊技球を増加させながら次の大当たりを狙うことができる。すなわち、小当たりラッシュのない一般的な時短中では、手持ちの遊技球は徐々に漸減していくのに対し、小当たりラッシュの時短中では、手持ちの遊技球は徐々に漸増していく。したがって、小当たりラッシュが長く続くほど、言い換えれば次の大当たり（通常大当たり）を引かないほど、遊技者にとって利益となる。
【０１９５】
次に、図４６（Ｃ）に示すように、表示画面７ａでは大当たり遊技に係わる大当たり遊技演出が実行される。この演出としては、例えば、オープニング演出、ラウンド演出、エンディング演出などが実行される。
【０１９６】
次に、大当たり遊技が終了すると遊技状態が高確時短状態（高確高ベース状態）となり、図４６（Ｄ）に示すように、表示画面７ａでは、小当たりラッシュの実行に伴って小当たりラッシュ開始演出が開始される。なお、ここでの小当たりラッシュ開始演出は、高確高ベース状態における装飾図柄変動演出がおこなわれるようになっている。小当たりラッシュでは、電チュー２２が頻繁に開放され（図８、図１２）、第２始動口２１への入賞が極めて容易になる。そのため、特図２に係わる装飾図柄の変動表示が多数おこなわれ、且つその装飾図柄の変動時間が短時間なので（３秒程度、図１１）、頻繁に小当りが発生する（小当り確率１／２、図８）。また、装飾図柄８Ｌ、８Ｃ、８Ｒの上方には、「ＲＵＳＨ開始！」という文字が表示されている。
【０１９７】
次に、図４６（Ｅ），（Ｆ），（Ｇ）に示すように、例えば時短の所定回転目（例えば時短の２，３，５回転目）で、当該変動（特図２）の結果が小当たりになる場合、表示画面７ａでは小当たり示唆演出（第１小当たり示唆演出）が実行される。この小当たり示唆演出は、特別図柄（特図２）の停止に係わって、装飾図柄８Ｌ、８Ｃ、８Ｒの何れかが、スクロール後所定の図柄で停止（仮停止も含む）する態様で表示することにより実行される。なお、ここでは、この所定の図柄は「ＯＡＲＯ」という文字図柄（ロゴマーク）で表示される。図４６（Ｅ）では、最初の停止図柄である左装飾図柄８Ｌに「ＯＡＲＯ」が停止し、中装飾図柄８Ｃおよび右装飾図柄８Ｒは変動中の様子が示されている（ＯＡＲＯ、↓、↓）。図４６（Ｆ）では、左装飾図柄８Ｌに「７」が停止し、２番目の停止図柄である右装飾図柄８Ｒに「ＯＡＲＯ」が停止し、中装飾図柄８Ｃは変動中の様子が示されている（７、↓、ＯＡＲＯ）。図４６（Ｇ）では、左装飾図柄８Ｌに「７」が停止し、右装飾図柄８Ｒに「８」が停止し、最後の停止図柄である中装飾図柄８Ｃに「ＯＡＲＯ」が停止した様子が示されている（７、ＯＡＲＯ、８）。遊技者は、装飾図柄８Ｌ、８Ｃ、８Ｒの何れかが「ＯＡＲＯ」で停止したことを確認することで、当該変動の結果が確定する前に小当たりになることが判るとともに、引き続き小当たりラッシュが継続することが判る。つまり、遊技者は、手持ちの遊技球を増やしながら次の大当たりを狙うことができる。なお、ここでの小当たりは、第１始動口２０への入賞による初大当たり後の小当たりラッシュ中であり、したがって第２大入賞口３５を開放時間１．０秒で１回開放する開放パターン（開放パターン２５、図１３）がおこなわれる。
【０１９８】
次に、図４７（Ｈ），（Ｉ），（Ｊ）に示すように、例えば時短の所定回転目（例えば時短の１，４，６回転目）で、当該変動（主に特図２）の結果がハズレになる場合、表示画面７ａでは小当たりラッシュ継続示唆演出（ハズレ示唆演出）が実行される。この小当たりラッシュ継続示唆演出は、特別図柄（主に特図２）の停止に係わって、装飾図柄８Ｌ、８Ｃ、８Ｒの何れかが、スクロール後所定の図柄で停止（仮停止も含む）する態様で表示することにより実行される。なお、ここでは、この所定の図柄は「ハズレ」という文字図柄で表示される。図４７（Ｈ）では、最初の停止図柄である左装飾図柄８Ｌに「ハズレ」が停止し、中装飾図柄８Ｃおよび右装飾図柄８Ｒは変動中の様子が示されている（ハズレ、↓、↓）。図４７（Ｉ）では、左装飾図柄８Ｌに「７」が停止し、２番目の停止図柄である右装飾図柄８Ｒに「ハズレ」が停止し、中装飾図柄８Ｃは変動中の様子が示されている（７、↓、ハズレ）。図４７（Ｊ）では、左装飾図柄８Ｌに「７」が停止し、右装飾図柄８Ｒに「８」が停止し、最後の停止図柄である中装飾図柄８Ｃに「ハズレ」が停止した様子が示されている。遊技者は、装飾図柄８Ｌ、８Ｃ、８Ｒの何れかが「ハズレ」で停止したことを確認することで、当該変動の結果が確定する前にハズレになることが判るとともに、引き続き小当たりラッシュが継続することが判る。つまり、遊技者は、手持ちの遊技球が増える状態を維持しながら次の大当たりを狙うことができる。
【０１９９】
次に、図４７（Ｋ）に示すように、表示画面７ａでは確変大当たり確定演出が実行される。ここでは、この確変大当たり図柄配列は「５５５」が示されている。大当たり図柄配列は「５５５」は、上述したように「１６Ｒ（実質１５Ｒ）Ｖ通過予定大当たり」であり、大当たり遊技終了後は、遊技状態が次回大当たりするまで高確時短状態（高確高ベース状態）になるとともに、小当たりラッシュが実行される大当たりである。つまり、この確変大当たりは、小当たりラッシュ中、初当たりから２回目の大当たり（２連チャン）で、さらに小当たりラッシュが継続することになる。したがって、装飾図柄８Ｌ、８Ｃ、８Ｒの上方には、「確変大当たり〜！」という文字と、その右下に連チャン回数を示唆する「２回目」という文字が表示され、装飾図柄８Ｌ、８Ｃ、８Ｒの右下方には、「ＲＵＳＨ継続！」という文字が表示されるようになっている。この確変大当たり確定演出により、遊技者は、今回の大当たりが確変大当たり、および、当該大当たり遊技後に新たに小当たりラッシュがおこなわれる（小当たりラッシュが継続する）ことを確信する。
【０２００】
一方、図４７（Ｋ）に代わって、図４７（Ｌ）に示すように、通常大当たり図柄配列（ここでは「８８８」）になった場合には、表示画面７ａでは通常大当たり確定演出が実行される。大当たり図柄配列は「８８８」は、上述したように「１６Ｒ（実質１３Ｒ）Ｖ非通過予定大当たり」であり、当該大当たりおよび大当たり遊技終了後は、遊技状態が低確非時短状態（低確低ベース状態）になるとともに、小当たりラッシュが実行されない大当たりである。つまり、この通常大当たりは、小当たりラッシュ中、初当たりから２回目の大当たり（２連チャン）で当該小当たりラッシュが終了することになる。したがって、装飾図柄８Ｌ、８Ｃ、８Ｒの上方には、「通常大当たり〜！」という文字が表示され、装飾図柄８Ｌ、８Ｃ、８Ｒの右下方には、「ＲＵＳＨ終了！」という文字が表示されるようになっている。この通常大当たり確定演出により、遊技者は、今回の大当たりが通常大当たり、および、当該大当たり遊技後に新たに小当たりラッシュがおこなわれない（小当たりラッシュが継続しない）ことを確信する。
【０２０１】
次に、上述の図４６（Ｃ）に準じて、表示画面７ａでは通常大当たり図柄配列「８８８」の大当たり遊技に係わる大当たり遊技演出が実行された後、図４７（Ｍ）に示すように、リザルト演出が実行される。このリザルト演出は、今回の一連の大当たりおよび小当たりラッシュの結果として、大当たり回数とトータル出玉数を示すリザルト画面が表示される。ここでは、大当たり回数が２回（図４６（Ｂ）に示す確変大当たり「７７７」と図４７（Ｌ）に示す通常大当たり「８８８」）、トータル出玉数が４８５３個（確変大当たり「７７７」および通常大当たり「８８８」の大当たり遊技における出玉数と、確変大当たり「７７７」の大当たり遊技後から通常大当たり「８８８」するまでの小当たりラッシュ期間中における出玉数のトータル）を示すリザルト画面が表示されている（トータル出玉数４８５３個は一例）。
【０２０２】
［小当たり演出Ｂ］
次に、小当たり演出の一実施形態である小当たり演出Ｂについて図４８、図４９を用いて説明する。図４８、図４９は、小当たり演出Ｂを説明するための図である。この小当たり演出Ｂは、確変大当たりとなって、その大当たり遊技後から次回大当たりになるまでの小当たりラッシュ（ＲＵＳＨ）期間中に、所定の小当たりを示唆する演出および小当たりラッシュの継続を示唆する演出（小当たり示唆演出（第１小当たり示唆演出）および小当たりラッシュ継続示唆演出。小当たり示唆演出（第１小当たり示唆演出）および小当たりラッシュ継続示唆演出は、単に第１小当たり演出とも呼ぶ）である。
【０２０３】
図４８を参照して、図４８（Ａ）の装飾図柄変動演出、図４８（Ｂ）の確変大当たり確定演出、図４８（Ｃ）の大当たり遊技演出および図４８（Ｄ）の小当たりラッシュ開始演出は、上述した小当たり演出Ａにおける図４６（Ａ）、図４６（Ｂ）、図４６（Ｃ）および図４６（Ｄ）と同様なので、ここでの説明は省略する。
【０２０４】
次に、図４８（Ｅ），（Ｆ）に示すように、例えば時短の所定回転目（例えば時短の２，３回転目）で、当該変動（特図２）の結果が小当たりになる場合、表示画面７ａでは小当たり示唆演出（第１小当たり示唆演出）が実行される。この小当たり示唆演出は、特別図柄（特図２）の停止に係わって、装飾図柄８Ｌ、８Ｃ、８Ｒが、スクロール後所定の図柄配列で停止（仮停止も含む）する態様で表示することにより実行される。なお、ここでは、この所定の図柄配列は、装飾図柄８Ｌ、８Ｃ、８Ｒにおいて隣接する装飾図柄が同一の奇数図柄で停止する態様で表示される。図４８（Ｅ）では、最初の停止図柄である左装飾図柄８Ｌに「８」が停止し、最後の停止図柄である中装飾図柄８Ｃおよび２番目の停止図柄である右装飾図柄８Ｒが「５」で停止している様子が示されている（「８」、「５」、「５」）。すなわち、隣接する中装飾図柄８Ｃと右装飾図柄８Ｒが同一奇数図柄で停止している。図４８（Ｆ）では、最初の停止図柄である左装飾図柄８Ｌおよび最後の停止図柄である中装飾図柄８Ｃに「９」が停止し、２番目の停止図柄である右装飾図柄８Ｒに「６」が停止している様子が示されている（「９」、「９」、「６」）。すなわち、隣接する左装飾図柄８Ｌと中装飾図柄８Ｃが同一奇数図柄で停止している。遊技者は、装飾図柄８Ｌ、８Ｃ、８Ｒのうちの隣接する装飾図柄が同一の奇数図柄（且つ同色）で停止したことを確認することで、当該変動の結果が確定する前に小当たりになることが判るとともに、引き続き小当たりラッシュが継続することが判る。つまり、遊技者は、手持ちの遊技球を増やしながら次の大当たりを狙うことができる。なお、ここでの小当たりは、第１始動口２０への入賞による初大当たり後の小当たりラッシュ中であり、したがって第２大入賞口３５を開放時間１．０秒で１回開放する開放パターン（開放パターン２５、図１３）がおこなわれる。
【０２０５】
次に、図４９（Ｇ），（Ｈ）に示すように、例えば時短の所定回転目（例えば時短の１，４回転目）で、当該変動（主に特図２）の結果がハズレになる場合、表示画面７ａでは小当たりラッシュ継続示唆演出（ハズレ示唆演出）が実行される。この小当たりラッシュ継続示唆演出は、特別図柄（特図２）の停止に係わって、装飾図柄８Ｌ、８Ｃ、８Ｒが、スクロール後所定の図柄配列で停止（仮停止も含む）する態様で表示することにより実行される。なお、ここでは、この所定の図柄配列は、装飾図柄８Ｌ、８Ｃ、８Ｒにおいて隣接する装飾図柄が同一の偶数図柄で停止する態様で表示される。図４９（Ｇ）では、最初の停止図柄である左装飾図柄８Ｌに「７」が停止し、最後の停止図柄である中装飾図柄８Ｃおよび２番目の停止図柄である右装飾図柄８Ｒが「８」で停止している様子が示されている（「７」、「８」、「８」）。すなわち、隣接する中装飾図柄８Ｃと右装飾図柄８Ｒが同一偶数図柄で停止している。図４９（Ｈ）では、最初の停止図柄である左装飾図柄８Ｌおよび最後の停止図柄である中装飾図柄８Ｃに「６」が停止し、２番目の停止図柄である右装飾図柄８Ｒに「９」が停止している様子が示されている（「６」、「６」、「９」）。すなわち、隣接する左装飾図柄８Ｌと中装飾図柄８Ｃが同一偶数図柄で停止している。遊技者は、装飾図柄８Ｌ、８Ｃ、８Ｒのうちの隣接する装飾図柄が同一の偶数図柄（且つ同色）で停止したことを確認することで、当該変動の結果が確定する前にハズレになることが判るとともに、引き続き小当たりラッシュが継続することが判る。つまり、遊技者は、手持ちの遊技球が増える状態を維持しながら次の大当たりを狙うことができる。
【０２０６】
次に、図４９（Ｉ）の確変大当たり確定演出、図４９（Ｊ）の通常大当たり確定演出および図４９（Ｋ）のリザルト演出は、上述した小当たり演出Ａにおける図４７（Ｋ）、図４７（Ｌ）および図４７（Ｍ）と同様なので、ここでの説明は省略する。
【０２０７】
［小当たり演出Ｃ］
次に、小当たり演出の一実施形態である小当たり演出Ｃについて図５０、図５１を用いて説明する。図５０、図５１は、小当たり演出Ｃを説明するための図である。この小当たり演出Ｃは、確変大当たりとなって、その大当たり遊技後から次回大当たりになるまでの小当たりラッシュ（ＲＵＳＨ）期間中に、所定の小当たりを示唆する演出および小当たりラッシュの継続を示唆する演出（小当たり示唆演出（第１小当たり示唆演出）および小当たりラッシュ継続示唆演出。小当たり示唆演出（第１小当たり示唆演出）および小当たりラッシュ継続示唆演出は、単に第１小当たり演出とも呼ぶ）である。
【０２０８】
図５０を参照して、図５０（Ａ）の装飾図柄変動演出、図５０（Ｂ）の確変大当たり確定演出、図５０（Ｃ）の大当たり遊技演出および図５０（Ｄ）の小当たりラッシュ開始演出は、上述した小当たり演出Ａにおける図４６（Ａ）、図４６（Ｂ）、図４６（Ｃ）および図４６（Ｄ）と同様なので、ここでの説明は省略する。
【０２０９】
次に、図５０（Ｅ），（Ｆ）に示すように、例えば時短の所定回転目（例えば時短の２，３回転目）で、当該変動（特図２）の結果が小当たりになる場合、表示画面７ａでは小当たり示唆演出（第１小当たり示唆演出）が実行される。この小当たり示唆演出は、特別図柄（特図２）の停止に係わって、装飾図柄８Ｌ、８Ｃ、８Ｒが、スクロール後所定の図柄表示態様で停止（仮停止も含む）することにより実行される。なお、ここでは、この所定の図柄表示態様は、装飾図柄８Ｌ、８Ｃ、８Ｒが全て所定の同色図柄（赤図柄）で停止する態様で表示される。図５０（Ｅ）では、最初の停止図柄である左装飾図柄８Ｌに「１」が停止し、２番目の停止図柄である右装飾図柄８Ｒが「５」で停止し、最後の停止図柄である中装飾図柄８Ｃが「３」で停止している様子が示されている（「１」、「３」、「５」）。すなわち、装飾図柄８Ｌ、８Ｃ、８Ｒ全てが赤図柄で停止している。図５０（Ｆ）では、最初の停止図柄である左装飾図柄８Ｌに「７」が停止し、２番目の停止図柄である右装飾図柄８Ｒが「５」で停止し、最後の停止図柄である中装飾図柄８Ｃが「９」で停止している様子が示されている（「７」、「９」、「５」）。すなわち、装飾図柄８Ｌ、８Ｃ、８Ｒ全てが赤図柄で停止している。なお、図５０においては、装飾図柄８Ｌ、８Ｃ、８Ｒの赤はハッチングで示されている。遊技者は、装飾図柄８Ｌ、８Ｃ、８Ｒ全てが赤図柄（且つ奇数図柄）で停止したことを確認することで、当該変動の結果が確定する前に小当たりになることが判るとともに、引き続き小当たりラッシュが継続することが判る。つまり、遊技者は、手持ちの遊技球を増やしながら次の大当たりを狙うことができる。なお、ここでの小当たりは、第１始動口２０への入賞による初大当たり後の小当たりラッシュ中であり、したがって第２大入賞口３５を開放時間１．０秒で１回開放する開放パターン（開放パターン２５、図１３）がおこなわれる。
【０２１０】
次に、図５１（Ｇ），（Ｈ）に示すように、例えば時短の所定回転目（例えば時短の１，４回転目）で、当該変動（主に特図２）の結果がハズレになる場合、表示画面７ａでは小当たりラッシュ継続示唆演出（ハズレ示唆演出）が実行される。この小当たりラッシュ継続示唆演出は、特別図柄（特図２）の停止に係わって、装飾図柄８Ｌ、８Ｃ、８Ｒが、スクロール後所定の図柄表示態様で停止（仮停止も含む）することにより実行される。なお、ここでは、この所定の図柄表示態様は、装飾図柄８Ｌ、８Ｃ、８Ｒが全て所定の同色図柄（青図柄）で停止する態様で表示される。図５１（Ｇ）では、最初の停止図柄である左装飾図柄８Ｌに「８」が停止し、２番目の停止図柄である右装飾図柄８Ｒが「６」で停止し、最後の停止図柄である中装飾図柄８Ｃが「４」で停止している様子が示されている（「８」、「４」、「６」）。すなわち、装飾図柄８Ｌ、８Ｃ、８Ｒ全てが青図柄で停止している。図５１（Ｈ）では、最初の停止図柄である左装飾図柄８Ｌに「２」が停止し、２番目の停止図柄である右装飾図柄８Ｒが「８」で停止し、最後の停止図柄である中装飾図柄８Ｃが「６」で停止している様子が示されている（「２」、「６」、「８」）。すなわち、装飾図柄８Ｌ、８Ｃ、８Ｒ全てが青図柄で停止している。なお、図５１においては、装飾図柄８Ｌ、８Ｃ、８Ｒの赤はハッチングで、青は水玉模様で示されている。遊技者は、装飾図柄８Ｌ、８Ｃ、８Ｒ全てが青図柄（且つ偶数図柄）で停止したことを確認することで、当該変動の結果が確定する前にハズレになることが判るとともに、引き続き小当たりラッシュが継続することが判る。つまり、遊技者は、手持ちの遊技球が増える状態を維持しながら次の大当たりを狙うことができる。
【０２１１】
次に、図５１（Ｉ）の確変大当たり確定演出、図５１（Ｊ）の通常大当たり確定演出および図５１（Ｋ）のリザルト演出は、上述した小当たり演出Ａにおける図４７（Ｋ）、図４７（Ｌ）および図４７（Ｍ）と同様なので、ここでの説明は省略する。
【０２１２】
［小当たり演出Ｄ］
次に、小当たり演出の一実施形態である小当たり演出Ｄについて図５２、図５３を用いて説明する。図５２、図５３は、小当たり演出Ｄを説明するための図である。この小当たり演出Ｄは、確変大当たりとなって、その大当たり遊技後から次回大当たりになるまでの小当たりラッシュ（ＲＵＳＨ）期間中に、所定の小当たりを示唆する演出および小当たりラッシュの継続を示唆する演出（小当たり示唆演出（第１小当たり示唆演出）および小当たりラッシュ継続示唆演出。小当たり示唆演出（第１小当たり示唆演出）および小当たりラッシュ継続示唆演出は、単に第１小当たり演出とも呼ぶ）である。
【０２１３】
図５２（Ａ）の装飾図柄変動演出、図５２（Ｂ）の確変大当たり確定演出および図５２（Ｃ）の大当たり遊技演出は、上述した小当たり演出Ａにおける図４６（Ａ）、図４６（Ｂ）および図４６（Ｃ）と同様なので、ここでの説明は省略する。
【０２１４】
次に、大当たり遊技が終了すると遊技状態が高確時短状態（高確高ベース状態）となり、図５２（Ｄ）に示すように、表示画面７ａでは、小当たりラッシュの実行に伴って小当たりラッシュ開始演出が開始される。この図５２（Ｄ）に示す小当たりラッシュ開始演出は、上述した小当たり演出Ａにおける図４６（Ｄ）と同様であるが、以下の点で異なる。すなわち、図５２（Ｄ）に示す小当たりラッシュ開始演出では、小当たりラッシュが開始されると、表示画面７ａの右下に、ハズレ示唆アイコンＨＺＡと小当たり示唆アイコンＫＡＡが上下列状に表示される。ここでは、ハズレ示唆アイコンＨＺＡは「□」、小当たり示唆アイコンＫＡＡは「○」の白色で表示される。
【０２１５】
次に、図５２（Ｅ）に示すように、例えば時短の所定回転目（例えば時短の２回転目）で、当該変動（特図２）の結果が小当たりになる場合、表示画面７ａでは小当たり示唆演出（第１小当たり示唆演出）が実行される。この小当たり示唆演出は、特別図柄（特図２）の変動表示に係わって、所定のタイミングで小当たり示唆アイコンＫＡＡが白色から他の色（例えば赤色）に変色することにより実行される。ここで、小当たり示唆アイコンＫＡＡが変色するタイミングとしては、装飾図柄８Ｌ、８Ｃ、８Ｒ全てが変動中、最初の停止図柄である左装飾図柄８Ｌのみが停止中、最初の停止図柄である左装飾図柄８Ｌと２番目の停止図柄である右装飾図柄８Ｒが停止中、装飾図柄８Ｌ、８Ｃ、８Ｒ全てが停止中などが挙げられる。つまり、小当たり示唆アイコンＫＡＡが変色するタイミングは、装飾図柄８Ｌ、８Ｃ、８Ｒの変動開始から停止まで（確定表示前）の期間の何れのタイミングであってもよい。なお、図５２（Ｅ）では、最初の停止図柄である左装飾図柄８Ｌのみが停止中（「６」、↓、↓）のタイミングで、小当たり示唆アイコンＫＡＡが変色（ハッチング）した様子を示している。遊技者は、小当たり示唆アイコンＫＡＡが変色したことを確認することで、当該変動の結果が確定する前に小当たりになることが判るとともに、引き続き小当たりラッシュが継続することが判る。つまり、遊技者は、手持ちの遊技球を増やしながら次の大当たりを狙うことができる。そして、変色した小当たり示唆アイコンＫＡＡは、装飾図柄８Ｌ、８Ｃ、８Ｒが完全に停止後所定時間（例えば０．２秒）が経過して確定表示されたとき、元の白色に戻る。なお、ここでの小当たりは、第１始動口２０への入賞による初大当たり後の小当たりラッシュ中であり、したがって第２大入賞口３５を開放時間１．０秒で１回開放する開放パターン（開放パターン２５、図１３）がおこなわれる。
【０２１６】
次に、図５２（Ｆ）に示すように、例えば時短の所定回転目（例えば時短の１回転目）で、当該変動（主に特図２）の結果がハズレになる場合、表示画面７ａでは小当たりラッシュ継続示唆演出（ハズレ示唆演出）が実行される。この小当たりラッシュ継続示唆演出は、特別図柄（特図２）の変動表示に係わって、所定のタイミングでハズレ示唆アイコンＨＺＡが白色から他の色（例えば青色）に変色することにより実行される。ここで、ハズレ示唆アイコンＨＺＡが変色するタイミングとしては、装飾図柄８Ｌ、８Ｃ、８Ｒ全てが変動中、最初の停止図柄である左装飾図柄８Ｌのみが停止中、最初の停止図柄である左装飾図柄８Ｌと２番目の停止図柄である右装飾図柄８Ｒが停止中、装飾図柄８Ｌ、８Ｃ、８Ｒ全てが停止中などが挙げられる。つまり、ハズレ示唆アイコンＨＺＡが変色するタイミングは、装飾図柄８Ｌ、８Ｃ、８Ｒの変動開始から停止まで（確定表示前）の期間の何れのタイミングであってもよい。なお、図５２（Ｆ）では、最初の停止図柄である左装飾図柄８Ｌと２番目の停止図柄である右装飾図柄８Ｒが停止中（「６」、↓、「７」）のタイミングで、ハズレ示唆アイコンＨＺＡが変色（ハッチング）した様子を示している。遊技者は、ハズレ示唆アイコンＨＺＡが変色したことを確認することで、当該変動の結果が確定する前にハズレになることが判るとともに、引き続き小当たりラッシュが継続することが判る。つまり、遊技者は、手持ちの遊技球が増える状態を維持しながら次の大当たりを狙うことができる。そして、変色したハズレ示唆アイコンＨＺＡは、装飾図柄８Ｌ、８Ｃ、８Ｒが完全に停止後所定時間（例えば０．２秒）が経過して確定表示されたとき、元の白色に戻る。
【０２１７】
次に、図５３（Ｇ）の確変大当たり確定演出、図５３（Ｈ）の通常大当たり確定演出および図５３（Ｉ）のリザルト演出は、上述した小当たり演出Ａにおける図４７（Ｋ）、図４７（Ｌ）および図４７（Ｍ）と同様なので、ここでの説明は省略する。
【０２１８】
［小当たり演出Ｅ］
次に、小当たり演出の一実施形態である小当たり演出Ｅについて図５４、図５５を用いて説明する。図５４、図５５は、小当たり演出Ｅを説明するための図である。この小当たり演出Ｅは、確変大当たりとなって、その大当たり遊技後から次回大当たりになるまでの小当たりラッシュ（ＲＵＳＨ）期間中に、所定の小当たりを示唆する演出および小当たりラッシュの継続（再獲得）を示唆する演出である。より詳しくは、小当たりラッシュの継続（再獲得）を示唆する演出は、小当たりラッシュ期間中に、最終的に小当たりラッシュが終了する通常大当たりの可能性のある演出の分岐として、小当たりラッシュの継続（再獲得）を示唆する演出（疑似大当たり示唆演出。疑似大当たり示唆演出は第２小当たり演出とも呼ぶ）を含む。
【０２１９】
図５４を参照して、図５４（Ａ）の装飾図柄変動演出、図５４（Ｂ）の確変大当たり確定演出、図５４（Ｃ）の大当たり遊技演出、図４８（Ｄ）の小当たりラッシュ開始演出、図５４（Ｅ）の小当たり示唆演出（第１小当たり示唆演出）および図５４（Ｆ）の小当たりラッシュ継続示唆演出は、上述した小当たり演出Ａにおける図４６（Ａ）、図４６（Ｂ）、図４６（Ｃ）、図４６（Ｄ）、図４６（Ｅ）および図４７（Ｈ）と同様なので、ここでの説明は省略する。なお、図５４（Ｅ）の小当たり示唆演出で小当たりになった場合は、上述した図４６（Ｅ）と同様に、第１始動口２０への入賞による初大当たり後の小当たりラッシュ中なので、したがって第２大入賞口３５を開放時間１．０秒で１回開放する開放パターン（開放パターン２５、図１３）がおこなわれる。
【０２２０】
次に、図５４（Ｇ）に示すように、例えば時短の所定回転目（例えば時短の２０回転目）で、表示画面７ａでは疑似大当たりリーチ演出が実行される。この疑似大当たりリーチ演出は、特別図柄（主に特図２）の変動表示に係わって、左装飾図柄８Ｌと右装飾図柄８Ｒが、通常大当たりに係わるリーチ図柄配列で停止する。ここでは、このリーチ図柄配列は「８↓８」が示されている。また、装飾図柄８Ｌ、８Ｃ、８Ｒの上方には、「リーチ！」という文字が表示される。遊技者は、通常大当たりになると小当たりラッシュが終了してしまうので、このリーチ結果がハズレることを願う。
【０２２１】
次に、図５４（Ｈ）に示すように、表示画面７ａでは疑似大当たりキャラクタ演出が実行される。この疑似大当たりキャラクタ演出は、図５４（Ｇ）に示した通常大当たりに係わるリーチ状態で、最後の停止図柄である中装飾図柄８Ｃの停止位置にキャラクタＣＲＡが表示される。ここで、遊技機１の演出で登場するキャラクタには、登場すると遊技者に有利な特典が付与されやすいキャラクタＣＲＡと、登場すると遊技者に有利な特典が付与されにくいキャラクタＣＲＢとがある。したがって、遊技者は、通常大当たりに係わるリーチ状態でキャラクタＣＲＡが登場したので、言い換えれば、ピンチのときにキャラクタＣＲＡが登場したので、その後の展開に期待を持つ。
【０２２２】
次に、図５５（Ｉ）に示すように、表示画面７ａでは疑似大当たり文字演出が実行される。この疑似大当たり文字演出は、図５４（Ｈ）に示した疑似大当たりキャラクタ演出の画面が所定のタイミングで切り替わっておこなわれる。この疑似大当たり文字演出では、「チャンス！」という文字画像が表示画面７ａの中央に大きく表示される。したがって、遊技者は、キャラクタＣＲＡの登場に続いて「チャンス！」という文字が出現したので、その後の展開にさらに期待を持つ。
【０２２３】
次に、図５５（Ｊ）に示すように、表示画面７ａでは確変図柄リーチ演出が実行される。この確変図柄リーチ演出は、図５５（Ｉ）に示した疑似大当たり文字演出の画面が所定のタイミングで切り替わっておこなわれる。この確変図柄リーチ演出では、確変大当たりに係わるリーチ図柄配列が表示される。また、装飾図柄８Ｌ、８Ｃ、８Ｒの上方には、「リーチ！」という文字が表示される。つまり、図５４（Ｇ）に示した疑似大当たりリーチ演出で、小当たりラッシュが終了する通常大当たりのリーチ図柄配列が一旦表示された後、この通常大当たりのリーチ図柄配列に替わって、小当たりラッシュが継続する（小当たりラッシュを新たに獲得する）確変大当たりのリーチ図柄配列が、確変図柄リーチ演出にて表示される。なお、ここでは、この確変大当たりのリーチ図柄配列は「７↓７」が示される。したがって、遊技者は、通常大当たりのリーチが確変大当たりのリーチに変化したので、小当たりラッシュが継続する（小当たりラッシュを再獲得する）ことに期待する。
【０２２４】
次に、図５５（Ｋ）に示すように、表示画面７ａでは確変大当たり確定演出が実行される。この確変大当たり確定演出は、上述した小当たり演出Ａにおける図４６（Ｂ）と同様であるが、以下の点で異なる。すなわち、図５５（Ｋ）に示す確変大当たり確定演出では、確定表示された確変大当たり図柄配列「７７７」の右下に「ＲＵＳＨ継続」という文字が表示される。したがって、遊技者は、今回確変大当たりになって小当たりラッシュを再獲得することを確信する。
【０２２５】
ここで、図５５（Ｋ）に示した確変大当たり図柄配列「７７７」は、上述したように、第２小当たり演出としての疑似大当たり示唆演出をおこなう変動パターンを経て表示されるようになっている（図１０、図１１、変動パターン「Ｐ２２」、「Ｐ６２」、基幹演出パターン「ＳＰ５」）。つまり、小当たり演出Ｅでは、小当たりラッシュ期間に今回の特別図柄の変動結果が内部的に大当たり図柄配列「７７７」の確変大当たりと判定されたときは、図５４（Ｇ）〜図５５（Ｋ）に示したように、一旦、通常大当たりになる可能性を示唆した後に、確変大当たりを示唆する疑似大当たり示唆演出を実行する。より詳しくは、演出の分岐点として、一旦、装飾図柄を通常大当たり図柄配列で停止可能なリーチ図柄で停止した後、疑似大当たりキャラクタ演出および疑似大当たり文字演出を経て、小当たりラッシュを継続（再獲得）する確変大当たりのリーチ図柄配列に変化させることで（確変大当たりのリーチ図柄配列がハズレた場合は小当たりラッシュが継続、確変大当たりになった場合は小当たりラッシュを再獲得、通常大当たりになった場合は小当たりラッシュ終了、小当たり図柄になった場合は小当たり。なお、本例では、装飾図柄を通常大当たり図柄配列で停止可能なリーチ図柄で停止した場合は、通常大当たりになる確率が、確変大当たり、小当たりおよびハズレになる場合よりも高く設定されている）、最終的に確変大当たり図柄配列で停止することを示唆する疑似大当たり示唆演出を実行する。すなわち、疑似大当たり示唆演出により、小当たりラッシュ期間中に、最終的に小当たりラッシュが終了する通常大当たりの可能性のある演出の分岐として、小当たりラッシュの継続（再獲得）を示唆する。なお、図５５（Ｇ）〜（Ｋ）に示した一連の演出が疑似大当たり示唆演出に相当し、キャラクタＣＲＡおよび「チャンス！」という文字画像が小当たりラッシュ継続示唆演出に相当する。
【０２２６】
次に、図５５（Ｌ）に示すように、表示画面７ａでは大当たり遊技演出が実行される。この大当たり遊技演出は、上述した小当たり演出Ａにおける図４６（Ｃ）と同様なので、ここでの説明は省略する。次に、図５５（Ｍ）に示すように、表示画面７ａでは小当たりラッシュ開始演出が実行される。この小当たりラッシュ開始演出は、上述した小当たり演出Ａにおける図４６（Ｄ）と同様であるが、以下の点で異なる。すなわち、図５５（Ｍ）に示す小当たりラッシュ開始演出では、装飾図柄８Ｌ、８Ｃ、８Ｒの右下に「新規開放パターン」という文字が表示される。したがって、遊技者は、今回の小当たりラッシュで小当たりになったときは、小当たりアタッカーとしての第２大入賞口３５の開放パターンが、前回の小当たりラッシュ時とは異なることを理解する。
【０２２７】
次に、図５５（Ｎ）に示すように、表示画面７ａでは小当たり示唆演出（第１小当たり示唆演出）が実行される。この小当たり示唆演出は、上述した図５４（Ｅ）と同様であるが、以下の点で異なる。すなわち、上述したように、図５４（Ｅ）の小当たり示唆演出で小当たりになった場合は、第１始動口２０への入賞による初大当たり後の小当たりラッシュ中なので、第２大入賞口３５を開放時間１．０秒で１回開放する開放パターン（開放パターン２５、図１３）がおこなわれる。一方、図５５（Ｎ）に示す小当たり示唆演出で小当たりになった場合は、第２始動口２１への入賞による大当たり図柄配列「７７７」の確変大当たり後の小当たりラッシュ中なので、第２大入賞口３５を開放時間０．３秒で５回開放する開放パターン（開放パターン２６、図１３）がおこなわれる。すなわち、図５４（Ｅ）に示す小当たり示唆演出での小当たりは、疑似大当たり示唆演出を経由しない大当たり後の小当たりラッシュ中なので、第１の開放パターンで第２大入賞口３５が開放され、図５５（Ｎ）に示す小当たり示唆演出での小当たりは、疑似大当たり示唆演出を経由した大当たり後の小当たりラッシュ中なので、第１の開放パターンとは相違する第２の開放パターンで第２大入賞口３５が開放される。
【０２２８】
一方、図５４（Ｈ）に代わって、図５５（Ｏ）に示すように、遊技者に有利な特典が付与されにくいキャラクタＣＲＢが登場した場合には、表示画面７ａでは通常大当たりキャラクタ演出が実行される。したがって、遊技者は、通常大当たりに係わるリーチ状態でキャラクタＣＲＢが登場したので、言い換えれば、ピンチのときにキャラクタＣＲＢが登場したので、その後の展開に期待が持てなくなる。
【０２２９】
次に、図５５（Ｐ）に示すように、表示画面７ａでは通常大当たり確定演出が実行される。この通常大当たり確定演出は、上述した図４７（Ｌ）と同様なので、ここでの説明は省略する。その後、図示は省略するが、表示画面７ａでは通常大当たり図柄配列「８８８」の大当たり遊技に係わる大当たり遊技演出が実行された後、上述した図４７（Ｍ）に示すようなリザルト演出が実行される。
【０２３０】
［小当たり演出Ｆ］
次に、小当たり演出の一実施形態である小当たり演出Ｆについて図５６、図５７を用いて説明する。図５６、図５７は、小当たり演出Ｆを説明するための図である。この小当たり演出Ｆは、確変大当たりとなって、その大当たり遊技後から次回大当たりになるまでの小当たりラッシュ（ＲＵＳＨ）期間中に、所定の小当たりを示唆する演出および小当たりラッシュの継続（再獲得）を示唆する演出である。より詳しくは、小当たりラッシュの継続（再獲得）を示唆する演出は、小当たりラッシュ期間中に、最終的に小当たりラッシュが終了する通常大当たりの可能性のある演出の分岐として、小当たりラッシュの継続（再獲得）を示唆する演出（疑似大当たり示唆演出。疑似大当たり示唆演出は第２小当たり演出とも呼ぶ）を含む。
【０２３１】
図５６を参照して、図５６（Ａ）の装飾図柄変動演出、図５６（Ｂ）の確変大当たり確定演出、図５６（Ｃ）の大当たり遊技演出、図５６（Ｄ）の小当たりラッシュ開始演出、図５６（Ｅ）の小当たり示唆演出（第１小当たり示唆演出）および図５６（Ｆ）の小当たりラッシュ継続示唆演出は、上述した小当たり演出Ａにおける図４６（Ａ）、図４６（Ｂ）、図４６（Ｃ）、図４６（Ｄ）、図４６（Ｅ）および図４７（Ｈ）と同様なので、ここでの説明は省略する。なお、図５６（Ｅ）の小当たり示唆演出で小当たりになった場合は、上述した図４６（Ｅ）と同様に、第１始動口２０への入賞による初大当たり後の小当たりラッシュ中なので、したがって第２大入賞口３５を開放時間１．０秒で１回開放する開放パターン（開放パターン２５、図１３）がおこなわれる。
【０２３２】
次に、図５６（Ｇ）の疑似大当たりリーチ演出は、上述した小当たり演出Ｅにおける図５４（Ｇ）と同様なので、ここでの説明は省略する。次に、図５６（Ｈ）に示すように、疑似大当たり役物演出が実行される。この疑似大当たり役物演出は、図５６（Ｇ）に示した通常大当たりに係わるリーチ状態で、図１に示す盤可動体としての第２可動役物１５が、退避位置（ホームポジション）から下方の進出位置まで進出して表示画面７ａ前方で停止するように作動する。第２可動役物１５が進出位置まで進出した状態では、最後の停止図柄である中装飾図柄８Ｃの停止位置が完全に覆われ、リーチ状態を形成している左装飾図柄８Ｌと右装飾図柄８Ｒの一部が覆われる。ここで、遊技機１の演出で作動する役物は、上述したように第１可動役物１４と第２可動役物１５があり、第２可動役物１５が作動した場合の方が、第１可動役物１４が作動した場合よりも遊技者に有利な特典が付与されやすいようになっている。したがって、遊技者は、通常大当たりに係わるリーチ状態で第２可動役物１５が作動したので、言い換えれば、ピンチのときに第２可動役物１５が作動したので、その後の展開に期待を持つ。
【０２３３】
次に、図５７（Ｉ）の疑似大当たり文字演出、図５７（Ｊ）の確変図柄リーチ演出、図５７（Ｋ）の確変大当たり確定演出、図５７（Ｌ）の大当たり遊技演出、図５７（Ｍ）の小当たりラッシュ開始演出および図５７（Ｎ）の小当たり示唆演出（第１小当たり示唆演出）は、上述した小当たり演出Ｅにおける図５５（Ｉ）、図５５（Ｊ）、図５５（Ｋ）、図５５（Ｌ）、図５５（Ｍ）および図５５（Ｎ）と同様なので、ここでの説明は省略する。なお、図５７（Ｎ）の小当たり示唆演出で小当たりになった場合は、上述した図５５（Ｎ）と同様に、第２始動口２１への入賞による大当たり図柄配列「７７７」の確変大当たり後の小当たりラッシュ中なので、したがって第２大入賞口３５を開放時間０．３秒で５回開放する開放パターン（開放パターン２６、図１３）がおこなわれる。
【０２３４】
一方、図５６（Ｈ）に代わって、図５７（Ｏ）に示すように、盤可動体としての第１可動役物１４が作動した場合には、通常大当たり役物演出が実行される。この通常大当たり役物演出は、図５６（Ｇ）に示した通常大当たりに係わるリーチ状態で、図１に示す第１可動役物１４が、退避位置（ホームポジション）から上方の進出位置まで進出して表示画面７ａ前方で停止するように作動する。第１可動役物１４が進出位置まで進出した状態では、変動中の最後の停止図柄である中装飾図柄８Ｃ、および、リーチ状態を形成している左装飾図柄８Ｌと右装飾図柄８Ｒの一部が覆われる。したがって、遊技者は、通常大当たりに係わるリーチ状態で第１可動役物１４が作動したので、言い換えれば、ピンチのときに第２可動役物１５が作動せずに第１可動役物１４が作動したので、その後の展開に期待が持てなくなる。
【０２３５】
次に、図５７（Ｐ）に示すように、表示画面７ａでは通常大当たり確定演出が実行される。この通常大当たり確定演出は、上述した図５５（Ｐ）と同様なので、ここでの説明は省略する。その後、図示は省略するが、表示画面７ａでは通常大当たり図柄配列「８８８」の大当たり遊技に係わる大当たり遊技演出が実行された後、上述した図４７（Ｍ）に示すようなリザルト演出が実行される。
【０２３６】
［小当たり演出Ｇ］
次に、小当たり演出の一実施形態である小当たり演出Ｇについて図５８、図５９を用いて説明する。図５８、図５９は、小当たり演出Ｇを説明するための図である。この小当たり演出Ｆは、確変大当たりとなって、その大当たり遊技後から次回大当たりになるまでの小当たりラッシュ（ＲＵＳＨ）期間中に、所定の小当たりを示唆する演出および小当たりラッシュの継続（再獲得）を示唆する演出である。より詳しくは、小当たりラッシュの継続（再獲得）を示唆する演出は、小当たりラッシュ期間中に、最終的に小当たりラッシュが終了する通常大当たりの可能性のある演出の分岐として、小当たりラッシュの継続を示唆（再獲得）する演出（疑似大当たり示唆演出。疑似大当たり示唆演出は第２小当たり演出とも呼ぶ）を含む。
【０２３７】
図５８を参照して、図５８（Ａ）の装飾図柄変動演出、図５８（Ｂ）の確変大当たり確定演出、図５８（Ｃ）の大当たり遊技演出、図５８（Ｄ）の小当たりラッシュ開始演出、図５８（Ｅ）の小当たり示唆演出（第１小当たり示唆演出）および図５８（Ｆ）の小当たりラッシュ継続示唆演出は、上述した小当たり演出Ａにおける図４６（Ａ）、図４６（Ｂ）、図４６（Ｃ）、図４６（Ｄ）、図４６（Ｅ）および図４７（Ｈ）と同様なので、ここでの説明は省略する。なお、図５８（Ｅ）の小当たり示唆演出で小当たりになった場合は、上述した図４６（Ｅ）と同様に、第１始動口２０への入賞による初大当たり後の小当たりラッシュ中なので、したがって第２大入賞口３５を開放時間１．０秒で１回開放する開放パターン（開放パターン２５、図１３）がおこなわれる。
【０２３８】
次に、図５８（Ｇ）の疑似大当たりリーチ演出は、上述した小当たり演出Ｅにおける図５４（Ｇ）と同様なので、ここでの説明は省略する。次に、図５８（Ｈ）に示すように、表示画面７ａでは疑似大当たりボタン演出が実行される。この疑似大当たりボタン演出は、図５８（Ｇ）に示した通常大当たりに係わるリーチ状態で、演出ボタン６３の操作を促すボタン画像ＢＯＧが表示される。このボタン画像ＢＯＧが表示された状態では、最後の停止図柄である中装飾図柄８Ｃの停止位置が完全に覆われ、リーチ状態を形成している左装飾図柄８Ｌと右装飾図柄８Ｒの一部が覆われる。ボタン画像ＢＯＧの上方には、「ボタンＰＵＳＨ！」という文字が表示され遊技者に演出ボタン６３を押下操作させる操作指示の演出を実行する。なお、ボタン画像ＢＯＧ下部の鍔部には、演出ボタン６３の有効操作期間の残り期間を示唆するメータＭＡＴが表示される。このメータＭＡＴは、ボタン操作指示演出が表示されてからの経過時間とともに、メータ値（クロスハッチング部分）が上昇するように表示され、演出ボタン６３の有効操作期間の残り期間が無くなると、メータ値が満タンになるように表示される。ここで、遊技機１では、このようなボタン演出が実行された場合の方が、ボタン演出が実行されなかった場合よりも遊技者に有利な特典が付与されやすいようになっている。したがって、遊技者は、通常大当たりに係わるリーチ状態でボタン演出が実行されたので、言い換えれば、ピンチのときにボタン演出が実行されたので、その後の展開に期待を持つ。
【０２３９】
次に、図５９（Ｉ）の疑似大当たり文字演出、図５９（Ｊ）の確変図柄リーチ演出、図５９（Ｋ）の確変大当たり確定演出、図５９（Ｌ）の大当たり遊技演出、図５９（Ｍ）の小当たりラッシュ開始演出および図５９（Ｎ）の小当たり示唆演出（第１小当たり示唆演出）は、上述した小当たり演出Ｅにおける図５５（Ｉ）、図５５（Ｊ）、図５５（Ｋ）、図５５（Ｌ）、図５５（Ｍ）および図５５（Ｎ）と同様なので、ここでの説明は省略する。なお、図５９（Ｎ）の小当たり示唆演出で小当たりになった場合は、上述した図５５（Ｎ）と同様に、第２始動口２１への入賞による大当たり図柄配列「７７７」の確変大当たり後の小当たりラッシュ中なので、したがって第２大入賞口３５を開放時間０．３秒で５回開放する開放パターン（開放パターン２６、図１３）がおこなわれる。
【０２４０】
一方、図５８（Ｇ）に示した通常大当たりに係わるリーチ状態で、演出ボタン６３の操作を促すボタン画像ＢＯＧが表示されない場合、つまり図５８（Ｈ）の疑似大当たりボタン演出が実行されない場合がある。この場合、遊技者は、通常大当たりに係わるリーチ状態でボタン演出が実行されなかったので、言い換えれば、ピンチのときにボタン演出が実行されなかったので、その後の展開に期待が持てなくなる。しかして、図５８（Ｈ）の疑似大当たりボタン演出が実行されなかったときは、図５９（Ｏ）に示すように、表示画面７ａでは通常大当たり確定演出が実行される。この通常大当たり確定演出は、上述した図５５（Ｐ）と同様なので、ここでの説明は省略する。その後、図示は省略するが、表示画面７ａでは通常大当たり図柄配列「８８８」の大当たり遊技に係わる大当たり遊技演出が実行された後、上述した図４７（Ｍ）に示すようなリザルト演出が実行される。
【０２４１】
＜第２実施形態＞
次に、図６０〜図６８を用いて第２実施形態について説明する。なお、第２実施形態においては、上述した第１実施形態と異なる構成を主に説明し、同じ構成は説明を省略する。第２実施形態が第１実施形態と異なる構成は、端的に言えば、第１実施形態は、図５４〜図５９（小当たり演出Ｅ、Ｆ、Ｇ）に示したように、小当たりラッシュ期間中に疑似大当たり示唆演出を実行するようになっているが、第２実施形態は、この疑似大当たり示唆演出に替えて、小当たりラッシュ期間中に第２小当たり示唆演出を実行するようになっている。
つまり、疑似大当たり示唆演出は、最終的に小当たりラッシュが終了する通常大当たりの可能性のある演出の分岐として、小当たりラッシュの継続（再獲得）を示唆する演出（一旦、通常大当たりになる可能性を示唆した後に確変大当たりになる演出）であり、この疑似大当たり示唆演出を経由して確変大当たりになった後の小当たりラッシュでは、新たな小当たりに係わる大入賞口の開放パターンがおこなわれる。これに対し、第２小当たり示唆演出は、最終的に小当たりラッシュが終了する通常大当たりの可能性のある演出の分岐として、小当たりラッシュの継続を示唆する（小当たりを示唆する）演出（一旦、通常大当たりになる可能性を示唆した後に小当たりになる演出）であり、この第２小当たり示唆演出を経由して小当たりになった場合には、第１小当たり示唆演出で小当たりになった場合の大入賞口の開放パターンと相違する大入賞口の開放パターンがおこなわれるようになっている。
【０２４２】
図６０は、第２実施形態に係わる時短状態時の変動パターン判定テーブルＴ６を説明するための図である。図６０では、時短状態において第２始動口２１に入賞し、小当たり判定テーブルＴ１０において「小当たり」と判定され、変動パターン乱数値が「０〜９９」の場合には、変動パターンが「Ｐ７４」と判定され、変動パターン乱数値が「１００〜１２７」の場合には、変動パターンが「Ｐ７５」と判定されることが示されている。また、変動パターンが「Ｐ７４」の変動時間は３０００msecに決定され、変動パターンが「Ｐ７５」の変動時間は５００００msecに決定される。ここで、変動パターン「Ｐ７４」は、小当たりラッシュ中に第１小当たり示唆演出がおこなわれる変動パターンであり、変動パターン「Ｐ７５」は、小当たりラッシュ中に第２小当たり示唆演出がおこなわれる変動パターンである。なお、時短状態において第２始動口２１に入賞し、小当たり判定テーブルＴ１０において「ハズレ」と判定されたときは、変動パターン「Ｐ６４」〜「Ｐ７３」のいずれかがおこなわれ、この変動パターン「Ｐ６４」〜「Ｐ７３」は、小当たりラッシュ中における小当たりラッシュ継続示唆演出（ハズレ示唆演出）の変動パターンとなる。
【０２４３】
図６１は、第２実施形態に係わる大入賞口開放パターン判定テーブルＴ８を説明するための図である。図６１（Ｃ）には、小当たり遊技における大入賞口開放パターンとして、開放パターン２５および開放パターン２６の内容が示されている。開放パターン２５では開放回数１回、開放時間１．０秒の第２大入賞口３５の開放をおこなう。開放パターン２６では開放回数５回、開放時間０．３秒の第２大入賞口３５の開放をおこなう。つまり、小当たり遊技においては、第１大入賞口３０は開放せず、第２大入賞口３５のみが開放する。なお、開放パターン２５は、小当たりラッシュ中に第１小当たり示唆演出がおこなわれて小当たり（変動パターン「Ｐ７４」による小当たり）した場合、および、小当たりラッシュ終了後の第２始動口２１の保留を消化中に小当たり（変動パターン「Ｐ３４」による小当たり）した場合におこなわれる。開放パターン２６は、小当たりラッシュ中に第２小当たり示唆演出がおこなわれて小当たり（変動パターン「Ｐ７５」による小当たり）した場合におこなわれる。すなわち、第１小当たり示唆演出を経由して大当たりになったときと、第２小当たり示唆演出を経由して大当たりになったときとで、小当たり遊技における大入賞口開放パターンが相違している。
【０２４４】
次に、上述した図２５を参照して、ステップＳ１６２１では、時短状態用の変動パターン判定テーブルＴ６（図６０）が参照される。ステップＳ１６２１の場合、すなわち小当たりの場合、図６０に示す時短状態用の変動パターン判定テーブルＴ６のうち、小当たりに該当する部分（「Ｐ７４」、「Ｐ７５」の部分）が参照される。読み出した変動パターン乱数値から、変動パターンとして「Ｐ７４」または「Ｐ７５」が選択される。
【０２４５】
次に、上述した図２７を参照して、小当たりフラグがＯＮである場合（ステップＳ１８１０：ＹＥＳ）、遊技制御用マイコン８１は、変動パターンの種別に応じた大入賞口の開放パターンのセットをおこなう（ステップＳ１８１１）。具体的には、遊技制御用マイコン８１は、大入賞口開放パターン判定テーブルＴ８（図６１）を参照して、変動パターンデータから大入賞口の開放パターンを決定し、決定した開放パターンをセットする。すなわち、変動パターンデータが「Ｐ３４」、「Ｐ７４」の場合には、大入賞口の開放パターンとして「開放パターン２５」がセットされる。変動パターンデータが「Ｐ７５」の場合には、大入賞口の開放パターンとして「開放パターン２６」がセットされる。遊技制御用マイコン８１は、小当たりフラグがＯＮになると、当選した小当たりに係わる変動パターンの種別に応じた開放パターンに従って、第２大入賞口３５を開放させ、その後、第２大入賞口３５の閉鎖条件（図６１）が成立しているか否かの判定をおこない、大入賞口の閉鎖条件が成立している場合には、大入賞口を閉鎖（閉塞）する（小当たり遊技終了）。
【０２４６】
図６２は、第２実施形態に係わる基幹演出パターン決定テーブルＴ５２を説明するための図である。図６２では、ノーマルリーチ演出をおこなう複数種類の基幹演出パターンと、ＳＰ１演出をおこなう複数種類の基幹演出パターン、ＳＰ２演出をおこなう複数種類の基幹演出パターン、ＳＰ３演出をおこなう複数種類の基幹演出パターンと、ＳＰ４演出をおこなう複数種類の基幹演出パターンと、ＳＰ５演出をおこなう複数種類の基幹演出パターンと、リーチ無しハズレ演出をおこなう複数種類の基幹演出パターンと、小当たり演出をおこなう複数種類の基幹演出パターンが設定されている。基幹演出パターンの種類は任意に設定することができる。
ここでは、例えば、変動開始コマンドに含まれていた変動パターンが「Ｐ３４」、「Ｐ７４」、「Ｐ７５」の場合、小当たり演出をおこなう基幹演出パターンが選択される。
【０２４７】
［小当たり演出Ｈ］
次に、第２実施形態に係わる小当たり演出の一実施形態である小当たり演出Ｈについて図６３、図６４を用いて説明する。図６３、図６４は、小当たり演出Ｈを説明するための図である。この小当たり演出Ｈは、その大当たり遊技後から次回大当たりになるまでの小当たりラッシュ（ＲＵＳＨ）期間中に、所定の小当たりを示唆する演出および小当たりラッシュの継続を示唆する演出である。より詳しくは、小当たりを示唆する演出は、小当たりラッシュ期間中に、最終的に小当たりラッシュが終了する通常大当たりの可能性のある演出の分岐として、小当たりを示唆する演出（第２小当たり示唆演出。第２小当たり示唆演出は第３小当たり演出とも呼ぶ）を含む。
【０２４８】
図６３を参照して、まず、図６３（Ａ）に示すように、遊技状態が通常状態（低確低ベース状態）で、特別図柄の変動表示と同期して装飾図柄変動演出が実行される。この装飾図柄変動演出では、画像表示装置７の表示画面７ａにおいて、左の図柄表示エリアに左装飾図柄８Ｌ、中の図柄表示エリアに中装飾図柄８Ｃ、右の図柄表示エリアには右装飾図柄８Ｒが表示される。装飾図柄８Ｌ、８Ｃ、８Ｒの停止順は、最初に左装飾図柄８Ｌが停止し、次に右装飾図柄８Ｒが停止し、最後に中装飾図柄８Ｃが停止するようになっている。なお、図６３（Ａ）では、主に第１始動口２０への入賞による第１特別図柄（特図１）の変動と同期して、装飾図柄８Ｌ、８Ｃ、８Ｒが変動中（下方にスクロール中）であることを示している。
【０２４９】
次に、図６３（Ｂ）に示すように、表示画面７ａでは初当たりとしての確変大当たり確定演出が実行される。この確変大当たり確定演出は、図６３（Ａ）に示した装飾図柄８Ｌ、８Ｃ、８Ｒの当該変動の結果が、確変大当たりしたことを示している。本例では、この確変大当たり図柄配列は「７７７」が示されている。なお、装飾図柄８Ｌ、８Ｃ、８Ｒの上方には、「確変大当たり〜！」という文字が表示されるようになっている。この大当たり確定演出により、遊技者は大当たりおよび大当たり後の確変を確信する。
【０２５０】
ここで、大当たり図柄配列「７７７」は、上述したように、「１６ＲＶ通過予定大当たり」（確変大当たり）であって、特図１に係わる特図停止図柄データ「１１Ｈ」と、特図２に係わる特図停止図柄データ「２１Ｈ」に対応しており（図９）、大当たり遊技終了後は、遊技状態が次回大当たりするまで高確時短状態（高確高ベース状態）になるとともに、小当たりラッシュが実行される大当たりである。
なお、本例では、大当たり図柄配列「３３３」は、「１６ＲＶ通過予定大当たり」（確変大当たり）であって、特図１に係わる特図停止図柄データ「１２Ｈ」と、特図２に係わる特図停止図柄データ「２０Ｈ」に対応しており（図９）、大当たり遊技終了後は、遊技状態が次回大当たりするまで高確時短状態（高確高ベース状態）になるとともに、小当たりラッシュが実行される大当たりである。
また、大当たり図柄配列「５５５」は、「１６Ｒ（実質１５Ｒ）Ｖ通過予定大当たり」（確変大当たり）であって、特図１に係わる特図停止図柄データ「１３Ｈ」と、特図２に係わる特図停止図柄データ「２０Ｈ」に対応しており（図９）、大当たり遊技終了後は、遊技状態が次回大当たりするまで高確時短状態（高確高ベース状態）になるとともに、小当たりラッシュが実行される大当たりである。
また、大当たり図柄配列「１１１」、「９９９」は、「１６Ｒ（実質１３Ｒ）Ｖ通過予定大当たり」（確変大当たり）であって、特図１に係わる特図停止図柄データ「１４Ｈ」と、特図２に係わる特図停止図柄データ「２０Ｈ」に対応しており（図９）、に対応しており（図９）、大当たり遊技終了後は、遊技状態が次回大当たりするまで高確時短状態（高確高ベース状態）になるとともに、小当たりラッシュが実行される大当たりである。
また、大当たり図柄配列「２２２」、「４４４」、「６６６」、「８８８」は、「１６Ｒ（実質１３Ｒ）Ｖ非通過予定大当たり」（通常大当たり）であって、特図１に係わる特図停止図柄データ「１５Ｈ」と、特図２に係わる特図停止図柄データ「２２Ｈ」に対応しており（図９）、当該大当たりおよび大当たり遊技終了後は、遊技状態が低確非時短状態（低確低ベース状態）になるとともに、小当たりラッシュが実行されない大当たりである。
つまり、本例では、奇数の大当たり図柄配列「１１１」、「３３３」、「５５５」、「７７７」、「９９９」は、小当たりラッシュ付きの確変大当たりであり、偶数の大当たり図柄配列「２２２」、「４４４」、「６６６」、「８８８」は、小当たりラッシュの付かない通常大当たりとなっている。また、本例では、奇数図柄（確変図柄）「１」、「３」、「５」、「７」、「９」は「赤」で表示され、偶数図柄（通常図柄）「２」、「４」、「６」、「８」は「青」で表示されるようになっている。
また、小当たりラッシュ期間中は、小当たりラッシュのない一般的な時短中とは異なり、手持ちの遊技球を増加させながら次の大当たりを狙うことができる。すなわち、小当たりラッシュのない一般的な時短中では、手持ちの遊技球は徐々に漸減していくのに対し、小当たりラッシュの時短中では、手持ちの遊技球は徐々に漸増していく。したがって、小当たりラッシュが長く続くほど、言い換えれば次の大当たり（通常大当たり）を引かないほど、遊技者にとって利益となる。
【０２５１】
次に、図６３（Ｃ）に示すように、表示画面７ａでは大当たり遊技に係わる大当たり遊技演出が実行される。この演出としては、例えば、オープニング演出、ラウンド演出、エンディング演出などが実行される。
【０２５２】
次に、大当たり遊技が終了すると遊技状態が高確時短状態（高確高ベース状態）となり、図６３（Ｄ）に示すように、表示画面７ａでは、小当たりラッシュの実行に伴って小当たりラッシュ開始演出が開始される。なお、ここでの小当たりラッシュ開始演出は、高確高ベース状態における装飾図柄変動演出がおこなわれるようになっている。小当たりラッシュでは、電チュー２２が頻繁に開放され（図８、図１２）、第２始動口２１への入賞が極めて容易になる。そのため、特図２に係わる装飾図柄の変動表示が多数おこなわれ、且つその装飾図柄の変動時間の多くは短時間なので（３秒、変動パターンＰ７４、図６０）、頻繁に小当りが発生する（小当り確率１／２、図８）。また、装飾図柄８Ｌ、８Ｃ、８Ｒの上方には、「ＲＵＳＨ開始！」という文字が表示されている。
【０２５３】
次に、図６３（Ｅ）に示すように、例えば時短の所定回転目（例えば時短の２，３回転目）で、当該変動（特図２）の結果が小当たりになる場合、表示画面７ａでは小当たり示唆演出（第１小当たり示唆演出）が実行される。この小当たり示唆演出は、特別図柄（特図２）の停止に係わって、装飾図柄８Ｌ、８Ｃ、８Ｒが、スクロール後所定の図柄表示態様で停止（仮停止も含む）することにより実行される。なお、ここでは、この所定の図柄表示態様は、装飾図柄８Ｌ、８Ｃ、８Ｒが全て所定の確変図柄（奇数図柄）で停止する態様で表示される。図６３（Ｅ）では、最初の停止図柄である左装飾図柄８Ｌに「７」が停止し、２番目の停止図柄である右装飾図柄８Ｒが「５」で停止し、最後の停止図柄である中装飾図柄８Ｃが「９」で停止している様子が示されている（「７」、「９」、「５」）。すなわち、装飾図柄８Ｌ、８Ｃ、８Ｒ全てが確変図柄（奇数図柄）で停止している（ただし、確変大当たり図柄配列は除く）。遊技者は、装飾図柄８Ｌ、８Ｃ、８Ｒ全てが確変図柄（奇数図柄）で停止したことを確認することで、当該変動の結果が確定する前に小当たりになることが判るとともに、引き続き小当たりラッシュが継続することが判る。つまり、遊技者は、手持ちの遊技球を増やしながら次の大当たりを狙うことができる。なお、ここでの小当たりは、第１小当たり示唆演出を経由した小当たりなので、したがって第２大入賞口３５を開放時間１．０秒で１回開放する開放パターン（開放パターン２５、図６１）がおこなわれる。
【０２５４】
次に、図６３（Ｆ）に示すように、例えば時短の所定回転目（例えば時短の１，４回転目）で、当該変動（主に特図２）の結果がハズレになる場合、表示画面７ａでは小当たりラッシュ継続示唆演出（ハズレ示唆演出）が実行される。この小当たりラッシュ継続示唆演出は、特別図柄（特図２）の停止に係わって、装飾図柄８Ｌ、８Ｃ、８Ｒが、スクロール後所定の図柄表示態様で停止（仮停止も含む）することにより実行される。なお、ここでは、この所定の図柄表示態様は、装飾図柄８Ｌ、８Ｃ、８Ｒが全て所定の通常図柄（偶数図柄）で停止する態様で表示される。図６３（Ｆ）では、最初の停止図柄である左装飾図柄８Ｌに「８」が停止し、２番目の停止図柄である右装飾図柄８Ｒが「６」で停止し、最後の停止図柄である中装飾図柄８Ｃが「４」で停止している様子が示されている（「８」、「４」、「６」）。すなわち、装飾図柄８Ｌ、８Ｃ、８Ｒ全てが通常図柄（偶数図柄）で停止している。遊技者は、装飾図柄８Ｌ、８Ｃ、８Ｒ全てが通常図柄（偶数図柄）で停止したことを確認することで、当該変動の結果が確定する前にハズレになることが判るとともに、引き続き小当たりラッシュが継続することが判る。つまり、遊技者は、手持ちの遊技球が増える状態を維持しながら次の大当たりを狙うことができる。なお、小当たりラッシュ継続示唆演出（ハズレ示唆演出）は、装飾図柄８Ｌ、８Ｃ、８Ｒ全てが通常図柄（偶数図柄）の図柄配列で停止する場合の他、通常図柄（偶数図柄）と確変図柄（奇数図柄）が混在する図柄配列で停止する場合であってもよい（例えば、「５」、「４」、「６」等）。
【０２５５】
次に、図６３（Ｇ）に示すように、例えば時短の所定回転目（例えば時短の２０回転目）で、表示画面７ａでは通常大当たりリーチ演出が実行される。この通常大当たりリーチ演出は、特別図柄（主に特図２）の変動表示に係わって、左装飾図柄８Ｌと右装飾図柄８Ｒが、通常大当たりに係わるリーチ図柄配列で停止する。ここでは、このリーチ図柄配列は「８↓８」が示されている。また、装飾図柄８Ｌ、８Ｃ、８Ｒの上方には、「リーチ！」という文字が表示される。遊技者は、通常大当たりになると小当たりラッシュが終了してしまうので、このリーチ結果がハズレることを願う。
【０２５６】
次に、図６３（Ｈ）に示すように、表示画面７ａではキャラクタ演出（第２小当たり示唆演出）が実行される。このキャラクタ演出は、図６３（Ｇ）に示した通常大当たりに係わるリーチ状態で、最後の停止図柄である中装飾図柄８Ｃの停止位置にキャラクタＣＲＡが表示される。ここで、遊技機１の演出で登場するキャラクタには、登場すると遊技者に有利な特典が付与されやすいキャラクタＣＲＡと、登場すると遊技者に有利な特典が付与されにくいキャラクタＣＲＢとがある。したがって、遊技者は、通常大当たりに係わるリーチ状態でキャラクタＣＲＡが登場したので、言い換えれば、ピンチのときにキャラクタＣＲＡが登場したので、その後の展開に期待を持つ。
【０２５７】
次に、図６４（Ｉ）に示すように、表示画面７ａでは小当たり示唆文字演出（第２小当たり示唆演出）が実行される。この小当たり示唆文字演出は、図６３（Ｈ）に示したキャラクタ演出の画面が所定のタイミングで切り替わっておこなわれる。この小当たり示唆文字演出では、「チャンス！」という文字画像が表示画面７ａの中央に大きく表示される。したがって、遊技者は、キャラクタＣＲＡの登場に続いて「チャンス！」という文字が出現したので、その後の展開にさらに期待を持つ。
【０２５８】
次に、図６４（Ｊ）に示すように、表示画面７ａでは小当たり示唆演出（第２小当たり示唆演出）が実行される。この小当たり示唆演出は、図６４（Ｉ）に示した小当たり示唆文字演出の画面が所定のタイミングで切り替わっておこなわれる。この小当たり示唆演出では、装飾図柄８Ｌ、８Ｃ、８Ｒが全て所定の確変図柄（奇数図柄）で停止する態様で表示される。図６３（Ｅ）では、最初の停止図柄である左装飾図柄８Ｌに「１」が停止し、２番目の停止図柄である右装飾図柄８Ｒが「５」で停止し、最後の停止図柄である中装飾図柄８Ｃが「３」で停止している様子が示されている（「１」、「３」、「５」）。すなわち、装飾図柄８Ｌ、８Ｃ、８Ｒ全てが確変図柄（奇数図柄）で停止している。
つまり、図６３（Ｇ）に示した通常大当たりリーチ演出で、小当たりラッシュが終了する通常大当たりのリーチ図柄配列が一旦表示された後、この通常大当たりのリーチ図柄配列に替わって、図６３（Ｈ）に示すキャラクタ演出、図６４（Ｉ）に示す小当たり示唆文字演出、図６４（Ｊ）に示す小当たり示唆演出が実行され（第２小当たり示唆演出が実行され）、装飾図柄８Ｌ、８Ｃ、８Ｒが全て確変図柄（奇数図柄）で停止して小当たりになることを示唆する。言い換えれば、当該変動（特図２）の結果が小当たりになる場合、小当たりラッシュが終了する通常大当たりのリーチ図柄配列が一旦表示された後、第２小当たり示唆演出が実行されて小当たりになることを示唆する。
より詳しくは、演出の分岐点として、一旦、装飾図柄を通常大当たり図柄配列で停止可能なリーチ図柄で停止した後、キャラクタ演出および小当たり示唆文字演出を経て、小当たりを獲得する小当たりの図柄配列に変化させることで（通常大当たりのリーチ図柄配列がハズレた場合は小当たりラッシュが継続、確変大当たりになった場合は小当たりラッシュを再獲得、通常大当たりになった場合は小当たりラッシュ終了。なお、本例では、装飾図柄を通常大当たり図柄配列で停止可能なリーチ図柄で停止した場合は、通常大当たりになる確率が、確変大当たり、小当たりおよびハズレになる場合よりも高く設定されている）、最終的に小当たりになることを示唆する第２小当たり示唆演出を実行する。
したがって、遊技者は、第２小当たり示唆演出が実行されて通常大当たりのリーチ図柄配列が、装飾図柄８Ｌ、８Ｃ、８Ｒ全てが確変図柄（奇数図柄）で停止する小当たり図柄配列に変化したので、当該変動の結果が確定する前に小当たりになることが判るとともに、引き続き小当たりラッシュが継続することが判る。なお、ここでの小当たりは、第２小当たり示唆演出を経由した小当たりなので、したがって第２大入賞口３５を開放時間０．３秒で５回開放する開放パターン（開放パターン２６、図６１）がおこなわれる。
【０２５９】
一方、図６３（Ｈ）に代わって、図６４（Ｋ）に示すように、表示画面７ａでは遊技者に有利な特典が付与されにくいキャラクタＣＲＢが登場するキャラクタ演出が実行される場合もある。この図６４（Ｋ）に示すキャラクタ演出では、通常大当たりに係わるリーチ状態でキャラクタＣＲＢが登場したので、言い換えれば、ピンチのときにキャラクタＣＲＢが登場したので、遊技者は、その後の展開に期待が持てなくなる。
【０２６０】
次に、図６３（Ｌ）に示すように、表示画面７ａでは通常大当たり確定演出が実行される。ここでは、この通常大当たり図柄配列は「８８８」が示されている。大当たり図柄配列は「８８８」は、上述したように「１６Ｒ（実質１３Ｒ）Ｖ非通過予定大当たり」であり、当該大当たりおよび大当たり遊技終了後は、遊技状態が低確非時短状態（低確低ベース状態）になるとともに、小当たりラッシュが実行されない大当たりである。したがって、装飾図柄８Ｌ、８Ｃ、８Ｒの上方には、「通常大当たり〜！」という文字が表示され、装飾図柄８Ｌ、８Ｃ、８Ｒの右下方には、「ＲＵＳＨ終了！」という文字が表示されるようになっている。この通常大当たり確定演出により、遊技者は、今回の大当たりが通常大当たり、および、当該大当たり遊技後に新たに小当たりラッシュがおこなわれない（小当たりラッシュが継続しない）ことを確信する。その後、図示は省略するが、表示画面７ａでは通常大当たり図柄配列「８８８」の大当たり遊技に係わる大当たり遊技演出が実行された後、上述した図４７（Ｍ）に示すようなリザルト演出が実行される。
【０２６１】
［小当たり演出Ｉ］
次に、第２実施形態に係わる小当たり演出の一実施形態である小当たり演出Ｉについて図６５、図６６を用いて説明する。図６５、図６６は、小当たり演出Ｉを説明するための図である。この小当たり演出Ｉは、その大当たり遊技後から次回大当たりになるまでの小当たりラッシュ（ＲＵＳＨ）期間中に、所定の小当たりを示唆する演出および小当たりラッシュの継続を示唆する演出である。より詳しくは、小当たりを示唆する演出は、小当たりラッシュ期間中に、最終的に小当たりラッシュが終了する通常大当たりの可能性のある演出の分岐として、小当たりを示唆する演出（第２小当たり示唆演出。第２小当たり示唆演出は第３小当たり演出とも呼ぶ）を含む。
【０２６２】
図６５を参照して、図６５（Ａ）の装飾図柄変動演出、図６５（Ｂ）の確変大当たり確定演出、図６５（Ｃ）の大当たり遊技演出、図６５（Ｄ）の小当たりラッシュ開始演出、図６５（Ｅ）の小当たり示唆演出（第１小当たり示唆演出）、図６５（Ｆ）の小当たりラッシュ継続示唆演出（ハズレ示唆演出）および図６５（Ｇ）の通常大当たりリーチ演出は、上述した小当たり演出Ｈにおける図６３（Ａ）、図６３（Ｂ）、図６３（Ｃ）、図６３（Ｄ）、図６３（Ｅ）、図６３（Ｆ）および図６３（Ｇ）と同様なので、ここでの説明は省略する。
【０２６３】
次に、図６５（Ｈ）に示すように、役物演出（第２小当たり示唆演出）が実行される。この役物演出は、図６５（Ｇ）に示した通常大当たりに係わるリーチ状態で、図１に示す盤可動体としての第２可動役物１５が、退避位置（ホームポジション）から下方の進出位置まで進出して表示画面７ａ前方で停止するように作動する。第２可動役物１５が進出位置まで進出した状態では、最後の停止図柄である中装飾図柄８Ｃの停止位置が完全に覆われ、リーチ状態を形成している左装飾図柄８Ｌと右装飾図柄８Ｒの一部が覆われる。ここで、遊技機１の演出で作動する役物は、上述したように第１可動役物１４と第２可動役物１５があり、第２可動役物１５が作動した場合の方が、第１可動役物１４が作動した場合よりも遊技者に有利な特典が付与されやすいようになっている。したがって、遊技者は、通常大当たりに係わるリーチ状態で第２可動役物１５が作動したので、言い換えれば、ピンチのときに第２可動役物１５が作動したので、その後の展開に期待を持つ。
【０２６４】
次に、図６６（Ｉ）の小当たり示唆文字演出（第２小当たり示唆演出）および図６６（Ｊ）の小当たり示唆演出（第２小当たり示唆演出）は、上述した小当たり演出Ｈにおける図６４（Ｉ）および図６４（Ｊ）と同様なので、ここでの説明は省略する。
【０２６５】
一方、図６５（Ｈ）に代わって、図６６（Ｋ）に示すように、盤可動体としての第１可動役物１４が作動する役物演出が実行される場合もある。この図６６（Ｋ）に示す役物演出は、図６５（Ｇ）に示した通常大当たりに係わるリーチ状態で、図１に示す第１可動役物１４が、退避位置（ホームポジション）から上方の進出位置まで進出して表示画面７ａ前方で停止するように作動する。第１可動役物１４が進出位置まで進出した状態では、変動中の最後の停止図柄である中装飾図柄８Ｃ、および、リーチ状態を形成している左装飾図柄８Ｌと右装飾図柄８Ｒの一部が覆われる。したがって、遊技者は、通常大当たりに係わるリーチ状態で第１可動役物１４が作動したので、言い換えれば、ピンチのときに第２可動役物１５が作動せずに第１可動役物１４が作動したので、その後の展開に期待が持てなくなる。
【０２６６】
次に、図６６（Ｌ）に示すように、表示画面７ａでは通常大当たり確定演出が実行される。この通常大当たり確定演出は、上述した図６４（Ｌ）と同様なので、ここでの説明は省略する。その後、図示は省略するが、表示画面７ａでは通常大当たり図柄配列「８８８」の大当たり遊技に係わる大当たり遊技演出が実行された後、上述した図４７（Ｍ）に示すようなリザルト演出が実行される。
【０２６７】
［小当たり演出Ｊ］
次に、第２実施形態に係わる小当たり演出の一実施形態である小当たり演出Ｊについて図６７、図６８を用いて説明する。図６７、図６８は、小当たり演出Ｊを説明するための図である。この小当たり演出Ｊは、その大当たり遊技後から次回大当たりになるまでの小当たりラッシュ（ＲＵＳＨ）期間中に、所定の小当たりを示唆する演出および小当たりラッシュの継続を示唆する演出である。より詳しくは、小当たりを示唆する演出は、小当たりラッシュ期間中に、最終的に小当たりラッシュが終了する通常大当たりの可能性のある演出の分岐として、小当たりを示唆する演出（第２小当たり示唆演出。第２小当たり示唆演出は第３小当たり演出とも呼ぶ）を含む。
【０２６８】
図６７を参照して、図６７（Ａ）の装飾図柄変動演出、図６７（Ｂ）の確変大当たり確定演出、図６７（Ｃ）の大当たり遊技演出、図６７（Ｄ）の小当たりラッシュ開始演出、図６７（Ｅ）の小当たり示唆演出（第１小当たり示唆演出）、図６７（Ｆ）の小当たりラッシュ継続示唆演出（ハズレ示唆演出）および図６７（Ｇ）の通常大当たりリーチ演出は、上述した小当たり演出Ｈにおける図６３（Ａ）、図６３（Ｂ）、図６３（Ｃ）、図６３（Ｄ）、図６３（Ｅ）、図６３（Ｆ）および図６３（Ｇ）と同様なので、ここでの説明は省略する。
【０２６９】
次に、図６７（Ｈ）に示すように、表示画面７ａではボタン演出（第２小当たり示唆演出）が実行される。このボタン演出は、図６７（Ｇ）に示した通常大当たりに係わるリーチ状態で、演出ボタン６３の操作を促すボタン画像ＢＯＧが表示される。このボタン画像ＢＯＧが表示された状態では、最後の停止図柄である中装飾図柄８Ｃの停止位置が完全に覆われ、リーチ状態を形成している左装飾図柄８Ｌと右装飾図柄８Ｒの一部が覆われる。ボタン画像ＢＯＧの上方には、「ボタンＰＵＳＨ！」という文字が表示され遊技者に演出ボタン６３を押下操作させる操作指示の演出を実行する。なお、ボタン画像ＢＯＧ下部の鍔部には、演出ボタン６３の有効操作期間の残り期間を示唆するメータＭＡＴが表示される。このメータＭＡＴは、ボタン操作指示演出が表示されてからの経過時間とともに、メータ値（クロスハッチング部分）が上昇するように表示され、演出ボタン６３の有効操作期間の残り期間が無くなると、メータ値が満タンになるように表示される。ここで、遊技機１では、このようなボタン演出が実行された場合の方が、ボタン演出が実行されなかった場合よりも遊技者に有利な特典が付与されやすいようになっている。したがって、遊技者は、通常大当たりに係わるリーチ状態でボタン演出が実行されたので、言い換えれば、ピンチのときにボタン演出が実行されたので、その後の展開に期待を持つ。
【０２７０】
次に、図６８（Ｉ）の小当たり示唆文字演出（第２小当たり示唆演出）および図６８（Ｊ）の小当たり示唆演出（第２小当たり示唆演出）は、上述した小当たり演出Ｈにおける図６４（Ｉ）および図６４（Ｊ）と同様なので、ここでの説明は省略する。
【０２７１】
一方、図６７（Ｇ）に示した通常大当たりに係わるリーチ状態で、演出ボタン６３の操作を促すボタン画像ＢＯＧが表示されない場合、つまり図６７（Ｈ）のボタン演出が実行されない場合がある。この場合、遊技者は、通常大当たりに係わるリーチ状態でボタン演出が実行されなかったので、言い換えれば、ピンチのときにボタン演出が実行されなかったので、その後の展開に期待が持てなくなる。しかして、図６７（Ｈ）のボタン演出が実行されなかったときは、図６８（Ｌ）に示すように、表示画面７ａでは通常大当たり確定演出が実行される。この通常大当たり確定演出は、上述した図６４（Ｌ）と同様なので、ここでの説明は省略する。その後、図示は省略するが、表示画面７ａでは通常大当たり図柄配列「８８８」の大当たり遊技に係わる大当たり遊技演出が実行された後、上述した図４７（Ｍ）に示すようなリザルト演出が実行される。
【０２７２】
［効果例］
以下に、小当たり演出の効果例を示す。
［効果１］
上記実施形態の遊技機１では、図４６〜図６８に示すように、大当たり遊技の終了後の所定時期（例えば、大当たり遊技終了直後、所定回数の図柄変動後）から所定条件（例えば、大当たり、所定回数の図柄変動）が成立するまでの小当たりラッシュ期間に、小当たり遊技を実行可能であり、小当たりラッシュ期間中は、図柄（特別図柄）の停止に係わって小当たりになることを示唆する小当たり示唆演出を実行可能な構成になっている。この構成によれば、遊技者は、小当たりラッシュ期間中に小当たり示唆演出がおこなわれた場合には、今回の変動結果は小当たりになるとともに、引き続き小当たりラッシュが継続するという、大いなる期待を持って遊技に臨むことができる。また、遊技者は、小当たりになることを事前に確認できるので、ハンドル操作を適切におこなうことができ、これにより不利益になることを抑制できる。その結果、遊技の興趣を向上させることができる。
【０２７３】
［効果２］
上記実施形態の遊技機１では、図４６〜図６８に示すように、小当たり示唆演出（第１小当たり示唆演出）は、特定の図柄（記号、マーク、文字、アイコン、絵柄等を含む）を停止させること、特定の図柄配列（隣接する図柄が同一、全て確変図柄（大当たり図柄配列は除く）等）で停止させること、または、特定の図柄表示態様（同色図柄等）で停止させることによりおこなう構成になっている。この構成によれば、特定の図柄、特定の図柄配列または特定の図柄表示態様で停止するという、極めて判りやすい態様で小当たり示唆演出がおこなわれるので、遊技者は、極めて容易に小当たり示唆演出がおこなわれたことを理解することができる。その結果、遊技の興趣を向上させることができる。
【０２７４】
［効果３］
上記実施形態の遊技機１では、図４６〜図６８に示すように、小当たりラッシュ期間は、大当たり遊技の終了直後から次の大当たり遊技が開始されるまでの期間とし、小当たりラッシュ期間中は、図柄の停止に係わってハズレになることを示唆する小当たりラッシュ継続示唆演出を実行可能な構成になっている。この構成によれば、遊技者は、小当たりラッシュ期間中に小当たりラッシュ継続示唆演出がおこなわれた場合には、今回の変動結果はハズレになるものの、引き続き小当たりラッシュが継続するという、大いなる期待を持って遊技に臨むことができる。さらに、小当たり示唆演出と小当たりラッシュ継続示唆演出の両方をおこなうことで、小当たりラッシュ期間における遊技性を高めることができる。その結果、遊技の興趣を向上させることができる。
【０２７５】
［効果４］
上記第１実施形態の遊技機１では、図５４〜図５９に示すように、大当たりには、大当たり遊技の終了後に、小当たりラッシュ期間を発生させる第一大当たり（例えば確変大当たり）と、小当たりラッシュ期間を発生させない第二大当たり（例えば通常大当たり）とがあり、小当たりラッシュ期間中は、当該大当たりの大当たり種別を第一大当たりと判定した場合であっても、一旦、第二大当たりになる可能性を示唆した後に、第一大当たりになることを示唆する疑似大当たり示唆演出を実行可能な構成になっている。この構成によれば、遊技者に、一旦、小当たりラッシュが終了してしまうと思わせた後に、実は、小当たりラッシュは引き続き継続する（新たに獲得する）ことを示唆することができる。すなわち、疑似大当たり示唆演出を、最終的に小当たりラッシュが終了する第二大当たりの可能性のある演出の分岐として、小当たりラッシュの継続を示唆する演出としておこなうことができる。これにより、遊技者は、疑似大当たり示唆演出がおこなわれると一喜一憂し、最終的に小当たりラッシュが継続することが判ったときは、極めて大きな喜びを持って遊技に臨むことができる。さらに、小当たり示唆演出および小当たり継続示唆（ハズレ示唆）演出に加え、疑似大当たり示唆演出をおこなうことで、小当たりラッシュ期間における遊技性を極めて高めることができる。その結果、遊技の興趣を向上させることができる。
【０２７６】
［効果５］
上記第１実施形態の遊技機１では、図５４〜図５９に示すように、第一大当たりと判定した場合に図柄を第一大当たり図柄配列で停止し、第二大当たりと判定した場合に図柄を第二大当たり図柄配列で停止するとし、演出の分岐点は、第二大当たり図柄配列で停止可能なリーチ図柄で停止したときとし、疑似大当たり示唆演出は、一旦、図柄を第二大当たり図柄配列で停止可能なリーチ図柄で停止した後、最終的に第一大当たり図柄配列で停止することを示唆する構成になっている。この構成によれば、疑似大当たり示唆演出のガセ情報である小当たりラッシュの終了示唆を、リーチ図柄という極めて判りやすい態様でおこない、その後、最終的に小当たりラッシュの継続示唆を、大当たり図柄配列という極めて判りやすい態様でおこなうことができる。これにより、遊技者に対して極めてインパクトの強い態様で、疑似大当たり示唆演出における小当たりラッシュの終了示唆および小当たりラッシュの継続示唆をアピールする（印象づける）ことができる。その結果、遊技の興趣を向上させることができる。
【０２７７】
［効果６］
上記第１実施形態の遊技機１では、図５４〜図５９に示すように、疑似大当たり示唆演出を経由して第一大当たりになったときの、当該大当たり遊技後におこなわれる小当り遊技の大入賞口の開放パターンと、疑似大当たり演出を経由せずに第一大当たりになったときの、当該大当たり遊技後におこなわれる小当り遊技の大入賞口の開放パターンとを相違する構成になっている。この構成によれば、疑似大当たり示唆演出を経由して大当たりになったか否かによって、小当り遊技における大入賞口の開放パターンを変化させることができる。すなわち、疑似大当たり示唆演出を実行するという極めて簡単な手法で、単調な遊技（小当り遊技）に変化をつけることができる。また、例えば、疑似大当たり示唆演出を経由して大当たりになったときの小当り遊技の大入賞口の開放パターンを、疑似大当たり演出を経由せずに大当たりになったときの小当り遊技の大入賞口の開放パターンよりも、遊技者に有利な態様でおこなうことができる。これにより、疑似大当たり示唆演出の価値を高め、遊技者に疑似大当たり示唆演出をより強く印象付けることも可能になる。その結果、遊技の興趣を向上させることができる。
【０２７８】
［効果７］
上記第１実施形態の遊技機１では、図５４〜図５９に示すように、装飾図柄を通常大当たり図柄配列で停止可能なリーチ図柄で停止した場合は、通常大当たりになる確率が、確変大当たり、小当たりおよびハズレになる場合よりも高く設定される構成になっている。この構成によれば、疑似大当たり示唆演出が実行され、通常大当たりのリーチ図柄で停止した後、最終的に確変大当たり図柄で停止したときは、遊技者は、この上ない喜びに浸ることができる。すなわち、遊技者は、小当たりラッシュの終了を覚悟したにもかかわらず、この疑似大当たり示唆演出により、思いがけず小当たりラッシュを再獲得できるということが判ったときは、極めて大きな喜びを持って遊技に臨むことができる。その結果、遊技の興趣を向上させることができる。
【０２７９】
［効果８］
上記第２実施形態の遊技機１では、図６３〜図６８に示すように、大当たりには、大当たり遊技の終了後に、小当たりラッシュ期間を発生させる第一大当たり（例えば確変大当たり）と、小当たりラッシュ期間を発生させない第二大当たり（例えば通常大当たり）とがあり、小当たりラッシュ期間中は、最終的に第二大当たりの可能性のある演出の分岐として小当たりになることを示唆する第２小当たり示唆演出を実行可能な構成になっている。この構成によれば、遊技者に、一旦、小当たりラッシュが終了してしまうと思わせた後に、実は、小当たりになることおよび小当たりラッシュは引き続き継続することを示唆することができる。すなわち、第２小当たり示唆演出を、最終的に小当たりラッシュが終了する第二大当たりの可能性のある演出の分岐として、小当たりの示唆および小当たりラッシュの継続を示唆する演出としておこなうことができる。これにより、遊技者は、第２小当たり示唆演出がおこなわれると一喜一憂し、最終的に小当たりになることおよび小当たりラッシュが継続することが判ったときは、極めて大きな喜びを持って遊技に臨むことができる。さらに、第１小当たり示唆演出および小当たり継続示唆（ハズレ示唆）演出に加え、第２小当たり示唆演出をおこなうことで、小当たりラッシュ期間における遊技性を極めて高めることができる。その結果、遊技の興趣を向上させることができる。
【０２８０】
［効果９］
上記第２実施形態の遊技機１では、図６３〜図６８に示すように、第一大当たりと判定した場合に図柄を第一大当たり図柄配列で停止し、第二大当たりと判定した場合に図柄を第二大当たり図柄配列で停止するとし、第２小当たり示唆演出は、一旦、図柄を第二大当たり図柄配列で停止可能なリーチ図柄で停止した後に、小当たり図柄配列で停止して小当たりになることを示唆する構成になっている。この構成によれば、第２小当たり示唆演出のガセ情報である小当たりラッシュの終了示唆を、リーチ図柄という極めて判りやすい態様でおこない、その後、最終的に小当たりの示唆を、小当たり図柄配列という極めて判りやすい態様でおこなうことができる。これにより、遊技者に対して極めてインパクトの強い態様で、第２小当たり示唆演出における小当たりラッシュの終了示唆、小当たりの示唆および小当たりラッシュの継続示唆をアピールする（印象づける）ことができる。その結果、遊技の興趣を向上させることができる。
【０２８１】
［効果１０］
上記第２実施形態の遊技機１では、図６３〜図６８に示すように、第１小当たり示唆演出で小当たりになった場合の大入賞口の開放パターンと、第２小当たり示唆演出で小当たりになった場合の大入賞口の開放パターンとを相違する構成になっている。この構成によれば、第１小当たり示唆演出と第２小当たり示唆演出のいずれの演出を経由して小当たりになったかによって、小当り遊技における大入賞口の開放パターンを変化させることができる。すなわち、第１小当たり示唆演出または第２小当たり示唆演出を実行するという極めて簡単な手法で、単調な遊技（小当り遊技）に変化をつけることができる。また、例えば、第２小当たり示唆演出を経由して小当たりになったときの小当り遊技の大入賞口の開放パターンを、第１小当たり示唆演出を経由して小当たりになったときの小当り遊技の大入賞口の開放パターンよりも、遊技者に有利な態様でおこなうことができる。これにより、第２小当たり示唆演出の価値を高め、遊技者に第２小当たり示唆演出をより強く印象付けることも可能になる。その結果、遊技の興趣を向上させることができる。
【０２８２】
［効果１１］
上記第２実施形態の遊技機１では、図６３〜図６８に示すように、装飾図柄を通常大当たり図柄配列で停止可能なリーチ図柄で停止した場合は、通常大当たりになる確率が、確変大当たり、小当たりおよびハズレになる場合よりも高く設定される構成になっている。この構成によれば、第２小当たり示唆演出が実行され、通常大当たりのリーチ図柄で停止した後、最終的に小当たり図柄で停止したときは、遊技者は、この上ない喜びに浸ることができる。すなわち、遊技者は、小当たりラッシュの終了を覚悟したにもかかわらず、この第２小当たり示唆演出により、思いがけず小当たりラッシュが継続するということが判ったときは、極めて大きな喜びを持って遊技に臨むことができる。その結果、遊技の興趣を向上させることができる。
【０２８３】
［変形例］
以下に、小当たり演出の変形例を示す。
［変形例１］
上記実施形態の遊技機１では、第１始動入賞口２０への遊技球の入賞では、小当たり抽選をおこなわないようにしたが、これは、おこなうようにしてもよい。この場合、小当たり抽選の当選確率は、第１始動入賞口２０への入賞では、第２始動口２１への入賞に比して充分低くしてもよい。あるいは、小当たり抽選の当選確率を外部から設定変更できるようにしてもよい（例えば、６段階に設定変更可能。これは、大当たりとセットで当選確率を設定変更可能にしてもよい）。また、第１始動入賞口２０への入賞では、上記に準じて小当たり示唆演出をおこなうとよい。特に、第１始動入賞口２０への入賞は、遊技状態が左打ちをおこなう通常状態（非時短状態、低確低ベース状態）の場合が想定されるので、このように小当たり示唆演出をおこなえば、遊技者は迅速に右打ちをおこなって小当りアタッカーとしての第２大入賞装置３６に向けて遊技球を発射することが可能になる。
【０２８４】
［変形例２］
上記実施形態の遊技機１では、第２特図保留の消化は、第１特図保留の消化に優先して実行されるようにしたが、これは、第２特図保留と第１特図保留を同時に消化するようにしてもよい。例えば、通常状態において第２始動口２１への入賞は困難であるが、時短状態が終了して通常状態になったとき、第２始動口２１の保留を消化する場合がある。この場合、第２特図保留の消化では１／２で小当たりになるので、通常状態になってからも頻繁に小当たりが発生してしまう。そこで、第２特図保留と第１特図保留を同時消化にすれば、通常状態における第２特図の変動時間を充分長く設定する（例えば５分、上記実施形態の第２特図保留の優先消化では、図１０に示す１５秒）ことで、第１特図保留を円滑に消化しつつ、第２特図保留の消化もおこなって頻繁に小当たりが発生するのを抑制することができる。すなわち、通常状態であっても遊技に支障することなく第２特図保留の消化をおこなうことができる。
【０２８５】
［変形例３］
上記実施形態の遊技機１では、小当たり示唆演出は、装飾図柄８Ｌ、８Ｃ、８Ｒの何れかが所定の図柄（「ＯＡＲＯ」という文字図柄）で停止する（小当たり演出Ａ、図４６、図４７）、装飾図柄８Ｌ、８Ｃ、８Ｒが所定の図柄配列（隣接する装飾図柄が同一の奇数図柄）で停止する（小当たり演出Ｂ、図４８、図４９）、装飾図柄８Ｌ、８Ｃ、８Ｒが所定の図柄表示態様（全ての飾図柄が同一色（赤））で停止する（小当たり演出Ｃ、図５０、図５１）、小当たり示唆画像（小当たり示唆アイコンＫＡＡ）が所定の表示態様（変色）になる（小当たり演出Ｄ、図５２、図５３）、装飾図柄８Ｌ、８Ｃ、８Ｒが所定の図柄配列（装飾図柄が全て確変図柄（確変大当たり図柄配列は除く））で停止する（小当たり演出Ｈ、Ｉ、Ｊ、図６３〜図６８）ことでおこなうようにしたが、これらは、特に限定されるものではない。また、小当たりラッシュ継続示唆演出（ハズレ示唆演出）は、装飾図柄８Ｌ、８Ｃ、８Ｒの何れかが所定の図柄（「ハズレ」という文字図柄）で停止する（小当たり演出Ａ、図４６、図４７）、装飾図柄８Ｌ、８Ｃ、８Ｒが所定の図柄配列（隣接する装飾図柄が同一の偶数図柄）で停止する（小当たり演出Ｂ、図４８、図４９）、装飾図柄８Ｌ、８Ｃ、８Ｒが所定の図柄表示態様（全ての飾図柄が同一色（青））で停止する（小当たり演出Ｃ、図５０、図５１）、小当たり継続示唆画像（ハズレ示唆アイコンＨＺＡ）が所定の表示態様（変色）になる（小当たり演出Ｄ、図５２、図５３）装飾図柄８Ｌ、８Ｃ、８Ｒが所定の図柄配列（装飾図柄が全て通常図柄（通常大当たり図柄配列は除く））で停止する（小当たり演出Ｈ、Ｉ、Ｊ、図６３〜図６８）ことでおこなうようにしたが、これらは、特に限定されるものではない。例えば、小当たり示唆演出または小当たりラッシュ継続示唆演出は、特別図柄（特図２）の変動表示に係わって所定のタイミングで、所定のキャラクタの表示、効果音の発生、所定のランプ・ＬＥＤの点灯、所定の役物の作動、所定場所からエアーの発生またはハンドルバイブ（バイブレータ）の発生などによりおこなってもよい。
【０２８６】
［変形例４］
上記実施形態の遊技機１では、疑似大当たり示唆演出および第２小当たり示唆演出は、小当たりラッシュが終了する通常大当たりのリーチのタイミングで、所定のキャラクタ（キャラクタＣＲＡ）を表示する（小当たり演出Ｅ、Ｈ、図５４、図６３）、所定の役物（第２可動役物１５）を作動する（小当たり演出Ｆ、Ｉ、図５６、図６５）、ボタン画像（ボタン画像ＢＯＧ）を表示する（小当たり演出Ｇ、Ｊ、図５８、図６７）ことでおこなうようにしたが、これらは、特に限定されるものではない。例えば、疑似大当たり示唆演出は、小当たりラッシュが終了する通常大当たり図柄配列が表示された後、これらの演出をおこない、最終的に小当たりラッシュが再獲得できる確変大当たり図柄配列（「７７７」）に昇格する演出としてもよい。また、疑似大当たり示唆演出および第２小当たり示唆演出は、小当たりラッシュが終了する通常大当たりのリーチのタイミングで、画面のブラックアウト、レバー画像（レバー操作を促す画像）、所定のアイコン画像、効果音の発生、所定のランプ・ＬＥＤの点灯、所定場所からエアーの発生またはハンドルバイブ（バイブレータ）の発生などによりおこなってもよい。さらには、第２小当たり示唆演出では、小当たり演出Ｈ、Ｉ、Ｊにおいて小当たり示唆文字演出（図６４（Ｉ）、図６６（Ｉ）、図６８（Ｉ）に示す「チャンス！」という文字画像の表示）がおこなわれた後、通常大当たりのリーチが小当たり図柄配列に変化して小当たりになるよう構成したが、これは、ハズレ図柄配列に変化してハズレになるよう構成してもよい。このように構成すれば、第２小当たり示唆演出では小当たり示唆演出と小当たりラッシュ継続示唆演出の両者をおこなうことができる。そして、この場合、小当たり示唆演出と小当たりラッシュ継続示唆演出に係わる文字演出の内容を相違するようにしてもよい。例えば、小当たり示唆演出がおこなわれて小当たりになる場合では「チャンス！」、小当たりラッシュ継続示唆演出がおこなわれてハズレになる場合では「継続！」という文字画像の表示をおこなうようにしてもよい。
【０２８７】
［変形例５］
上記実施形態の遊技機１では、確変大当たりになったときは、当該大当たり遊技の終了直後から小当たりラッシュが開始されるようにしたが、これは、当該大当たり遊技の終了後、高確高ベース状態で所定回数（例えば５０回）の特別図柄の変動がおこなわれ、この期間中に大当たりが獲得できなっかったときに、つまり高確高ベース状態で所定回数の特別図柄の変動がおこなわれたときに、小当たりラッシュが開始されるようにしてもよい。このようにすると、小当たりラッシュ開始までのカウントダウン演出などがおこなえる。ここで、小当たりラッシュが開始前の高確高ベース状態（所定回数の特別図柄の変動がおこなわれる高確高ベース状態）では、実際には小当たりが頻繁に発生するが、この期間は、小当たりが発生しても遊技球が増加しない手段を設けるようにすればよい。この手段としては、例えば、小当たりが発生して小当りアタッカー（第２大入賞装置）３６が開放されたとき、この開放された小当りアタッカー３６に遊技球が流下しない手段を設ける（例えば、電チュー２２を小当りアタッカー３６の上流側に配置して、電チュー２２の開放で小当りアタッカー３６への遊技球の流下を妨げる等）。あるいは、小当たりが発生したときの小当りアタッカー３６の開放時間を短くして、小当りアタッカー３６への遊技球の入賞を抑制すること等が挙げられる。さらには、小当たりラッシュが開始前の高確高ベース状態で、小当たり自体が発生しないように別手段を設けることも考えられる。この別手段としては、例えば、小当り抽選のない第３始動入賞口（電チュー）を設け、この期間中は、第２始動入賞口２１（電チュー２２）への入賞を抑制して、第３始動入賞口への入賞が頻繁に発生するように構成すればよい。
【０２８８】
［変形例６］
上記実施形態の遊技機１では、第１大入賞装置３１の内部にＶ領域（特定領域）３９を設け、大当たり遊技中にＶ領域（特定領域）３９を遊技球が通過すると、大当たり終了後高確率状態へ移行するタイプで説明したが、これは、Ｖ領域（特定領域）３９のないタイプの遊技機（いわゆる確変ループ機。確変大当たりのときは、大当たり終了後、次回大当たりするまで高確高ベース状態となる遊技機）であってもよい。あるいは、遊技機１は、確変（高確高ベース）状態が次回大当たりするまで継続することなく、確変（高確高ベース）状態で所定回数（例えば１００回）図柄の変動がおこなわれたときに、通常（低確低ベース）状態に移行するタイプの遊技機（いわゆるＳＴ機またはＶ−ＳＴ機。ＳＴ機はＶ領域（特定領域）のないタイプ、Ｖ−ＳＴ機はＶ領域（特定領域）のあるタイプ）であってもよい。また、遊技機１は、第２大入賞装置（小当りアタッカー）３６を設け、大当たり遊技は、第１大入賞装置３１と第２大入賞装置３６を所定の開放パターンで開放しておこなうようにしたが、第１大入賞装置３１のみを所定の開放パターンで開放しておこなうようにしてもよい。また、小当たり遊技は、小当りアタッカー３６を所定の開放パターンで開放しておこなうようにしたが、小当りアタッカー３６を省略し、第１大入賞装置３１を所定の開放パターンで開放しておこなうようにしてもよい。
【０２８９】
［変形例７］
上記実施形態の遊技機１では、小当たり演出Ｈ、Ｉ、Ｊにおいてキャラクタ演出（図６４（Ｋ））、役物演出（図６６（Ｋ））がおこなわれた後、または、ボタン演出（図６７（Ｈ））がおこなわれなかった後、言い換えれば、小当たり演出Ｈ、Ｉ、Ｊにおいて小当たり示唆文字演出（図６４（Ｉ）、図６６（Ｉ）、図６８（Ｉ）に示す「チャンス！」という文字画像の表示）がおこなわれなかった後は、通常大当たりのリーチがそのまま通常大当たりになるよう構成したが、これは、ハズレ（リーチハズレ）になる、または、確変大当たりのリーチに変化した後確変大当たりになるよう構成してもよい。このように構成すれば、小当たり示唆文字演出（図６４（Ｉ）、図６６（Ｉ）、図６８（Ｉ）に示す「チャンス！」という文字画像の表示）がおこなわれたときは、必ず小当たりになるので、小当たり示唆文字演出の価値を高めることができる。
【０２９０】
［変形例８］
上記実施形態の遊技機１では、小当たり演出Ｈにおいて、図６３（Ｈ）に示すキャラクタ演出では遊技者に有利な特典が付与されやすいキャラクタＣＲＡが、図６４（Ｋ）に示すキャラクタ演出では遊技者に有利な特典が付与されにくいキャラクタＣＲＢが登場するようにしたが、これは、同じキャラクタを登場するようにしてもよい。つまり、図６３（Ｈ）に示すキャラクタ演出と図６４（Ｋ）に示すキャラクタ演出を同じ演出（共通演出）としてもよい。そして、共通演出のキャラクタ演出がおこなわれた後に、小当たり示唆文字演出（図６４（Ｉ）に示す「チャンス！」という文字画像の表示）が実行されたときは小当たりになり、実行されなかったときは通常大当たりになる確率が高くなる（ハズレ（リーチハズレ）または確変大当たりになる確率は低くなる）ようにしてもよい。このようにすると、さらに小当たり示唆文字演出の価値を高めることができる。
【０２９１】
［その他の変形例］
上述の種々の表示演出において、その一部の演出を含んでいない構成や、上述した以外の演出が含まれていてもよい。
【０２９２】
上記実施形態の遊技機１は、パチンコ遊技機を例に挙げて説明したが、これに限られるものではない。例えば、パチンコ遊技機に代えて、スロットマシン等の回胴式遊技機、アレンジボール遊技機、または、雀球遊技機に本発明を適用するようにしてもよい。遊技機１をスロットマシンとする場合には、遊技媒体を遊技球から遊技メダルに変更すればよい。
【０２９３】
上記実施形態の遊技機１では、遊技者に操作させる操作部として演出ボタン６３を備えているが、これに限られず、遊技者に操作させる操作部として、レバーや、トリガーなどを用いてもよい。また、上記実施形態の遊技機１における表示演出において、演出ボタン６３を表すボタン画像を用いて表示演出を実行する場合があるが、これに代えて剣部材６４を表す画像を用いて表示演出を実行するようにしてもよいし、レバーやトリガーを表す画像を用いて表示演出を実行するようにしてもよい。
【０２９４】
上記実施形態の遊技機１は、玉を払出すための払出装置を搭載した遊技機であったが、これに限られるものではない。例えば、上記遊技機１に代えて、所謂封入式遊技機のように、払い出し装置を搭載しない遊技機に本発明を適用するようにしてもよい。
【０２９５】
また、上述した複数の演出例および/または変形例のうち、２つ以上の演出例および/または変形例を組み合わせてもよい。さらに、遊技機１は、画像表示装置７の他にサブ表示装置を備えてもよい。この場合、上述した表示演出を当該サブ表示装置で実行するようにしてもよい。
【０２９６】
以上、実施形態、変形例に基づき本態様について説明してきたが、上記した態様の実施の形態は、本態様の理解を容易にするためのものであり、本態様を限定するものではない。本態様は、その趣旨並びに特許請求の範囲を逸脱することなく、変更、改良され得ると共に、本態様にはその等価物が含まれる。
【符号の説明】
【０２９７】
１…遊技機
３…遊技領域
７…画像表示装置
９Ａ，９Ｂ…保留画像（保留アイコン）
９Ｃ…当該保留画像
１４…第１可動役物
１５…第２可動役物
２０…第１始動口（第１入球口）
２１…第２始動口（第２入球口）
８１…遊技制御用マイコン
９１…演出制御用マイコン
１０１…画像制御用マイコン
【図１】
2020162774.tif 000003
【図２】
2020162774.tif 000004
【図３】
2020162774.tif 000005
【図４】
2020162774.tif 000006
【図５】
2020162774.tif 000007
【図６】
2020162774.tif 000008
【図７】
2020162774.tif 000009
【図８】
2020162774.tif 000010
【図９】
2020162774.tif 000011
【図１０】
2020162774.tif 000012
【図１１】
2020162774.tif 000013
【図１２】
2020162774.tif 000014
【図１３】
2020162774.tif 000015
【図１４】
2020162774.tif 000016
【図１５】
2020162774.tif 000017
【図１６】
2020162774.tif 000018
【図１７】
2020162774.tif 000019
【図１８】
2020162774.tif 000020
【図１９】
2020162774.tif 000021
【図２０】
2020162774.tif 000022
【図２１】
2020162774.tif 000023
【図２２】
2020162774.tif 000024
【図２３】
2020162774.tif 000025
【図２４】
2020162774.tif 000026
【図２５】
2020162774.tif 000027
【図２６】
2020162774.tif 000028
【図２７】
2020162774.tif 000029
【図２８】
2020162774.tif 000030
【図２９】
2020162774.tif 000031
【図３０】
2020162774.tif 000032
【図３１】
2020162774.tif 000033
【図３２】
2020162774.tif 000034
【図３３】
2020162774.tif 000035
【図３４】
2020162774.tif 000036
【図３５】
2020162774.tif 000037
【図３６】
2020162774.tif 000038
【図３７】
2020162774.tif 000039
【図３８】
2020162774.tif 000040
【図３９】
2020162774.tif 000041
【図４０】
2020162774.tif 000042
【図４１】
2020162774.tif 000043
【図４２】
2020162774.tif 000044
【図４３】
2020162774.tif 000045
【図４４】
2020162774.tif 000046
【図４５】
2020162774.tif 000047
【図４６】
2020162774.tif 000048
【図４７】
2020162774.tif 000049
【図４８】
2020162774.tif 000050
【図４９】
2020162774.tif 000051
【図５０】
2020162774.tif 000052
【図５１】
2020162774.tif 000053
【図５２】
2020162774.tif 000054
【図５３】
2020162774.tif 000055
【図５４】
2020162774.tif 000056
【図５５】
2020162774.tif 000057
【図５６】
2020162774.tif 000058
【図５７】
2020162774.tif 000059
【図５８】
2020162774.tif 000060
【図５９】
2020162774.tif 000061
【図６０】
2020162774.tif 000062
【図６１】
2020162774.tif 000063
【図６２】
2020162774.tif 000064
【図６３】
2020162774.tif 000065
【図６４】
2020162774.tif 000066
【図６５】
2020162774.tif 000067
【図６６】
2020162774.tif 000068
【図６７】
2020162774.tif 000069
【図６８】
2020162774.tif 000070